(57)【要約】  プリコーディング行列のフィードバック精度を向上させるべく、チャネル情報送信方法、データ送信方法、およびデバイスが提供される。第１デバイスが、参照信号を受信するよう構成された受信モジュールと、参照信号を測定して第１チャネル情報および第２チャネル情報を取得するよう構成された処理モジュールと、第１チャネル情報および第２チャネル情報を送信するよう構成された送信モジュールとを含み、ここで、第１チャネル情報はＭ個の第１ベクトルの識別情報を含み、Ｍは２以上の整数であり、第２チャネル情報は、Ｍ個の第１ベクトルにおいてＮ個の第１ベクトルに対して重み付け合成を実施するために用いられる重み付け合成係数についての情報を含み、ＮはＭ以下の正の整数であり、第１チャネル情報および第２チャネル情報は、プリコーディング行列を構成するのに用いられる。プリコーディング行列を生成する際、第２デバイスは、複数の固有ベクトルから固有ベクトルを１つだけ選択するのではなく、受信した第２チャネル情報が示す重み付け合成係数に基づきＭ個の第１ベクトルに対して重み付け合成を実施してよく、これにより、生成されるプリコーディング行列は精度がより高い。
2019515540.tif 000002
【特許請求の範囲】
【請求項１】
第２デバイスが送信した参照信号を受信するよう構成された受信モジュールであって、前記参照信号はＳ個のアンテナポートで送信され、前記Ｓ個のアンテナポートは、Ｈ個の参照信号リソースポートグループに属し、ＳおよびＨは１以上の整数である、受信モジュールと、
前記参照信号を測定して第１チャネル情報および第２チャネル情報を取得するよう構成された処理モジュールと、
前記第１チャネル情報および前記第２チャネル情報を前記第２デバイスへ送信するよう構成された送信モジュールと
を備え、
前記第１チャネル情報はＭ個の第１ベクトルの識別情報を含み、Ｍは２以上の整数であり、
前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、
前記重み付け合成係数は第１係数および／または第２係数を含み、
前記第１係数は振幅係数であり、前記第２係数は位相係数または時間遅延係数であり、
前記第１チャネル情報および前記第２チャネル情報は、プリコーディング行列を構成するのに用いられ、
前記第１ベクトルの次元は、各参照信号リソースポートグループ内のアンテナポートの数であり、または前記第１ベクトルの次元は、各参照信号リソースポートグループ内のアンテナポートの数の半分である、
第１デバイス。
【請求項２】
前記処理モジュールはさらに、前記参照信号を測定して第３チャネル情報を取得するよう構成され、
前記送信モジュールはさらに、前記第３チャネル情報を前記第２デバイスへ送信するよう構成され、
前記第３チャネル情報は、前記参照信号のための２つのアンテナポートグループ間の位相差を示すのに用いられ、
前記第３チャネル情報は、同じく、前記プリコーディング行列を構成するのに用いられる、
請求項１に記載の第１デバイス。
【請求項３】
前記第１チャネル情報、前記第２チャネル情報、および前記第３チャネル情報は、ランクが２の前記プリコーディング行列を以下の方式
【数４８６】
2019515540.tif 000493
で構成し、
【数４８７】
2019515540.tif 000494
であり、
【数４８８】
2019515540.tif 000495
であり、
ＲおよびＳは正の整数であり、Ｒ≦Ｍであり、Ｓ≦Ｍであり、
【数４８９】
2019515540.tif 000496
および
【数４９０】
2019515540.tif 000497
は互いに組み合わせられて前記Ｍ個の第１ベクトルを構成し、
【数４９１】
2019515540.tif 000498
および
【数４９２】
2019515540.tif 000499
は重み付け合成係数であり、
【数４９３】
2019515540.tif 000500
は
【数４９４】
2019515540.tif 000501
に対して重み付けを実施するのに用いられ、
【数４９５】
2019515540.tif 000502
は
【数４９６】
2019515540.tif 000503
に対して重み付けを実施するのに用いられ、
【数４９７】
2019515540.tif 000504
は
【数４９８】
2019515540.tif 000505
に対して重み付けを実施するのに用いられ、
【数４９９】
2019515540.tif 000506
は
【数５００】
2019515540.tif 000507
に対して重み付けを実施するのに用いられ、
【数５０１】
2019515540.tif 000508
は
【数５０２】
2019515540.tif 000509
に対して重み付けを実施するのに用いられ、
【数５０３】
2019515540.tif 000510
は
【数５０４】
2019515540.tif 000511
に対して重み付けを実施するのに用いられ、ｍは整数であり、０≦ｍ≦Ｒ−１であり、ｎは整数であり、０≦ｎ≦Ｓ−１であり、
【数５０５】
2019515540.tif 000512
は前記第３チャネル情報が示す、前記参照信号のための前記２つのアンテナポートグループ間の前記位相差であり、
【数５０６】
2019515540.tif 000513
は正規化係数である、
請求項２に記載の第１デバイス。
【請求項４】
【数５０７】
2019515540.tif 000514
は
【数５０８】
2019515540.tif 000515
と同じであり、
【数５０９】
2019515540.tif 000516
は
【数５１０】
2019515540.tif 000517
と異なる、または、
【数５１１】
2019515540.tif 000518
は
【数５１２】
2019515540.tif 000519
と異なり、
【数５１３】
2019515540.tif 000520
は
【数５１４】
2019515540.tif 000521
と異なる、
請求項３に記載の第１デバイス。
【請求項５】
前記処理モジュールはさらに、前記参照信号を測定して第４チャネル情報を取得するよう構成され、
前記送信モジュールはさらに、前記第４チャネル情報を前記第２デバイスへ送信するよう構成され、
前記第４チャネル情報は、前記Ｍ個の第１ベクトルから前記Ｎ個の第１ベクトルを選択するのに用いられる選択情報を含み、
前記第４チャネル情報は、同じく、前記プリコーディング行列を構成するのに用いられ、
前記第２チャネル情報は、前記第４チャネル情報が示す前記Ｎ個の第１ベクトルに対して重み付け合成を実施するために用いられる前記重み付け合成係数についての前記情報のみを含む、
請求項１または２に記載の第１デバイス。
【請求項６】
前記処理モジュールはさらに、前記参照信号を測定して第７チャネル情報を取得するよう構成され、
前記送信モジュールはさらに、前記第７チャネル情報を前記第２デバイスへ送信するよう構成され、
前記第７チャネル情報は、前記Ｈ個の参照信号リソースポートグループからＹ個の参照信号リソースポートグループを選択するのに用いられる識別情報を含む、
請求項１から５のいずれか一項に記載の第１デバイス。
【請求項７】
前記第１チャネル情報は、Ｋ個のベクトルグループのうち、前記Ｍ個の第１ベクトルで構成されるＸ個のベクトルグループの各ベクトルグループのグループ番号を含み、前記Ｋ個のベクトルグループ内の全第１ベクトルが前記第１ベクトルの全体集合を構成し、Ｋは正の整数であり、ＸはＫ以下の正の整数である、請求項１から６のいずれか一項に記載の第１デバイス。
【請求項８】
前記第１チャネル情報のフィードバック方式は帯域幅ベースのフィードバックであり、前記第２チャネル情報のフィードバック方式はサブバンドベースのフィードバックである、請求項１から７のいずれか一項に記載の第１デバイス。
【請求項９】
参照信号を第１デバイスへ送信するよう構成された送信モジュールであって、前記参照信号はＳ個のアンテナポートで送信され、前記Ｓ個のアンテナポートは、Ｈ個の参照信号リソースポートグループに属し、ＳおよびＨは１以上の整数である、送信モジュールと、
前記第１デバイスから第１チャネル情報および第２チャネル情報を受信するよう構成される受信モジュールであって、前記第１チャネル情報および前記第２チャネル情報は、前記第１デバイスが、受信した前記参照信号を測定して取得し、前記第１チャネル情報はＭ個の第１ベクトルの識別情報を含み、Ｍは２以上の整数であり、前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、
前記重み付け合成係数は第１係数および／または第２係数を含み、前記第１係数は振幅係数であり、前記第２係数は位相係数または時間遅延係数であり、前記第１ベクトルの次元は、各参照信号リソースポートグループ内のアンテナポートの数であり、または前記第１ベクトルの次元は、各参照信号リソースポートグループ内のアンテナポートの数の半分である、受信モジュールと、
前記第１チャネル情報および前記第２チャネル情報に基づき前記プリコーディング行列を生成するよう構成された処理モジュールと
を備え、
前記送信モジュールはさらに、前記処理モジュールが生成した前記プリコーディング行列に基づきデータを前記第１デバイスへ送信するよう構成される、
第２デバイス。
【請求項１０】
前記受信モジュールはさらに、前記第１デバイスから第３チャネル情報を受信するよう構成され、前記第３チャネル情報は、前記第１デバイスが、前記参照信号を測定して取得し、
前記第３チャネル情報は、前記参照信号のための２つのアンテナポートグループ間の位相差を示すのに用いられ、
前記処理モジュールは具体的には、前記第１チャネル情報、前記第２チャネル情報、および前記第３チャネル情報に基づき前記プリコーディング行列を生成するよう構成される、
請求項９に記載の第２デバイス。
【請求項１１】
前記第１チャネル情報、前記第２チャネル情報、および前記第３チャネル情報は、ランクが２の前記プリコーディング行列を以下の方式
【数５１５】
2019515540.tif 000522
で構成し、
【数５１６】
2019515540.tif 000523
であり、
【数５１７】
2019515540.tif 000524
であり、
ＲおよびＳは正の整数であり、Ｒ≦Ｍであり、Ｓ≦Ｍであり、
【数５１８】
2019515540.tif 000525
および
【数５１９】
2019515540.tif 000526
は互いに組み合わせられて前記Ｍ個の第１ベクトルを構成し、
【数５２０】
2019515540.tif 000527
および
【数５２１】
2019515540.tif 000528
は重み付け合成係数であり、
【数５２２】
2019515540.tif 000529
は
【数５２３】
2019515540.tif 000530
に対して重み付けを実施するのに用いられ、
【数５２４】
2019515540.tif 000531
は
【数５２５】
2019515540.tif 000532
に対して重み付けを実施するのに用いられ、
【数５２６】
2019515540.tif 000533
は
【数５２７】
2019515540.tif 000534
に対して重み付けを実施するのに用いられ、
【数５２８】
2019515540.tif 000535
は
【数５２９】
2019515540.tif 000536
に対して重み付けを実施するのに用いられ、
【数５３０】
2019515540.tif 000537
は
【数５３１】
2019515540.tif 000538
に対して重み付けを実施するのに用いられ、
【数５３２】
2019515540.tif 000539
は
【数５３３】
2019515540.tif 000540
に対して重み付けを実施するのに用いられ、ｍは整数であり、０≦ｍ≦Ｒ−１であり、ｎは整数であり、０≦ｎ≦Ｓ−１であり、
【数５３４】
2019515540.tif 000541
は、前記第３チャネル情報が示す、前記参照信号のための前記２つのアンテナポートグループ間の前記位相差であり、
【数５３５】
2019515540.tif 000542
は正規化係数である、
請求項１０に記載の第２デバイス。
【請求項１２】
【数５３６】
2019515540.tif 000543
は
【数５３７】
2019515540.tif 000544
と同じであり、
【数５３８】
2019515540.tif 000545
は
【数５３９】
2019515540.tif 000546
と異なる、または、
【数５４０】
2019515540.tif 000547
は
【数５４１】
2019515540.tif 000548
と異なり、
【数５４２】
2019515540.tif 000549
は
【数５４３】
2019515540.tif 000550
と異なる、
請求項１１に記載の第２デバイス。
【請求項１３】
前記受信モジュールはさらに、前記第１デバイスから第４チャネル情報を受信するよう構成され、前記第４チャネル情報は、前記第１デバイスが、前記参照信号を測定して取得し、
前記第４チャネル情報は、前記Ｍ個の第１ベクトルから前記Ｎ個の第１ベクトルを選択するのに用いられる選択情報を含み、
前記処理モジュールは具体的には、前記第１チャネル情報、前記第２チャネル情報、および前記第４チャネル情報に基づき前記プリコーディング行列を生成するよう構成され、
前記第２チャネル情報は、前記第４チャネル情報が示す前記Ｎ個の第１ベクトルに対して重み付け合成を実施するために用いられる前記重み付け合成係数についての前記情報のみを含む、
請求項９または１０に記載の第２デバイス。
【請求項１４】
前記受信モジュールはさらに、前記第１デバイスから第７チャネル情報を受信するよう構成され、前記第７チャネル情報は、前記第１デバイスが、前記参照信号を測定して取得し、
前記第７チャネル情報は、前記Ｈ個の参照信号リソースポートグループからＹ個の参照信号リソースポートグループを選択するのに用いられる識別情報を含み、
前記処理モジュールはさらに、前記第１チャネル情報、前記第２チャネル情報、および前記第７チャネル情報に基づき前記プリコーディング行列を生成するよう構成される、
請求項９から１３のいずれか一項に記載の第２デバイス。
【請求項１５】
前記第１チャネル情報は、Ｋ個のベクトルグループのうち、前記Ｍ個の第１ベクトルで構成されるＸ個のベクトルグループの各ベクトルグループのグループ番号を含み、前記Ｋ個のベクトルグループ内の全第１ベクトルが前記第１ベクトルの全体集合を構成し、Ｋは正の整数であり、ＸはＫ以下の正の整数である、請求項９から１４のいずれか一項に記載の第２デバイス。
【請求項１６】
前記第１チャネル情報のフィードバック方式は帯域幅ベースのフィードバックであり、前記第２チャネル情報のフィードバック方式はサブバンドベースのフィードバックである、請求項９から１５のいずれか一項に記載の第２デバイス。
【請求項１７】
第２デバイスが送信した参照信号を受信するよう構成された受信モジュールと、
前記参照信号を測定して第１チャネル情報および第２チャネル情報を取得するよう構成される処理モジュールと、
前記第１チャネル情報および前記第２チャネル情報を前記第２デバイスへ送信するよう構成される送信モジュールと
を備え、
前記第１チャネル情報は、前記参照信号のためのＭ個のアンテナポートのうちＮ個のアンテナポートの識別情報を含み、Ｍは２以上の整数であり、ＮはＭ以下の正の整数であり、
前記第２チャネル情報は、前記Ｎ個のアンテナポートに対して重み付け合成を実施するために用いられる重み付け合成係数についての情報を含み、
前記重み付け合成係数は第１係数および／または第２係数を含み、
前記第１係数は振幅係数であり、前記第２係数は位相係数または時間遅延係数であり、
前記第１チャネル情報および前記第２チャネル情報は、プリコーディング行列を構成するのに用いられる、
第１デバイス。
【請求項１８】
前記処理モジュールはさらに、前記参照信号を測定して第３チャネル情報を取得するよう構成され、
前記送信モジュールはさらに、前記第３チャネル情報を前記第２デバイスへ送信するよう構成され、
前記第３チャネル情報は、前記Ｍ個のアンテナポートをグループ分けして取得される２つのアンテナポートグループ間の位相差を含み、
前記第３チャネル情報は、同じく、前記プリコーディング行列を構成するのに用いられる、
請求項１７に記載の第１デバイス。
【請求項１９】
前記第１チャネル情報、前記第２チャネル情報、および前記第３チャネル情報は、ランクが１の前記プリコーディング行列を以下の方式
【数５４４】
2019515540.tif 000551
で構成し、
【数５４５】
2019515540.tif 000552
であり、
【数５４６】
2019515540.tif 000553
であり、
【数５４７】
2019515540.tif 000554
は前記第１チャネル情報に対応し、
【数５４８】
2019515540.tif 000555
は、Ｎ／２個のポートに対して重み付け合成を実施するために用いられる重み付け合成係数であり、
【数５４９】
2019515540.tif 000556
は、
【数５５０】
2019515540.tif 000557
番目のポートおよび（
【数５５１】
2019515540.tif 000558
＋Ｎ／２）番目のポートに対して重み付けを実施するのに用いられ、
【数５５２】
2019515540.tif 000559
は、
【数５５３】
2019515540.tif 000560
番目のポートおよび（
【数５５４】
2019515540.tif 000561
＋Ｎ／２）番目のポートに対して重み付けを実施するのに用いられ、
【数５５５】
2019515540.tif 000562
は、
【数５５６】
2019515540.tif 000563
番目のポートおよび（
【数５５７】
2019515540.tif 000564
＋Ｎ／２）番目のポートに対して重み付けを実施するのに用いられ、ｍは整数であり、０≦ｍ≦Ｍ−１であり、
【数５５８】
2019515540.tif 000565
は、前記第３チャネル情報が示す、前記参照信号のための前記２つのアンテナポートグループ間の前記位相差であり、
【数５５９】
2019515540.tif 000566
の行の数はＭであり、
【数５６０】
2019515540.tif 000567
は正規化係数である、
請求項１８に記載の第１デバイス。
【請求項２０】
前記第１チャネル情報、前記第２チャネル情報、および前記第３チャネル情報は、ランクが２の前記プリコーディング行列を以下の方式
【数５６１】
2019515540.tif 000568
で構成し、
【数５６２】
2019515540.tif 000569
であり、
【数５６３】
2019515540.tif 000570
であり、
ＲおよびＳは正の整数であり、Ｒ≦Ｍであり、Ｓ≦Ｍであり、
【数５６４】
2019515540.tif 000571
および
【数５６５】
2019515540.tif 000572
は重み付け合成係数であり、
【数５６６】
2019515540.tif 000573
は、
【数５６７】
2019515540.tif 000574
番目のポートおよび（
【数５６８】
2019515540.tif 000575
＋Ｎ／２）番目のポートに対して重み付けを実施するのに用いられ、
【数５６９】
2019515540.tif 000576
は、
【数５７０】
2019515540.tif 000577
番目のポートおよび（
【数５７１】
2019515540.tif 000578
＋Ｎ／２）番目のポートに対して重み付けを実施するのに用いられ、
【数５７２】
2019515540.tif 000579
は、
【数５７３】
2019515540.tif 000580
番目のポートおよび（
【数５７４】
2019515540.tif 000581
＋Ｎ／２）番目のポートに対して重み付けを実施するのに用いられ、
【数５７５】
2019515540.tif 000582
は、
【数５７６】
2019515540.tif 000583
番目のポートおよび（
【数５７７】
2019515540.tif 000584
＋Ｎ／２）番目のポートに対して重み付けを実施するのに用いられ、
【数５７８】
2019515540.tif 000585
は、
【数５７９】
2019515540.tif 000586
番目のポートおよび（
【数５８０】
2019515540.tif 000587
＋Ｎ／２）番目のポートに対して重み付けを実施するのに用いられ、
【数５８１】
2019515540.tif 000588
は、
【数５８２】
2019515540.tif 000589
番目のポートおよび（
【数５８３】
2019515540.tif 000590
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数５８４】
2019515540.tif 000591
は、前記第３チャネル情報が示す、前記参照信号のための前記２つのアンテナポートグループ間の前記位相差であり、
【数５８５】
2019515540.tif 000592
は正規化係数である、
請求項１８に記載の第１デバイス。
【請求項２１】
前記第２チャネル情報は時間遅延係数であり、
前記第１チャネル情報および前記第２チャネル情報で構成される前記プリコーディング行列の時間ドメイン形式は以下の通り
【数５８６】
2019515540.tif 000593
であり、
【数５８７】
2019515540.tif 000594
は、前記Ｎ個の第１ベクトルのうちｍ番目のベクトルに対応する時間遅延係数である、
請求項１７から２０のいずれか一項に記載の第１デバイス。
【請求項２２】
前記第１チャネル情報のフィードバック方式は帯域幅ベースのフィードバックであり、前記第２チャネル情報のフィードバック方式はサブバンドベースのフィードバックである、請求項１７から２１のいずれか一項に記載の第１デバイス。
【請求項２３】
参照信号を第１デバイスへ送信するよう構成された送信モジュールと、
前記第１デバイスから第１チャネル情報および第２チャネル情報を受信するよう構成される受信モジュールであって、前記第１チャネル情報および前記第２チャネル情報は、前記第１デバイスが、受信した前記参照信号を測定して取得し、前記第１チャネル情報は、前記参照信号のためのＭ個のアンテナポートのうちＮ個のアンテナポートの識別情報を含み、Ｍは２以上の整数であり、ＮはＭ以下の正の整数であり、
前記第２チャネル情報は、前記Ｎ個のアンテナポートに対して重み付け合成を実施するために用いられる重み付け合成係数についての情報を含み、前記重み付け合成係数は第１係数および／または第２係数を含み、前記第１係数は振幅係数であり、前記第２係数は位相係数または時間遅延係数である、受信モジュールと、
前記第１チャネル情報および前記第２チャネル情報に基づきプリコーディング行列を生成するよう構成された処理モジュールと
を備え、
前記送信モジュールはさらに、前記処理モジュールが生成した前記プリコーディング行列に基づきデータを前記第１デバイスへ送信するよう構成される、
第２デバイス。
【請求項２４】
前記受信モジュールはさらに、前記第１デバイスから第３チャネル情報を受信するよう構成され、前記第３チャネル情報は、前記第１デバイスが、前記参照信号を測定して取得し、
前記第３チャネル情報は、前記Ｍ個のアンテナポートをグループ分けして取得される２つのアンテナポートグループ間の位相差を含み、
前記処理モジュールは具体的には、前記第１チャネル情報、前記第２チャネル情報、および前記第３チャネル情報に基づき前記プリコーディング行列を生成するよう構成される、
請求項２３に記載の第２デバイス。
【請求項２５】
前記処理モジュールは具体的には、ランクが１の前記プリコーディング行列を以下の方式
【数５８８】
2019515540.tif 000595
で生成するよう構成され、
【数５８９】
2019515540.tif 000596
であり、
【数５９０】
2019515540.tif 000597
であり、
【数５９１】
2019515540.tif 000598
は前記第１チャネル情報に対応し、
【数５９２】
2019515540.tif 000599
は、前記Ｎ／２個のポートに対して重み付け合成を実施するために用いられる重み付け合成係数であり、
【数５９３】
2019515540.tif 000600
は、
【数５９４】
2019515540.tif 000601
番目のポートおよび（
【数５９５】
2019515540.tif 000602
＋Ｎ／２）番目のポートに対して重み付けを実施するのに用いられ、
【数５９６】
2019515540.tif 000603
は、
【数５９７】
2019515540.tif 000604
番目のポートおよび（
【数５９８】
2019515540.tif 000605
＋Ｎ／２）番目のポートに対して重み付けを実施するのに用いられ、
【数５９９】
2019515540.tif 000606
は、
【数６００】
2019515540.tif 000607
番目のポートおよび（
【数６０１】
2019515540.tif 000608
＋Ｎ／２）番目のポートに対して重み付けを実施するのに用いられ、ｍは整数であり、０≦ｍ≦Ｍ−１であり、
【数６０２】
2019515540.tif 000609
は、前記第３チャネル情報が示す、前記参照信号のための前記２つのアンテナポートグループ間の前記位相差であり、
【数６０３】
2019515540.tif 000610
の行の数はＭであり、
【数６０４】
2019515540.tif 000611
は正規化係数である、
請求項２４に記載の第２デバイス。
【請求項２６】
前記処理モジュールは具体的には、ランクが２の前記プリコーディング行列を以下の方式
【数６０５】
2019515540.tif 000612
で生成するよう構成され、
【数６０６】
2019515540.tif 000613
であり、
【数６０７】
2019515540.tif 000614
であり、
ＲおよびＳは正の整数であり、Ｒ≦Ｍであり、Ｓ≦Ｍであり、
【数６０８】
2019515540.tif 000615
および
【数６０９】
2019515540.tif 000616
は重み付け合成係数であり、
【数６１０】
2019515540.tif 000617
は、
【数６１１】
2019515540.tif 000618
番目のポートおよび（
【数６１２】
2019515540.tif 000619
＋Ｎ／２）番目のポートに対して重み付けを実施するのに用いられ、
【数６１３】
2019515540.tif 000620
は、
【数６１４】
2019515540.tif 000621
番目のポートおよび（
【数６１５】
2019515540.tif 000622
＋Ｎ／２）番目のポートに対して重み付けを実施するのに用いられ、
【数６１６】
2019515540.tif 000623
は、
【数６１７】
2019515540.tif 000624
番目のポートおよび（
【数６１８】
2019515540.tif 000625
＋Ｎ／２）番目のポートに対して重み付けを実施するのに用いられ、
【数６１９】
2019515540.tif 000626
は、
【数６２０】
2019515540.tif 000627
番目のポートおよび（
【数６２１】
2019515540.tif 000628
＋Ｎ／２）番目のポートに対して重み付けを実施するのに用いられ、
【数６２２】
2019515540.tif 000629
は、
【数６２３】
2019515540.tif 000630
番目のポートおよび（
【数６２４】
2019515540.tif 000631
＋Ｎ／２）番目のポートに対して重み付けを実施するのに用いられ、
【数６２５】
2019515540.tif 000632
は、
【数６２６】
2019515540.tif 000633
番目のポートおよび（
【数６２７】
2019515540.tif 000634
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数６２８】
2019515540.tif 000635
は、前記第３チャネル情報が示す、前記参照信号のための前記２つのアンテナポートグループ間の前記位相差であり、
【数６２９】
2019515540.tif 000636
は正規化係数である、
請求項２４に記載の第２デバイス。
【請求項２７】
前記第２チャネル情報は時間遅延係数であり、
前記処理モジュールは具体的には、時間ドメイン形式の前記プリコーディング行列を以下の方式
【数６３０】
2019515540.tif 000637
で生成するよう構成され、
【数６３１】
2019515540.tif 000638
は、前記Ｎ個の第１ベクトルのうちｍ番目のベクトルに対応する前記時間遅延係数である、
請求項２３から２６のいずれか一項に記載の第２デバイス。
【請求項２８】
前記第１チャネル情報のフィードバック方式は帯域幅ベースのフィードバックであり、前記第２チャネル情報のフィードバック方式はサブバンドベースのフィードバックである、請求項２３から２７のいずれか一項に記載の第２デバイス。
【請求項２９】
第２デバイスが送信した参照信号を第１デバイスが受信する段階であって、前記参照信号はＳ個のアンテナポートで送信され、前記Ｓ個のアンテナポートは、Ｈ個の参照信号リソースポートグループに属し、ＳおよびＨは１以上の整数である、段階と、
前記第１デバイスが、受信した前記参照信号を測定して第１チャネル情報および第２チャネル情報を取得する段階と、
前記第１デバイスが、前記第１チャネル情報および前記第２チャネル情報を前記第２デバイスへ送信する段階と
を備え、
前記第１チャネル情報はＭ個の第１ベクトルの識別情報を含み、Ｍは２以上の整数であり、
前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、
前記重み付け合成係数は第１係数および／または第２係数を含み、
前記第１係数は振幅係数であり、前記第２係数は位相係数または時間遅延係数であり、
前記第１チャネル情報および前記第２チャネル情報は、プリコーディング行列を構成するのに用いられ、
前記第１ベクトルの次元は、各参照信号リソースポートグループ内のアンテナポートの数であり、または前記第１ベクトルの次元は、各参照信号リソースポートグループ内のアンテナポートの数の半分である、
チャネル情報送信方法。
【請求項３０】
前記第１デバイスが、前記参照信号を測定して第３チャネル情報を取得する段階と、
前記第１デバイスが、前記第３チャネル情報を前記第２デバイスへ送信する段階と
をさらに備え、
前記第３チャネル情報は、前記参照信号のための２つのアンテナポートグループ間の位相差を示すのに用いられ、
前記第３チャネル情報は、同じく、前記プリコーディング行列を構成するのに用いられる、
請求項２９に記載の方法。
【請求項３１】
前記第１チャネル情報、前記第２チャネル情報、および前記第３チャネル情報は、ランクが２の前記プリコーディング行列を以下の方式
【数６３２】
2019515540.tif 000639
で構成し、
【数６３３】
2019515540.tif 000640
であり、
【数６３４】
2019515540.tif 000641
であり、
ＲおよびＳは正の整数であり、Ｒ≦Ｍであり、Ｓ≦Ｍであり、
【数６３５】
2019515540.tif 000642
および
【数６３６】
2019515540.tif 000643
は互いに組み合わせられて前記Ｍ個の第１ベクトルを構成し、
【数６３７】
2019515540.tif 000644
および
【数６３８】
2019515540.tif 000645
は重み付け合成係数であり、
【数６３９】
2019515540.tif 000646
は
【数６４０】
2019515540.tif 000647
に対して重み付けを実施するのに用いられ、
【数６４１】
2019515540.tif 000648
は
【数６４２】
2019515540.tif 000649
に対して重み付けを実施するのに用いられ、
【数６４３】
2019515540.tif 000650
は
【数６４４】
2019515540.tif 000651
に対して重み付けを実施するのに用いられ、
【数６４５】
2019515540.tif 000652
は
【数６４６】
2019515540.tif 000653
に対して重み付けを実施するのに用いられ、
【数６４７】
2019515540.tif 000654
は
【数６４８】
2019515540.tif 000655
に対して重み付けを実施するのに用いられ、
【数６４９】
2019515540.tif 000656
は
【数６５０】
2019515540.tif 000657
に対して重み付けを実施するのに用いられ、ｍは整数であり、０≦ｍ≦Ｒ−１であり、ｎは整数であり、０≦ｎ≦Ｓ−１であり、
【数６５１】
2019515540.tif 000658
は、前記第３チャネル情報が示す、前記参照信号のための前記２つのアンテナポートグループ間の前記位相差であり、
【数６５２】
2019515540.tif 000659
は正規化係数である、
請求項３０に記載の方法。
【請求項３２】
【数６５３】
2019515540.tif 000660
は
【数６５４】
2019515540.tif 000661
と同じであり、
【数６５５】
2019515540.tif 000662
は
【数６５６】
2019515540.tif 000663
と異なる、または、
【数６５７】
2019515540.tif 000664
は
【数６５８】
2019515540.tif 000665
と異なり、
【数６５９】
2019515540.tif 000666
は
【数６６０】
2019515540.tif 000667
と異なる、
請求項３１に記載の方法。
【請求項３３】
前記第１デバイスが、前記参照信号を測定して第４チャネル情報を取得する段階と、
前記第１デバイスが、前記第４チャネル情報を前記第２デバイスへ送信する段階と
をさらに備え、
前記第４チャネル情報は、前記Ｍ個の第１ベクトルから前記Ｎ個の第１ベクトルを選択するのに用いられる選択情報を含み、
前記第４チャネル情報は、同じく、前記プリコーディング行列を構成するのに用いられ、
前記第２チャネル情報は、前記第４チャネル情報が示す前記Ｎ個の第１ベクトルに対して重み付け合成を実施するために用いられる前記重み付け合成係数についての前記情報のみを含む、
請求項２９または３０に記載の方法。
【請求項３４】
前記第１デバイスが、前記参照信号を測定して第７チャネル情報を取得する段階と、
前記第１デバイスが、前記第７チャネル情報を前記第２デバイスへ送信する段階と
をさらに備え、
前記第７チャネル情報は、前記Ｈ個の参照信号リソースポートグループからＹ個の参照信号リソースポートグループを選択するのに用いられる識別情報を含む、
請求項２９から３３のいずれか一項に記載の方法。
【請求項３５】
前記第１チャネル情報は、Ｋ個のベクトルグループのうち、前記Ｍ個の第１ベクトルで構成されるＸ個のベクトルグループの各ベクトルグループのグループ番号を含み、前記Ｋ個のベクトルグループ内の全第１ベクトルが前記第１ベクトルの全体集合を構成し、Ｋは正の整数であり、ＸはＫ以下の正の整数である、請求項２９から３４のいずれか一項に記載の方法。
【請求項３６】
前記第１チャネル情報のフィードバック方式は帯域幅ベースのフィードバックであり、前記第２チャネル情報のフィードバック方式はサブバンドベースのフィードバックである、請求項２９から３５のいずれか一項に記載の方法。
【請求項３７】
第２デバイスが、参照信号を第１デバイスへ送信する段階であって、前記参照信号はＳ個のアンテナポートで送信され、前記Ｓ個のアンテナポートは、Ｈ個の参照信号リソースポートグループに属し、ＳおよびＨは１以上の整数である、段階と、
前記第２デバイスが、前記第１デバイスから第１チャネル情報および第２チャネル情報を受信する段階であって、前記第１チャネル情報および前記第２チャネル情報は前記第１デバイスが、受信した前記参照信号を測定して取得し、前記第１チャネル情報はＭ個の第１ベクトルの識別情報を含み、Ｍは２以上の整数であり、前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、前記重み付け合成係数は第１係数および／または第２係数を含み、前記第１係数は振幅係数であり、前記第２係数は位相係数または時間遅延係数であり、前記第１ベクトルの次元は、各参照信号リソースポートグループ内のアンテナポートの数であり、または前記第１ベクトルの次元は、各参照信号リソースポートグループ内のアンテナポートの数の半分である、段階と、
前記第２デバイスが、前記第１チャネル情報および前記第２チャネル情報に基づき前記プリコーディング行列を生成する段階と、
前記第２デバイスが、生成した前記プリコーディング行列に基づきデータを前記第１デバイスへ送信する段階と
を備える、データ送信方法。
【請求項３８】
前記第２デバイスが、前記第１デバイスから第３チャネル情報を受信する段階であって、前記第３チャネル情報は、前記第１デバイスが、前記参照信号を測定して取得する、段階
をさらに備え、
前記第３チャネル情報は、前記参照信号のための２つのアンテナポートグループ間の位相差を示すのに用いられ、
前記第２デバイスが、前記第１チャネル情報および前記第２チャネル情報に基づき前記プリコーディング行列を生成する前記段階は、前記第２デバイスが、前記第１チャネル情報、前記第２チャネル情報、および前記第３チャネル情報に基づき前記プリコーディング行列を生成する段階を有する、
請求項３７に記載の方法。
【請求項３９】
前記第１チャネル情報、前記第２チャネル情報、および前記第３チャネル情報は、ランクが２の前記プリコーディング行列を以下の方式
【数６６１】
2019515540.tif 000668
で構成し、
【数６６２】
2019515540.tif 000669
であり、
【数６６３】
2019515540.tif 000670
であり、
ＲおよびＳは正の整数であり、Ｒ≦Ｍであり、Ｓ≦Ｍであり、
【数６６４】
2019515540.tif 000671
および
【数６６５】
2019515540.tif 000672
は互いに組み合わせられて前記Ｍ個の第１ベクトルを構成し、
【数６６６】
2019515540.tif 000673
および
【数６６７】
2019515540.tif 000674
は重み付け合成係数であり、
【数６６８】
2019515540.tif 000675
は
【数６６９】
2019515540.tif 000676
に対して重み付けを実施するのに用いられ、
【数６７０】
2019515540.tif 000677
は
【数６７１】
2019515540.tif 000678
に対して重み付けを実施するのに用いられ、
【数６７２】
2019515540.tif 000679
は
【数６７３】
2019515540.tif 000680
に対して重み付けを実施するのに用いられ、
【数６７４】
2019515540.tif 000681
は
【数６７５】
2019515540.tif 000682
に対して重み付けを実施するのに用いられ、
【数６７６】
2019515540.tif 000683
は
【数６７７】
2019515540.tif 000684
に対して重み付けを実施するのに用いられ、
【数６７８】
2019515540.tif 000685
は
【数６７９】
2019515540.tif 000686
に対して重み付けを実施するのに用いられ、ｍは整数であり、０≦ｍ≦Ｒ−１であり、ｎは整数であり、０≦ｎ≦Ｓ−１であり、
【数６８０】
2019515540.tif 000687
は、前記第３チャネル情報が示す、前記参照信号のための前記２つのアンテナポートグループ間の前記位相差であり、
【数６８１】
2019515540.tif 000688
は正規化係数である、
請求項３８に記載の方法。
【請求項４０】
【数６８２】
2019515540.tif 000689
は
【数６８３】
2019515540.tif 000690
と同じであり、
【数６８４】
2019515540.tif 000691
は
【数６８５】
2019515540.tif 000692
と異なる、または、
【数６８６】
2019515540.tif 000693
は
【数６８７】
2019515540.tif 000694
と異なり、
【数６８８】
2019515540.tif 000695
は
【数６８９】
2019515540.tif 000696
と異なる、
請求項３９に記載の方法。
【請求項４１】
前記第２デバイスが、前記第１デバイスから第４チャネル情報を受信する段階であって、前記第４チャネル情報は、前記第１デバイスが前記参照信号を測定して取得する、段階
をさらに備え、
前記第４チャネル情報は、前記Ｍ個の第１ベクトルから前記Ｎ個の第１ベクトルを選択するのに用いられる選択情報を含み、
前記第２デバイスが、前記第１チャネル情報および前記第２チャネル情報に基づき前記プリコーディング行列を生成する前記段階は、前記第２デバイスが、前記第１チャネル情報、前記第２チャネル情報、および前記第４チャネル情報に基づき前記プリコーディング行列を生成する段階を有し、
前記第２チャネル情報は、前記第４チャネル情報が示す前記Ｎ個の第１ベクトルに対して重み付け合成を実施するために用いられる前記重み付け合成係数についての前記情報のみを含む、
請求項３７または３８に記載の方法。
【請求項４２】
前記第２デバイスが、前記第１デバイスから第７チャネル情報を受信する段階であって、前記第７チャネル情報は、前記第１デバイスが、前記参照信号を測定して取得する、段階
をさらに備え、
前記第７チャネル情報は、前記Ｈ個の参照信号リソースポートグループからＹ個の参照信号リソースポートグループを選択するのに用いられる識別情報を含み、
前記第２デバイスが、前記第１チャネル情報および前記第２チャネル情報に基づき前記プリコーディング行列を生成する前記段階は、前記第２デバイスが、前記第１チャネル情報、前記第２チャネル情報、および前記第７チャネル情報に基づき前記プリコーディング行列を生成する段階を有する、
請求項３７から４１のいずれか一項に記載の方法。
【請求項４３】
前記第１チャネル情報は、Ｋ個のベクトルグループのうち、前記Ｍ個の第１ベクトルで構成されるＸ個のベクトルグループの各ベクトルグループのグループ番号を含み、前記Ｋ個のベクトルグループ内の全第１ベクトルが前記第１ベクトルの全体集合を構成し、Ｋは正の整数であり、ＸはＫ以下の正の整数である、請求項３７から４２のいずれか一項に記載の方法。
【請求項４４】
前記第１チャネル情報のフィードバック方式は帯域幅ベースのフィードバックであり、前記第２チャネル情報のフィードバック方式はサブバンドベースのフィードバックである、請求項３７から４３のいずれか一項に記載の方法。
【請求項４５】
第２デバイスが送信した参照信号を第１デバイスが受信する段階と、
前記第１デバイスが、受信した前記参照信号を測定して第１チャネル情報および第２チャネル情報を取得する段階と、
前記第１デバイスが、前記第１チャネル情報および前記第２チャネル情報を前記第２デバイスへ送信する段階と
を備え、
前記第１チャネル情報は、前記参照信号のためのＭ個のアンテナポートのうちＮ個のアンテナポートの識別情報を含み、Ｍは２以上の整数であり、ＮはＭ以下の正の整数であり、
前記第２チャネル情報は、前記Ｎ個のアンテナポートに対して重み付け合成を実施するために用いられる重み付け合成係数についての情報を含み、
前記重み付け合成係数は第１係数および／または第２係数を含み、
前記第１係数は振幅係数であり、前記第２係数は位相係数または時間遅延係数であり、
前記第１チャネル情報および前記第２チャネル情報は、プリコーディング行列を構成するのに用いられる、
チャネル情報送信方法。
【請求項４６】
前記第１デバイスが、前記参照信号を測定して第３チャネル情報を取得する段階と、
前記第１デバイスが、前記第３チャネル情報を前記第２デバイスへ送信する段階と
をさらに備え、
前記第３チャネル情報は、前記Ｍ個のアンテナポートをグループ分けして取得される２つのアンテナポートグループ間の位相差を含み、
前記第３チャネル情報は、同じく、前記プリコーディング行列を構成するのに用いられる、
請求項４５に記載の方法。
【請求項４７】
前記第１チャネル情報、前記第２チャネル情報、および前記第３チャネル情報は、ランクが１の前記プリコーディング行列を以下の方式、
【数６９０】
2019515540.tif 000697
で構成し、
【数６９１】
2019515540.tif 000698
であり、
【数６９２】
2019515540.tif 000699
であり、
【数６９３】
2019515540.tif 000700
は前記第１チャネル情報に対応し、
【数６９４】
2019515540.tif 000701
は、前記Ｎ／２個のポートに対して重み付け合成を実施するために用いられる重み付け合成係数であり、
【数６９５】
2019515540.tif 000702
は、
【数６９６】
2019515540.tif 000703
番目のポートおよび（
【数６９７】
2019515540.tif 000704
＋Ｎ／２）番目のポートに対して重み付けを実施するのに用いられ、
【数６９８】
2019515540.tif 000705
は、
【数６９９】
2019515540.tif 000706
番目のポートおよび（
【数７００】
2019515540.tif 000707
＋Ｎ／２）番目のポートに対して重み付けを実施するのに用いられ、
【数７０１】
2019515540.tif 000708
は、
【数７０２】
2019515540.tif 000709
番目のポートおよび（
【数７０３】
2019515540.tif 000710
＋Ｎ／２）番目のポートに対して重み付けを実施するのに用いられ、ｍは整数であり、０≦ｍ≦Ｍ−１であり、
【数７０４】
2019515540.tif 000711
は、前記第３チャネル情報が示す、前記参照信号のための前記２つのアンテナポートグループ間の前記位相差であり、
【数７０５】
2019515540.tif 000712
の行の数はＭであり、
【数７０６】
2019515540.tif 000713
は正規化係数である、請求項４６に記載の方法。
【請求項４８】
前記第１チャネル情報、前記第２チャネル情報、および前記第３チャネル情報は、ランクが２の前記プリコーディング行列を以下の方式
【数７０７】
2019515540.tif 000714
で構成し、
【数７０８】
2019515540.tif 000715
であり、
【数７０９】
2019515540.tif 000716
であり、
ＲおよびＳは正の整数であり、Ｒ≦Ｍであり、Ｓ≦Ｍであり、
【数７１０】
2019515540.tif 000717
および
【数７１１】
2019515540.tif 000718
は重み付け合成係数であり、
【数７１２】
2019515540.tif 000719
は、
【数７１３】
2019515540.tif 000720
番目のポートおよび（
【数７１４】
2019515540.tif 000721
＋Ｎ／２）番目のポートに対して重み付けを実施するのに用いられ、
【数７１５】
2019515540.tif 000722
は、
【数７１６】
2019515540.tif 000723
番目のポートおよび（
【数７１７】
2019515540.tif 000724
＋Ｎ／２）番目のポートに対して重み付けを実施するのに用いられ、
【数７１８】
2019515540.tif 000725
は、
【数７１９】
2019515540.tif 000726
番目のポートおよび（
【数７２０】
2019515540.tif 000727
＋Ｎ／２）番目のポートに対して重み付けを実施するのに用いられ、
【数７２１】
2019515540.tif 000728
は、
【数７２２】
2019515540.tif 000729
番目のポートおよび（
【数７２３】
2019515540.tif 000730
＋Ｎ／２）番目のポートに対して重み付けを実施するのに用いられ、
【数７２４】
2019515540.tif 000731
は、
【数７２５】
2019515540.tif 000732
番目のポートおよび（
【数７２６】
2019515540.tif 000733
＋Ｎ／２）番目のポートに対して重み付けを実施するのに用いられ、
【数７２７】
2019515540.tif 000734
は、
【数７２８】
2019515540.tif 000735
番目のポートおよび（
【数７２９】
2019515540.tif 000736
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数７３０】
2019515540.tif 000737
は、前記第３チャネル情報が示す、前記参照信号のための前記２つのアンテナポートグループ間の前記位相差であり、
【数７３１】
2019515540.tif 000738
は正規化係数である、
請求項４６に記載の方法。
【請求項４９】
前記第２チャネル情報は時間遅延係数であり、
前記第１チャネル情報および前記第２チャネル情報で構成される前記プリコーディング行列の時間ドメイン形式は以下の通り
【数７３２】
2019515540.tif 000739
であり、
【数７３３】
2019515540.tif 000740
は、前記Ｎ個の第１ベクトルのうちｍ番目のベクトルに対応する前記時間遅延係数である、
請求項４５から４８のいずれか一項に記載の方法。
【請求項５０】
前記第１チャネル情報のフィードバック方式は帯域幅ベースのフィードバックであり、前記第２チャネル情報のフィードバック方式はサブバンドベースのフィードバックである、請求項４５から４９のいずれか一項に記載の方法。
【請求項５１】
第２デバイスが、参照信号を第１デバイスへ送信する段階と、
前記第２デバイスが、前記第１デバイスから第１チャネル情報および第２チャネル情報を受信する段階であって、前記第１チャネル情報および前記第２チャネル情報は、前記第１デバイスが、受信した前記参照信号を測定して取得する、段階であって、前記第１チャネル情報は、前記参照信号のためのＭ個のアンテナポートのうちＮ個のアンテナポートの識別情報を含み、Ｍは２以上の整数であり、ＮはＭ以下の正の整数であり、前記第２チャネル情報は、前記Ｎ個のアンテナポートに対して重み付け合成を実施するために用いられる重み付け合成係数についての情報を含み、前記重み付け合成係数は第１係数および／または第２係数を含み、前記第１係数は振幅係数であり、前記第２係数は位相係数または時間遅延係数である、段階と、
前記第２デバイスが、前記第１チャネル情報および前記第２チャネル情報に基づきプリコーディング行列を生成する段階と、
前記第２デバイスが、生成した前記プリコーディング行列に基づきデータを前記第１デバイスへ送信する段階と
を備える、データ送信方法。
【請求項５２】
前記第２デバイスが、前記第１デバイスから第３チャネル情報を受信する段階であって、前記第３チャネル情報は、前記第１デバイスが、前記参照信号を測定して取得する、段階
をさらに備え、
前記第３チャネル情報は、前記Ｍ個のアンテナポートをグループ分けして取得される２つのアンテナポートグループ間の位相差を含み、
前記第２デバイスが、前記第１チャネル情報および前記第２チャネル情報に基づき前記プリコーディング行列を生成する前記段階は、前記第２デバイスが、前記第１チャネル情報、前記第２チャネル情報、および前記第３チャネル情報に基づき前記プリコーディング行列を生成する段階を有する、
請求項５１に記載の方法。
【請求項５３】
前記第２デバイスは、前記第１チャネル情報、前記第２チャネル情報、および前記第３チャネル情報に基づき、ランクが１の前記プリコーディング行列を以下の方式
【数７３４】
2019515540.tif 000741
で生成し、
【数７３５】
2019515540.tif 000742
であり、
【数７３６】
2019515540.tif 000743
であり、
【数７３７】
2019515540.tif 000744
は前記第１チャネル情報に対応し、
【数７３８】
2019515540.tif 000745
は、前記Ｎ／２個のポートに対して重み付け合成を実施するのに用いられる重み付け合成係数であり、
【数７３９】
2019515540.tif 000746
は、
【数７４０】
2019515540.tif 000747
番目のポートおよび（
【数７４１】
2019515540.tif 000748
＋Ｎ／２）番目のポートに対して重み付けを実施するのに用いられ、
【数７４２】
2019515540.tif 000749
は、
【数７４３】
2019515540.tif 000750
番目のポートおよび（
【数７４４】
2019515540.tif 000751
＋Ｎ／２）番目のポートに対して重み付けを実施するために用いられ、
【数７４５】
2019515540.tif 000752
は、
【数７４６】
2019515540.tif 000753
番目のポートおよび（
【数７４７】
2019515540.tif 000754
＋Ｎ／２）番目のポートに対して重み付けを実施するのに用いられ、ｍは整数であり、０≦ｍ≦Ｍ−１であり、
【数７４８】
2019515540.tif 000755
は、前記第３チャネル情報が示す、前記参照信号のための前記２つのアンテナポートグループ間の前記位相差であり、
【数７４９】
2019515540.tif 000756
の行の数はＭであり、
【数７５０】
2019515540.tif 000757
は正規化係数である、請求項５２に記載の方法。
【請求項５４】
前記第２デバイスは、前記第１チャネル情報、前記第２チャネル情報、および前記第３チャネル情報に基づき、ランクが２の前記プリコーディング行列を以下の方式
【数７５１】
2019515540.tif 000758
で生成し、
【数７５２】
2019515540.tif 000759
であり、
【数７５３】
2019515540.tif 000760
であり、
ＲおよびＳは正の整数であり、Ｒ≦Ｍであり、Ｓ≦Ｍであり、
【数７５４】
2019515540.tif 000761
および
【数７５５】
2019515540.tif 000762
は重み付け合成係数であり、
【数７５６】
2019515540.tif 000763
は、
【数７５７】
2019515540.tif 000764
番目のポートおよび（
【数７５８】
2019515540.tif 000765
＋Ｎ／２）番目のポートに対して重み付けを実施するのに用いられ、
【数７５９】
2019515540.tif 000766
は、
【数７６０】
2019515540.tif 000767
番目のポートおよび（
【数７６１】
2019515540.tif 000768
＋Ｎ／２）番目のポートに対して重み付けを実施するのに用いられ、
【数７６２】
2019515540.tif 000769
は、
【数７６３】
2019515540.tif 000770
番目のポートおよび（
【数７６４】
2019515540.tif 000771
＋Ｎ／２）番目のポートに対して重み付けを実施するのに用いられ、
【数７６５】
2019515540.tif 000772
は、
【数７６６】
2019515540.tif 000773
番目のポートおよび（
【数７６７】
2019515540.tif 000774
＋Ｎ／２）番目のポートに対して重み付けを実施するのに用いられ、
【数７６８】
2019515540.tif 000775
は、
【数７６９】
2019515540.tif 000776
番目のポートおよび（
【数７７０】
2019515540.tif 000777
＋Ｎ／２）番目のポートに対して重み付けを実施するのに用いられ、
【数７７１】
2019515540.tif 000778
は、
【数７７２】
2019515540.tif 000779
番目のポートおよび（
【数７７３】
2019515540.tif 000780
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数７７４】
2019515540.tif 000781
は、前記第３チャネル情報が示す、前記参照信号のための前記２つのアンテナポートグループ間の前記位相差であり、
【数７７５】
2019515540.tif 000782
は正規化係数である、
請求項５２に記載の方法。
【請求項５５】
前記第２チャネル情報は時間遅延係数であり、
前記第２デバイスは、前記第１チャネル情報、前記第２チャネル情報、および前記第３チャネル情報に基づき、時間ドメイン形式の前記プリコーディング行列を以下の方式
【数７７６】
2019515540.tif 000783
で生成し、
【数７７７】
2019515540.tif 000784
は、前記Ｎ個の第１ベクトルのうちｍ番目のベクトルに対応する前記時間遅延係数である、
請求項５１から５４のいずれか一項に記載の方法。
【請求項５６】
前記第１チャネル情報のフィードバック方式は帯域幅ベースのフィードバックであり、前記第２チャネル情報のフィードバック方式はサブバンドベースのフィードバックである、請求項５１から５５のいずれか一項に記載の方法。
【発明の詳細な説明】
【技術分野】
【０００１】
本願は、中国特許出願第２０１６１０３１９１６６．９号（中国特許庁への出願日は２０１６年５月１３日、発明の名称は「ＣＨＡＮＮＥＬ  ＩＮＦＯＲＭＡＴＩＯＮ  ＳＥＮＤＩＮＧ  ＭＥＴＨＯＤ，ＤＡＴＡ  ＳＥＮＤＩＮＧ  ＭＥＴＨＯＤ，ＡＮＤ  ＤＥＶＩＣＥ」）に基づき優先権を主張する。同特許出願はその全体が本明細書において参照により組み込まれる。
【０００２】
本願発明は無線通信技術の分野に関し、特に、チャネル情報送信方法、データ送信方法、およびデバイスに関する。
【背景技術】
【０００３】
現在、ロングタームエボリューション（Ｌｏｎｇ  Ｔｅｒｍ  Ｅｖｏｌｕｔｉｏｎ，ＬＴＥ）周波数分割複信（Ｆｒｅｑｕｅｎｃｙ  Ｄｉｖｉｓｉｏｎ  Ｄｕｐｌｅｘｉｎｇ，ＦＤＤ）システムにおいて、基地局が送信した参照信号に基づきユーザ機器（Ｕｓｅｒ  Ｅｑｕｉｐｍｅｎｔ，ＵＥ）がチャネル推定を実施し、それから、チャネル状態情報を決定し、チャネル状態情報をフィードバックする。チャネル状態情報は、ランクインジケータ（Ｒａｎｋ  Ｉｎｄｉｃａｔｏｒ，ＲＩ）、プリコーディング行列インデックス（Ｐｒｅｃｏｄｉｎｇ  Ｍａｔｒｉｘ  Ｉｎｄｉｃａｔｏｒ，ＰＭＩ）、およびチャネル品質インジケータ（Ｃｈａｎｎｅｌ  Ｑｕａｌｉｔｙ  Ｉｎｄｉｃａｔｏｒ，ＣＱＩ）を含む。
【０００４】
ＰＭＩは、プリコーディング行列のインデックスである。ＵＥはＰＭＩを基地局にフィードバックし、基地局は、受信したＰＭＩに基づき、対応するプリコーディング行列を決定し、決定したプリコーディング行列に基づきプリコーディング処理を実施し、ダウンリンク通信品質を向上させる。
【０００５】
現在、ＬＴＥ  ＦＤＤシステムにおいてＰＭＩをフィードバックする方式は、デュアルステージコードブック構造
【数１】
2019515540.tif 000003
式１（ここで、
【数２】
2019515540.tif 000004
である）に基づきプリコーディング行列Ｗをフィードバックすることである。
【０００６】
ここで、
【数３】
2019515540.tif 000005
、
【数４】
2019515540.tif 000006
、...
【数５】
2019515540.tif 000007
は、プリコーディング行列Ｗに対応するコードワード
【数６】
2019515540.tif 000008
が含むベクトルであり、ＤＦＴベクトルであってよく、Ｍは２以上の整数である。ベクトル
【数７】
2019515540.tif 000009
は、基地局の伝送アンテナポートの数に対応する長さを有する列ベクトルである。Ｍの値は予め設定された値であってよく、または、基地局によって予め構成された値であってよい。
【０００７】
チャネル行列ランクが１に等しい場合、
【数８】
2019515540.tif 000010
式２
である。
【０００８】
チャネル行列ランクが２に等しい場合、
【数９】
2019515540.tif 000011
式３
である。
【０００９】
ここで、
【数１０】
2019515540.tif 000012
はＭ個のベクトルを含む集合を示し、
【数１１】
2019515540.tif 000013
は、列選択情報および同相（ｃｏ‐ｐｈａｓｅ）情報を含む。
【００１０】
列選択情報
【数１２】
2019515540.tif 000014
は
【数１３】
2019515540.tif 000015
の単位ベクトルであり、
【数１４】
2019515540.tif 000016
の要素の値のみが１であり、他の全要素の値は０である。
【数１５】
2019515540.tif 000017
の場合も、
【数１６】
2019515540.tif 000018
の場合と同様である。
【００１１】
同相情報
【数１７】
2019515540.tif 000019
は、第２デバイス１０２の伝送アンテナの２つの偏波方向間の位相差であり、値は０から
【数１８】
2019515540.tif 000020
の範囲の任意の数字である。
【００１２】
現在のデュアルステージコードブック構造では、
【数１９】
2019515540.tif 000021
は、Ｍ個のベクトル、
【数２０】
2019515540.tif 000022
、
【数２１】
2019515540.tif 000023
【数２２】
2019515540.tif 000024
、...および
【数２３】
2019515540.tif 000025
から１つのベクトルを選択することにしか用いることが出来ない。その結果、プリコーディング行列Ｗのフィードバックは十分には精度が高くない。
【発明の概要】
【００１３】
このことを鑑み、プリコーディング行列に関するチャネル情報のフィードバック精度を向上させ、ダウンリンク適応性能をさらに向上させるチャネル情報送信方法、データ送信方法、およびデバイスが提供される。
【００１４】
第１の態様によると、本願発明の実施形態はチャネル情報送信方法を提供し、同方法は、
第２デバイスが参照信号を第１デバイスへ送信する段階であって、ここで、参照信号はＳ個のアンテナポートで送信され、Ｓ個のアンテナポートは、Ｈ個の参照信号リソースポートグループに属し、Ｈは１以上の整数である、送信する段階と、
第１デバイスが、参照信号を受信した後、受信した参照信号を測定して第１チャネル情報および第２チャネル情報を取得し、第２デバイスへ送信する段階と、
第２デバイスが、受信した第１チャネル情報および受信した第２チャネル情報に基づきプリコーディング行列を生成し、生成したプリコーディング行列に基づきデータを第１デバイスへ送信する段階と
を含む。
【００１５】
第１チャネル情報はＭ個の第１ベクトルの識別情報を含み、ここで、Ｍは２以上の整数である。第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数である。重み付け合成係数は、第１係数および／または第２係数を含む。第１係数は振幅係数であり、第２係数は位相係数または時間遅延係数である。
【００１６】
第１ベクトルの次元は、各参照信号リソースポートグループ内のアンテナポートの数であり、または第１ベクトルの次元は、各参照信号リソースポートグループ内のアンテナポートの数の半分である。
【００１７】
第１デバイスは、受信した参照信号に基づきチャネル推定を実施し、Ｍ個の第１ベクトルに対して重み付け合成を実施するために用いられる重み付け合成係数の第２チャネル情報を第２デバイスにフィードバックする。このように、第２デバイスは、プリコーディング行列を生成する際、複数の固有ベクトルから固有ベクトルを１つだけ選択するのではなく、受信した第２チャネル情報が示す重み付け合成係数に基づきＭ個の第１ベクトルに対して重み付け合成を実施してよく、これにより、生成したプリコーディング行列は精度がより高く、それにより、第２デバイスがデータを送信する際のリンク適応能力を向上させ、システム性能を向上させる。
【００１８】
オプションで、重み付け合成係数は要素０を含み、これにより、Ｎ個の第１ベクトルが選択される。
【００１９】
オプションで、第１デバイスはさらに、参照信号を測定して第３チャネル情報を取得し、第３チャネル情報を第２デバイスへ送信する。
【００２０】
第３チャネル情報は、参照信号のための２つのアンテナポートグループ間の位相差を示すのに用いられ、第２デバイスは、第１チャネル情報、第２チャネル情報、および第３チャネル情報に基づきプリコーディング行列を生成する。
【００２１】
オプションで、第１デバイスはさらに、参照信号を測定して第４チャネル情報を取得し、第４チャネル情報を第２デバイスへ送信する。
【００２２】
第４チャネル情報は、Ｍ個の第１ベクトルからＮ個の第１ベクトルを選択するのに用いられる選択情報を含む。
【００２３】
第２デバイスは、第１チャネル情報、第２チャネル情報、および第４チャネル情報に基づきプリコーディング行列を生成する。オプションで、第２デバイスは、第３チャネル情報に基づきプリコーディング行列を生成してよい。第２チャネル情報は、第４チャネル情報が示すＮ個の第１ベクトルに対して重み付け合成を実施するために用いられる重み付け合成係数についての情報のみを含む。
【００２４】
第１デバイスは第４チャネル情報をフィードバックし、これにより、Ｎ個の第１ベクトルを選択することが出来、したがって、第２チャネル情報の情報フィードバック量が減る。
【００２５】
オプションで、第１デバイスはさらに、参照信号を測定して第７チャネル情報を取得し、第７チャネル情報を第２デバイスへ送信する。第７チャネル情報は、Ｈ個の参照信号リソースポートグループからＹ個の参照信号リソースポートグループを選択するのに用いられる識別情報を含む。第２デバイスは、第１チャネル情報、第２チャネル情報、および第７チャネル情報に基づきプリコーディング行列を生成する。オプションで、第２デバイスは、第３チャネル情報および／または第４チャネル情報に基づきプリコーディング行列を生成してよい。
【００２６】
オプションで、第７チャネル情報は、他のチャネル情報と同じサブフレーム内でフィードバックされない。
【００２７】
オプションで、第１チャネル情報は、Ｋ個のベクトルグループのうち、Ｍ個の第１ベクトルを含むＸ個のベクトルグループの各ベクトルグループのグループ番号を含み、Ｋ個のベクトルグループ内の全第１ベクトルが、第１ベクトルの全体集合を構成し、ここで、Ｋは正の整数であり、ＸはＫ以下の正の整数である。
【００２８】
オプションで、Ｍ個の第１ベクトルは、Ｈ個の参照信号リソースポートグループから選択したＹ個の参照信号リソースポートグループに基づき測定を実施して取得され、ここで、Ｙは正の整数である。
【００２９】
オプションで、Ｍ個の第１ベクトルはＸ個のベクトルグループに対応し、各ベクトルグループは、Ｙ個の参照信号リソースポートグループのうち１つに対応し、Ｘ＝Ｙである。代わりに、Ｍ個の第１ベクトルはＸ個のベクトルグループに対応し、少なくとも２つのベクトルグループは、Ｙ個の参照信号リソースポートグループのうち１つに対応し、Ｘ＞Ｙである。
【００３０】
Ｍ個の第１ベクトルはグループ分けされ、これにより、複数の強いビームグループが選択されてよく、生成されるプリコーディング行列がより良好に実際のチャネル状態に適応することが出来、リンク適応性能が向上する。
【００３１】
オプションで、第１デバイスは、Ｘの値を示すのに用いられる情報を第２デバイスへ送信する。代わりに、第１デバイスは、Ｘの値を示すのに用いられる情報を第２デバイスから受信する。
【００３２】
オプションで、Ｋ個のベクトルグループのうち異なるベクトルグループが共通の第１ベクトルを含むか、または含まない。
【００３３】
Ｋ個のベクトルグループのうち異なるベクトルグループが同数の第１ベクトルを含むか、または異なる数の第１ベクトルを含む。
【００３４】
オプションで、Ｘ個のベクトルグループのうち異なるベクトルグループが共通の第２チャネル情報に対応し、それら異なるベクトルグループに関して、第１デバイスは、共通の第２チャネル情報を１つだけフィードバックする、または異なるベクトルグループは異なる第２チャネル情報に対応し、それら異なるベクトルグループに関して、第１デバイスは、第２チャネル情報を別々にフィードバックする。
【００３５】
オプションで、各チャネル情報は、柔軟なフィードバック方式でフィードバックされてよく、チャネル情報フィードバックの精度を向上させ、可能な限り情報フィードバック量を減らす。
【００３６】
例えば、第１チャネル情報のフィードバック方式は広帯域ベースのフィードバックであり、第２チャネル情報のフィードバック方式はサブバンドベースのフィードバックである。代わりに、第１チャネル情報のフィードバック方式および第２チャネル情報のフィードバック方式の両方がサブバンドベースのフィードバックであり、第１チャネル情報のためのフィードバック帯域幅は、第２チャネル情報のためのフィードバック帯域幅より大きい。
【００３７】
第１チャネル情報のフィードバック周期は、第２チャネル情報のフィードバック周期より長い。
【００３８】
他の例として、第１チャネル情報のフィードバック方式は広帯域ベースのフィードバックであり、第２チャネル情報のフィードバック方式および第３チャネル情報のフィードバック方式はサブバンドベースのフィードバックである。代わりに、第１チャネル情報のフィードバック方式、第２チャネル情報のフィードバック方式、および第３チャネル情報のフィードバック方式は全てサブバンドベースのフィードバックであり、第１チャネル情報のためのフィードバック帯域幅は、第２チャネル情報のためのフィードバック帯域幅および第３チャネル情報のためのフィードバック帯域幅より大きい。
【００３９】
第１チャネル情報のフィードバック周期は、第２チャネル情報のフィードバック周期および第３チャネル情報のフィードバック周期より長い。
【００４０】
他の例として、第１チャネル情報のフィードバック方式および第２チャネル情報のフィードバック方式は広帯域ベースのフィードバックであり、第３チャネル情報のフィードバック方式はサブバンドベースのフィードバックである。代わりに、第１チャネル情報のためのフィードバック帯域幅および第２チャネル情報のためのフィードバック帯域幅の両方が、第３チャネル情報のためのフィードバック帯域幅より大きい。
【００４１】
第１チャネル情報のフィードバック方式および第２チャネル情報のフィードバック方式は長期フィードバックであり、第３チャネル情報のフィードバック方式は短期フィードバックである。
【００４２】
代わりに、第１チャネル情報のフィードバック周期および第２チャネル情報のフィードバック周期の両方が、第３チャネル情報のフィードバック周期より長い。
【００４３】
他の例として、第１チャネル情報のフィードバック方式は広帯域ベースのフィードバックであり、第２チャネル情報のフィードバック方式、第３チャネル情報のフィードバック方式、および第４チャネル情報のフィードバック方式は全てサブバンドベースのフィードバックである。代わりに、第１チャネル情報のためのフィードバック帯域幅は、第２チャネル情報のためのフィードバック帯域幅、第３チャネル情報のためのフィードバック帯域幅、および第４チャネル情報のためのフィードバック帯域幅より大きい。
【００４４】
第１チャネル情報のフィードバック周期は、第２チャネル情報のフィードバック周期、第３チャネル情報のフィードバック周期、および第４チャネル情報のフィードバック周期より長い。
【００４５】
オプションで、第１チャネル情報のフィードバック方式および第２チャネル情報のフィードバック方式の両方が広帯域ベースのフィードバックであり、第３チャネル情報のフィードバック方式および第４チャネル情報のフィードバック方式の両方がサブバンドベースのフィードバックである。代わりに、第１チャネル情報のためのフィードバック帯域幅および第２チャネル情報のためのフィードバック帯域幅が、第３チャネル情報のためのフィードバック帯域幅および第４チャネル情報のためのフィードバック帯域幅より大きい。
【００４６】
第１チャネル情報のフィードバック周期および第２チャネル情報のフィードバック周期は、第３チャネル情報のフィードバック周期および第４チャネル情報のフィードバック周期より長い。
【００４７】
オプションで、第１チャネル情報のフィードバック方式、第２チャネル情報のフィードバック方式、および第４チャネル情報のフィードバック方式は全て広帯域ベースのフィードバックであり、第３チャネル情報のフィードバック方式はサブバンドベースのフィードバックである。代わりに、第１チャネル情報のためのフィードバック帯域幅、第２チャネル情報のためのフィードバック帯域幅、および第４チャネル情報のためのフィードバック帯域幅が、第３チャネル情報のためのフィードバック帯域幅より大きい。
【００４８】
第１チャネル情報のフィードバック周期、第２チャネル情報のフィードバック周期、および第４チャネル情報のフィードバック周期は、第３チャネル情報のフィードバック周期より長い。
【００４９】
オプションで、第１チャネル情報のフィードバック方式および第４チャネル情報のフィードバック方式の両方が広帯域ベースのフィードバックであり、第２チャネル情報のフィードバック方式および第３チャネル情報のフィードバック方式の両方がサブバンドベースのフィードバックである。代わりに、第１チャネル情報のためのフィードバック帯域幅および第４チャネル情報のためのフィードバック帯域幅が、第２チャネル情報のためのフィードバック帯域幅および第３チャネル情報のためのフィードバック帯域幅より大きい。
【００５０】
第１チャネル情報のフィードバック周期および第４チャネル情報のフィードバック周期は、第２チャネル情報のフィードバック周期および第３チャネル情報のフィードバック周期より長い。
【００５１】
オプションで、第１デバイスは、参照信号を測定して第５チャネル情報および第６チャネル情報を取得し、第１デバイスは、第５チャネル情報および第６チャネル情報を第２デバイスへ送信する。
【００５２】
第５チャネル情報は、第２デバイスから第１デバイスへの空間多重化されたデータの量を示すのに用いられる情報を含み、第６チャネル情報は、第２デバイスから第１デバイスへのチャネルのチャネル品質を示すのに用いられる情報を含む。
【００５３】
第２デバイスはさらに、第５チャネル情報および第６チャネル情報に基づきプリコーディング行列を生成する。
【００５４】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【００５５】
代わりに、第３チャネル情報がフィードバックされる場合、
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【００５６】
代わりに、第４チャネル情報がフィードバックされる場合、
第１チャネル情報、第４チャネル情報、および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報、第４チャネル情報、および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報および第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報、第３チャネル情報、および第４チャネル情報は、第３周期を用いて第３サブフレーム内でフィードバックされ、ここで、第１周期は第２周期以上であり、第２周期は第３周期以上である、または、
第５チャネル情報、第１チャネル情報、第２チャネル情報、および第４チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【００５７】
オプションで、第１チャネル情報、第２チャネル情報、および第３チャネル情報は、ランクが１のプリコーディング行列を以下の方式
【数２４】
2019515540.tif 000026
で構成し、ここで、
【数２５】
2019515540.tif 000027
はＭ個の第１ベクトルであり、
【数２６】
2019515540.tif 000028
は重み付け合成係数であり、ここで、
【数２７】
2019515540.tif 000029
は
【数２８】
2019515540.tif 000030
に対して重み付けを実施するのに用いられ、
【数２９】
2019515540.tif 000031
は
【数３０】
2019515540.tif 000032
に対して重み付けを実施するのに用いられ、
【数３１】
2019515540.tif 000033
は
【数３２】
2019515540.tif 000034
に対して重み付けを実施するのに用いられ、ｍは整数であり、０≦ｍ≦Ｍであり、
【数３３】
2019515540.tif 000035
は、第３チャネル情報が示す、参照信号のための２つのアンテナポートグループ間の位相差であり、
【数３４】
2019515540.tif 000036
は正規化係数である。
【００５８】
オプションで、
【数３５】
2019515540.tif 000037
は、Ｋ個のベクトルグループのうちグループ番号がｉのベクトルグループである。
【００５９】
Ｋ個のベクトルグループ内の全第１ベクトルが第１ベクトルの全体集合を構成し、Ｋは正の整数である。
【００６０】
第１チャネル情報は、ｉを示すのに用いられる情報を含む。
【００６１】
オプションで、
【数３６】
2019515540.tif 000038
であり、ここで、Ｘ個のベクトルグループ
【数３７】
2019515540.tif 000039
は、Ｋ個のベクトルグループのうちグループ番号が順に
【数３８】
2019515540.tif 000040
から
【数３９】
2019515540.tif 000041
までのベクトルグループであり、ｘは整数であり、０≦ｘ≦Ｘ−１であり、Ｘは正の整数である。
【００６２】
Ｋ個のベクトルグループ内の全第１ベクトルが第１ベクトルの全体集合を構成し、Ｋは正の整数である。
【００６３】
第１チャネル情報は、
【数４０】
2019515540.tif 000042
から
【数４１】
2019515540.tif 000043
を示すのに別々に用いられる情報を含む。
【００６４】
オプションで、第１チャネル情報、第２チャネル情報、第３チャネル情報、および第４チャネル情報は、ランクが１のプリコーディング行列を以下の方式
【数４２】
2019515540.tif 000044
で構成し、ここで、
【数４３】
2019515540.tif 000045
であり、
【数４４】
2019515540.tif 000046
であり、
【数４５】
2019515540.tif 000047
はＭ個の第１ベクトルであり、
【数４６】
2019515540.tif 000048
は、Ｎ個の第１ベクトルに対して重み付け合成を実施するために用いられる重み付け合成係数であり、ここで、
【数４７】
2019515540.tif 000049
は
【数４８】
2019515540.tif 000050
に対して重み付けを実施するのに用いられ、
【数４９】
2019515540.tif 000051
は
【数５０】
2019515540.tif 000052
に対して重み付けを実施するのに用いられ、
【数５１】
2019515540.tif 000053
は
【数５２】
2019515540.tif 000054
に対して重み付けを実施するのに用いられ、ｍは整数であり、０≦ｍ≦Ｍ−１であり、
【数５３】
2019515540.tif 000055
は、第３チャネル情報が示す、参照信号のための２つのアンテナポートグループ間の位相差であり、
【数５４】
2019515540.tif 000056
の行の数はＭであり、第４チャネル情報は
【数５５】
2019515540.tif 000057
から
【数５６】
2019515540.tif 000058
を示すのに用いられる情報であり、
【数５７】
2019515540.tif 000059
は正規化係数である。
【００６５】
オプションで、第１デバイスは、Ｎの値を示すのに用いられる情報を第２デバイスへ送信する。代わりに、第１デバイスは、Ｎの値を示すのに用いられる情報を第２デバイスから受信する。
【００６６】
オプションで、第４チャネル情報は、
【数５８】
2019515540.tif 000060
を示すのに用いられる。
【００６７】
代わりに、第４チャネル情報は、Ｍ個のビットを含む。Ｍ個のビットのうち、
【数５９】
2019515540.tif 000061
番目のビットから
【数６０】
2019515540.tif 000062
番目のビットは１であり、残りのビットは０である。
【００６８】
オプションで、第１チャネル情報、第２チャネル情報、および第３チャネル情報は、ランクが２のプリコーディング行列を以下の方式
【数６１】
2019515540.tif 000063
で構成し、ここで、
【数６２】
2019515540.tif 000064
であり、
【数６３】
2019515540.tif 000065
である。ＲおよびＳは正の整数であり、Ｒ≦Ｍであり、Ｓ≦Ｍであり、
【数６４】
2019515540.tif 000066
および
【数６５】
2019515540.tif 000067
は互いに組み合わせられてＭ個の第１ベクトルを構成し、
【数６６】
2019515540.tif 000068
および
【数６７】
2019515540.tif 000069
は重み付け合成係数であり、ここで、
【数６８】
2019515540.tif 000070
は
【数６９】
2019515540.tif 000071
に対して重み付けを実施するのに用いられ、
【数７０】
2019515540.tif 000072
は
【数７１】
2019515540.tif 000073
に対して重み付けを実施するのに用いられ、
【数７２】
2019515540.tif 000074
は
【数７３】
2019515540.tif 000075
に対して重み付けを実施するのに用いられ、
【数７４】
2019515540.tif 000076
は
【数７５】
2019515540.tif 000077
に対して重み付けを実施するのに用いられ、
【数７６】
2019515540.tif 000078
は
【数７７】
2019515540.tif 000079
に対して重み付けを実施するのに用いられ、
【数７８】
2019515540.tif 000080
は
【数７９】
2019515540.tif 000081
に対して重み付けを実施するのに用いられ、ｍは整数であり、０≦ｍ≦Ｒ−１であり、ｎは整数であり、０≦ｎ≦Ｓ−１であり、
【数８０】
2019515540.tif 000082
は、第３チャネル情報が示す、参照信号のための２つのアンテナポートグループ間の位相差であり、
【数８１】
2019515540.tif 000083
は正規化係数である。
【００６９】
オプションで、
【数８２】
2019515540.tif 000084
は
【数８３】
2019515540.tif 000085
と同じであり、
【数８４】
2019515540.tif 000086
は
【数８５】
2019515540.tif 000087
と異なる、または、
【数８６】
2019515540.tif 000088
は
【数８７】
2019515540.tif 000089
と異なり、
【数８８】
2019515540.tif 000090
は
【数８９】
2019515540.tif 000091
と同じである、または、
【数９０】
2019515540.tif 000092
は
【数９１】
2019515540.tif 000093
と異なり、
【数９２】
2019515540.tif 000094
は
【数９３】
2019515540.tif 000095
と異なる、または、
【数９４】
2019515540.tif 000096
は
【数９５】
2019515540.tif 000097
と同じであり、
【数９６】
2019515540.tif 000098
は
【数９７】
2019515540.tif 000099
と同じである。
【００７０】
オプションで、
【数９８】
2019515540.tif 000100
である。
【００７１】
Ｘ個のベクトルグループ
【数９９】
2019515540.tif 000101
は、Ｋ個のベクトルグループのうちグループ番号が順に
【数１００】
2019515540.tif 000102
から
【数１０１】
2019515540.tif 000103
までのベクトルグループであり、ｘは整数であり、０≦ｘ≦Ｘ−１であり、Ｘは正の整数である。
【００７２】
Ｋ個のベクトルグループ内の全第１ベクトルが第１ベクトルの全体集合を構成し、Ｋは正の整数である。
【００７３】
第１チャネル情報は、
【数１０２】
2019515540.tif 000104
から
【数１０３】
2019515540.tif 000105
を示すのに別々に用いられる情報を含む。
【００７４】
【数１０４】
2019515540.tif 000106
は、Ｈ番目の参照信号リソースポートグループのうちＹ個の参照信号リソースポートグループ内の第１参照信号リソースポートグループに対応し、
【数１０５】
2019515540.tif 000107
は、Ｈ番目の参照信号リソースポートグループのうちＹ個の参照信号リソースポートグループ内のｘ番目の参照信号リソースポートグループに対応し、
【数１０６】
2019515540.tif 000108
は、Ｈ番目の参照信号リソースポートグループのうちＹ個の参照信号リソースポートグループ内のＸ番目の参照信号リソースポートグループに対応する。
【００７５】
オプションで、第２チャネル情報は、時間遅延係数である。
【００７６】
第１チャネル情報および第２チャネル情報を含むプリコーディング行列の時間ドメイン形式は以下の通り
【数１０７】
2019515540.tif 000109
であり、ここで、
【数１０８】
2019515540.tif 000110
は、Ｎ個の第１ベクトルのうちｍ番目のベクトルに対応する時間遅延係数である。
【００７７】
オプションで、
【数１０９】
2019515540.tif 000111
はＭ個の第１ベクトルであり、
【数１１０】
2019515540.tif 000112
である。
【００７８】
【数１１１】
2019515540.tif 000113
のうち各第１ベクトルは、第２ベクトルグループ内の第２ベクトルおよび第３ベクトルグループ内の第３ベクトルのクロネッカー積であり、
【数１１２】
2019515540.tif 000114
であり、ここで、
【数１１３】
2019515540.tif 000115
は第１ベクトルであり、
【数１１４】
2019515540.tif 000116
は、番号がｐである第２ベクトルグループ内の番号が
【数１１５】
2019515540.tif 000117
である第２ベクトルであり、
【数１１６】
2019515540.tif 000118
は、番号がｔである第３ベクトルグループ内の番号が
【数１１７】
2019515540.tif 000119
である第３ベクトルである。
【００７９】
第１チャネル情報は、第１サブチャネル情報および第２サブチャネル情報を含む。
【００８０】
第１サブチャネル情報はｐを示すのに用いられ、第２サブチャネル情報はｔを示すのに用いられる。
【００８１】
【数１１８】
2019515540.tif 000120
であり、ここで、
【数１１９】
2019515540.tif 000121
は、アンテナアレイ内の第１次元アンテナポートの数であり、
【数１２０】
2019515540.tif 000122
は、第１次元アンテナのコードワードセットを構成するＤＦＴベクトルをオーバーサンプリングするために用いられる係数であり、
【数１２１】
2019515540.tif 000123
は正の整数である。
【００８２】
【数１２２】
2019515540.tif 000124
であり、ここで、
【数１２３】
2019515540.tif 000125
は、アンテナアレイ内の第２次元アンテナポートの数であり、
【数１２４】
2019515540.tif 000126
は、第２次元アンテナのコードワードセットを構成するＤＦＴベクトルをオーバーサンプリングするために用いられる係数であり、
【数１２５】
2019515540.tif 000127
は正の整数である。
【００８３】
オプションで、第２ベクトルグループの数は２以上であり、第３ベクトルグループの数は１に等しい、または、
第３ベクトルグループの数は２以上であり、第２ベクトルグループの数は１に等しい、または、
第３ベクトルグループの数は１に等しく、第２ベクトルグループの数は１に等しい。
【００８４】
オプションで、第２ベクトルおよび第３ベクトルは、ＤＦＴベクトルである。
【００８５】
第２ベクトルの全体集合が含むベクトルの数と、第３ベクトルの全体集合が含むベクトルの数とは、互いに独立して設定されている。
【００８６】
オプションで、第２チャネル情報は第３サブチャネル情報を含み、第３サブチャネル情報は第１係数を示すのに用いられる。
【００８７】
第３サブチャネル情報は、量子化されない。
【００８８】
代わりに、第１量子化が第３サブチャネル情報に対して実施され、第１量子化の量子化次数は予め設定された第１量子化次数閾値以下である。
【００８９】
オプションで、第２チャネル情報は第４サブチャネル情報を含み、第４サブチャネル情報は第２係数を示すのに用いられる。
【００９０】
第４サブチャネル情報は、量子化されない。
【００９１】
代わりに、第２量子化が第４サブチャネル情報に対して実施され、第２量子化の量子化次数は、予め設定された第２量子化次数閾値以上である。
【００９２】
第２の態様によると、本願発明の実施形態は第１デバイスを提供し、同第１デバイスは、前述の方法における第１デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【００９３】
オプションである実装の解決手段において、第１デバイスの構造は、プロセッサと、送信機と、受信機とを含む。プロセッサは、第１デバイスが、前述の方法における対応する機能を実施するのをサポートするよう構成される。送信機は、第１デバイスが、メッセージまたはデータを前述の方法で第２デバイスへ送信するのをサポートするよう構成される。受信機は、メッセージまたはデータを前述の方法で第２デバイスから受信するよう構成される。第１デバイスはさらにメモリを含んでよく、メモリはプロセッサに結合するよう構成され、第１デバイスが必要とするプログラム命令およびデータを格納する。
【００９４】
第３の態様によると、本願発明の実施形態は第２デバイスを提供し、同第２デバイスは、前述の方法における第２デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【００９５】
オプションである実装の解決手段において、第２デバイスの構造は、送信機と、受信機と、プロセッサとを含む。受信機は、第２デバイスが、メッセージまたはデータを前述の方法で第１デバイスから受信するのをサポートするよう構成される。送信機は、第２デバイスが、メッセージまたはデータを前述の方法で第１デバイスへ送信するのをサポートするよう構成される。プロセッサは、第１デバイスが、前述の方法における対応する機能を実施するのをサポートするよう構成される。第２デバイスはさらにメモリを含んでよく、メモリはプロセッサに結合するよう構成され、第２デバイスが必要とするプログラム命令およびデータを格納する。
【００９６】
第４の態様によると、本願発明の実施形態は無線通信システムを提供し、同無線通信システムは、第１の態様から第３の態様のうちいずれか１つに係る第１デバイスおよび第２デバイスを含む。
【００９７】
第５の態様によると、本願発明の実施形態は、コンピュータ記憶媒体を提供する。コンピュータ記憶媒体は、第１の態様から第４の態様のうちいずれか１つに係る第１デバイスが用いるコンピュータソフトウェア命令を格納するよう構成され、前述の態様を実行するために設計されたプログラムを含む。
【００９８】
第６の態様によると、本願発明の実施形態は、コンピュータ記憶媒体を提供する。コンピュータ記憶媒体は、第１の態様から第４の態様のうちいずれか１つに係る第２デバイスが用いるコンピュータソフトウェア命令を格納するよう構成され、前述の態様を実行するために設計されたプログラムを含む。
【００９９】
第７の態様によると、本願発明の実施形態はチャネル情報送信方法を提供し、同方法は、
第２デバイスが、参照信号を第１デバイスへ送信する段階と、第２デバイスが送信した参照信号を第１デバイスが受信する段階と、第１デバイスが、参照信号を受信した後、受信した参照信号を測定して第１チャネル情報および第２チャネル情報を取得し、第１チャネル情報および第２チャネル情報を第２デバイスへ送信する段階と、第２デバイスが、受信した第１チャネル情報および受信した第２チャネル情報に基づきプリコーディング行列を生成し、生成したプリコーディング行列に基づきデータを第１デバイスへ送信する段階と
を含む。
【０１００】
第１チャネル情報は、参照信号のためのＭ個のアンテナポートのうちＮ個のアンテナポートの識別情報を含み、ここで、Ｍは２以上の整数であり、ＮはＭ以下の正の整数である。第２チャネル情報は、Ｎ個のアンテナポートに対して重み付け合成を実施するために用いられる重み付け合成係数についての情報を含む。重み付け合成係数は、第１係数および／または第２係数を含む。第１係数は振幅係数であり、第２係数は位相係数または時間遅延係数である。
【０１０１】
第１デバイスは、受信した参照信号に基づきチャネル推定を実施し、参照信号のためのＭ個のアンテナポートに対して重み付け合成を実施するために用いられる重み付け合成係数の第２チャネル情報を第２デバイスにフィードバックする。このように、第２デバイスは、プリコーディング行列を生成する際、受信した第２チャネル情報が示す重み付け合成係数に基づきＭ個のアンテナポートに対して重み付け合成を実施してよく、これにより、比較的精度が高いプリコーディング行列を生成することも出来、それにより、同じく、第２デバイスがデータを送信する際のリンク適応能力を向上させ、システム性能を向上させる。
【０１０２】
オプションで、重み付け合成係数は要素０を含み、これにより、Ｎ個のアンテナポートが選択される。
【０１０３】
オプションで、第１デバイスは、参照信号を測定して第３チャネル情報を取得し、第３チャネル情報を第２デバイスへ送信する。第３チャネル情報は、Ｍ個のアンテナポートをグループ分けして取得される２つのアンテナポートグループ間の位相差を含む。第２デバイスは、第１チャネル情報、第２チャネル情報、および第３チャネル情報に基づきプリコーディング行列を生成する。
【０１０４】
オプションで、各チャネル情報は、柔軟なフィードバック方式でフィードバックされてよく、チャネル情報フィードバックの精度を向上させ、可能な限り情報フィードバック量を減らす。
【０１０５】
例えば、第１チャネル情報のフィードバック方式は広帯域ベースのフィードバックであり、第２チャネル情報のフィードバック方式はサブバンドベースのフィードバックである。代わりに、第１チャネル情報のフィードバック方式および第２チャネル情報のフィードバック方式の両方がサブバンドベースのフィードバックであり、第１チャネル情報のためのフィードバック帯域幅は、第２チャネル情報のためのフィードバック帯域幅より大きい。
【０１０６】
第１チャネル情報のフィードバック周期は、第２チャネル情報のフィードバック周期より長い。
【０１０７】
他の例として、第１チャネル情報のフィードバック方式は広帯域ベースのフィードバックであり、第２チャネル情報のフィードバック方式および第３チャネル情報のフィードバック方式はサブバンドベースのフィードバックである。代わりに、第１チャネル情報のフィードバック方式、第２チャネル情報のフィードバック方式、および第３チャネル情報のフィードバック方式は全てサブバンドベースのフィードバックであり、第１チャネル情報のためのフィードバック帯域幅は、第２チャネル情報のためのフィードバック帯域幅および第３チャネル情報のためのフィードバック帯域幅より大きい。
【０１０８】
第１チャネル情報のフィードバック周期は、第２チャネル情報のフィードバック周期および第３チャネル情報のフィードバック周期より長い。
【０１０９】
他の例として、第１チャネル情報のフィードバック方式および第２チャネル情報のフィードバック方式は広帯域ベースのフィードバックであり、第３チャネル情報のフィードバック方式はサブバンドベースのフィードバックである。代わりに、第１チャネル情報のためのフィードバック帯域幅および第２チャネル情報のためのフィードバック帯域幅の両方が、第３チャネル情報のためのフィードバック帯域幅より大きい。
【０１１０】
第１チャネル情報のフィードバック方式および第２チャネル情報のフィードバック方式は長期フィードバックであり、第３チャネル情報のフィードバック方式は短期フィードバックである。代わりに、第１チャネル情報のフィードバック周期および第２チャネル情報のフィードバック周期の両方が、第３チャネル情報のフィードバック周期より長い。
【０１１１】
オプションで、第１デバイスは、参照信号を測定して第５チャネル情報および第６チャネル情報を取得し、第１デバイスは、第５チャネル情報および第６チャネル情報を第２デバイスへ送信する。
【０１１２】
第５チャネル情報は、第２デバイスから第１デバイスへの空間多重化されたデータの量を示すのに用いられる情報を含み、第６チャネル情報は、第２デバイスから第１デバイスへのチャネルのチャネル品質を示すのに用いられる情報を含む。
【０１１３】
第２デバイスはさらに、第５チャネル情報および第６チャネル情報に基づきプリコーディング行列を生成する。
【０１１４】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【０１１５】
代わりに、第３チャネル情報がフィードバックされる場合、
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０１１６】
オプションで、第１チャネル情報、第２チャネル情報、および第３チャネル情報は、ランクが１のプリコーディング行列を以下の方式
【数１２６】
2019515540.tif 000128
で構成し、ここで、
【数１２７】
2019515540.tif 000129
であり、
【数１２８】
2019515540.tif 000130
であり、
【数１２９】
2019515540.tif 000131
は第１チャネル情報に対応し、
【数１３０】
2019515540.tif 000132
は、Ｎ／２個のポートに対して重み付け合成を実施するために用いられる重み付け合成係数であり、ここで、
【数１３１】
2019515540.tif 000133
は、
【数１３２】
2019515540.tif 000134
番目のポートおよび（
【数１３３】
2019515540.tif 000135
＋Ｎ／２）番目のポートに対して重み付けを実施するのに用いられ、
【数１３４】
2019515540.tif 000136
は、
【数１３５】
2019515540.tif 000137
番目のポートおよび（
【数１３６】
2019515540.tif 000138
＋Ｎ／２）番目のポートに対して重み付けを実施するのに用いられ、
【数１３７】
2019515540.tif 000139
は、
【数１３８】
2019515540.tif 000140
番目のポートおよび（
【数１３９】
2019515540.tif 000141
＋Ｎ／２）番目のポートに対して重み付けを実施するのに用いられ、ｍは整数であり、０≦ｍ≦Ｍ−１であり、
【数１４０】
2019515540.tif 000142
は、第３チャネル情報が示す、参照信号のための２つのアンテナポートグループ間の位相差であり、
【数１４１】
2019515540.tif 000143
の行の数はＭであり、
【数１４２】
2019515540.tif 000144
は正規化係数である。
【０１１７】
オプションで、第１デバイスは、Ｎの値を示すのに用いられる情報を第２デバイスへ送信する。
【０１１８】
代わりに、第１デバイスは、Ｎの値を示すのに用いられる情報を第２デバイスから受信する。
【０１１９】
オプションで、第１チャネル情報は、
【数１４３】
2019515540.tif 000145
を示すのに用いられる。
【０１２０】
代わりに、第１チャネル情報は、Ｍ個のビットを含む。Ｍ個のビットのうち、
【数１４４】
2019515540.tif 000146
番目のビットから
【数１４５】
2019515540.tif 000147
番目のビットは１であり、残りのビットは０である。
【０１２１】
オプションで、第１チャネル情報、第２チャネル情報、および第３チャネル情報は、ランクが２のプリコーディング行列を以下の方式
【数１４６】
2019515540.tif 000148
で構成し、ここで、
【数１４７】
2019515540.tif 000149
であり、
【数１４８】
2019515540.tif 000150
である。  ＲおよびＳは正の整数であり、Ｒ≦Ｍであり、Ｓ≦Ｍであり、
【数１４９】
2019515540.tif 000151
および
【数１５０】
2019515540.tif 000152
は重み付け合成係数であり、ここで、
【数１５１】
2019515540.tif 000153
は、
【数１５２】
2019515540.tif 000154
番目のポートおよび（
【数１５３】
2019515540.tif 000155
＋Ｎ／２）番目のポートに対して重み付けを実施するのに用いられ、
【数１５４】
2019515540.tif 000156
は、
【数１５５】
2019515540.tif 000157
番目のポートおよび（
【数１５６】
2019515540.tif 000158
＋Ｎ／２）番目のポートに対して重み付けを実施するのに用いられ、
【数１５７】
2019515540.tif 000159
は、
【数１５８】
2019515540.tif 000160
番目のポートおよび（
【数１５９】
2019515540.tif 000161
＋Ｎ／２）番目のポートに対して重み付けを実施するのに用いられ、
【数１６０】
2019515540.tif 000162
は、
【数１６１】
2019515540.tif 000163
番目のポートおよび（
【数１６２】
2019515540.tif 000164
＋Ｎ／２）番目のポートに対して重み付けを実施するのに用いられ、
【数１６３】
2019515540.tif 000165
は、
【数１６４】
2019515540.tif 000166
番目のポートおよび（
【数１６５】
2019515540.tif 000167
＋Ｎ／２）番目のポートに対して重み付けを実施するのに用いられ、
【数１６６】
2019515540.tif 000168
は、
【数１６７】
2019515540.tif 000169
番目のポートおよび（
【数１６８】
2019515540.tif 000170
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数１６９】
2019515540.tif 000171
は、第３チャネル情報が示す、参照信号のための２つのアンテナポートグループ間の位相差であり、
【数１７０】
2019515540.tif 000172
は正規化係数である。
【０１２２】
オプションで、
【数１７１】
2019515540.tif 000173
は
【数１７２】
2019515540.tif 000174
と同じであり、
【数１７３】
2019515540.tif 000175
は
【数１７４】
2019515540.tif 000176
と異なる、または、
【数１７５】
2019515540.tif 000177
は
【数１７６】
2019515540.tif 000178
と異なり、
【数１７７】
2019515540.tif 000179
は
【数１７８】
2019515540.tif 000180
と同じである、または、
【数１７９】
2019515540.tif 000181
は
【数１８０】
2019515540.tif 000182
と異なり、
【数１８１】
2019515540.tif 000183
は
【数１８２】
2019515540.tif 000184
と異なる、または、
【数１８３】
2019515540.tif 000185
は
【数１８４】
2019515540.tif 000186
と同じであり、
【数１８５】
2019515540.tif 000187
は
【数１８６】
2019515540.tif 000188
と同じである。
【０１２３】
オプションで、第２チャネル情報は、時間遅延係数である。
【０１２４】
第１チャネル情報および第２チャネル情報を含むプリコーディング行列の時間ドメイン形式は以下の通り
【数１８７】
2019515540.tif 000189
であり、ここで、
【数１８８】
2019515540.tif 000190
は、Ｎ個の第１ベクトルのうちｍ番目のベクトルに対応する時間遅延係数である。
【０１２５】
オプションで、第２チャネル情報は第１サブチャネル情報を含み、第１サブチャネル情報は第１係数を示すのに用いられる。
【０１２６】
第１サブチャネル情報は、量子化されない。
【０１２７】
代わりに、第１量子化が第１サブチャネル情報に対して実施され、第１量子化の量子化次数は予め設定された第１量子化次数閾値以下である。
【０１２８】
オプションで、第２チャネル情報は第２サブチャネル情報を含み、第２サブチャネル情報は第２係数を示すのに用いられる。
【０１２９】
第２サブチャネル情報は、量子化されない。
【０１３０】
代わりに、第２量子化が第２サブチャネル情報に対して実施され、第１量子化の量子化次数は、予め設定された第２量子化次数閾値以上である。
【０１３１】
第８の態様によると、本願発明の実施形態は第１デバイスを提供し、同第１デバイスは、第７の態様において提供されている方法における第１デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【０１３２】
オプションである実装の解決手段において、第１デバイスの構造は、プロセッサと、送信機と、受信機とを含む。プロセッサは、第１デバイスが、第７の態様において提供されている前述の方法における対応する機能を実施するのをサポートするよう構成される。送信機は、第１デバイスが、メッセージまたはデータを前述の方法で第２デバイスへ送信するのをサポートするよう構成される。受信機は、メッセージまたはデータを前述の方法で第２デバイスから受信するよう構成される。第１デバイスはさらにメモリを含んでよく、メモリはプロセッサに結合するよう構成され、第１デバイスが必要とするプログラム命令およびデータを格納する。
【０１３３】
第９の態様によると、本願発明の実施形態は第２デバイスを提供し、同第２デバイスは、第７の態様において提供されている方法における第２デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【０１３４】
オプションである実装の解決手段において、第２デバイスの構造は、送信機と、受信機と、プロセッサとを含む。受信機は、第２デバイスが、メッセージまたはデータを前述の方法で第１デバイスから受信するのをサポートするよう構成される。送信機は、第２デバイスが、メッセージまたはデータを前述の方法で第１デバイスへ送信するのをサポートするよう構成される。プロセッサは、第１デバイスが、前述の方法における対応する機能を実施するのをサポートするよう構成される。第２デバイスはさらにメモリを含んでよく、メモリはプロセッサに結合するよう構成され、第２デバイスが必要とするプログラム命令およびデータを格納する。
【０１３５】
第１０の態様によると、本願発明の実施形態は無線通信システムを提供し、同無線通信システムは、第７の態様から第９の態様のうちいずれか１つに係る第１デバイスおよび第２デバイスを含む。
【０１３６】
第１１の態様によると、本願発明の実施形態は、コンピュータ記憶媒体を提供する。コンピュータ記憶媒体は、第７の態様から第１０の態様のうちいずれか１つに係る第１デバイスが用いるコンピュータソフトウェア命令を格納するよう構成され、前述の態様を実行するために設計されたプログラムを含む。
【０１３７】
第１２の態様によると、本願発明の実施形態は、コンピュータ記憶媒体を提供する。コンピュータ記憶媒体は、第７の態様から第１０の態様のうちいずれか１つに係る第２デバイスが用いるコンピュータソフトウェア命令を格納するよう構成され、前述の態様を実行するために設計されたプログラムを含む。
【図面の簡単な説明】
【０１３８】
【図１】本願発明の実施形態に係る無線通信システムの模式的構造図である。
【０１３９】
【図２】本願発明の実施形態に係る、第１デバイスと第２デバイスとの間の相互作用の図である。
【０１４０】
【図３】ビーム方向の模式図である。
【０１４１】
【図４】本願発明の実施形態に係る、ビーム選択および重み付け合成プロセスの模式図である。
【図５】本願発明の実施形態に係る、ビーム選択および重み付け合成プロセスの模式図である。
【図６】本願発明の実施形態に係る、ビーム選択および重み付け合成プロセスの模式図である。
【図７】本願発明の実施形態に係る、ビーム選択および重み付け合成プロセスの模式図である。
【図８】本願発明の実施形態に係る、ビーム選択および重み付け合成プロセスの模式図である。
【０１４２】
【図９】システム周波数帯が、複数のサブバンドに分割されている模式図である。
【０１４３】
【図１０Ａ】本願発明の実施形態に係る、チャネル情報フィードバック方式の模式図である。
【図１０Ｂ】本願発明の実施形態に係る、チャネル情報フィードバック方式の模式図である。
【０１４４】
【図１１】アンテナが１つの偏波方向に形成するビームの模式図である。
【０１４５】
【図１２】プリコーディングによって二重偏波アンテナが生成するビームの模式図である。
【０１４６】
【図１３】本願発明の実施形態に係る第１デバイスの模式的構造図である。
【０１４７】
【図１４】本願発明の実施形態に係る第２デバイスの模式的構造図である。
【発明を実施するための形態】
【０１４８】
本願の目的、技術的解決法、および利点をより理解可能なものとすべく、以下で詳細な説明が提供される。詳細な説明は、ブロック図、フローチャート、および／または例を用いた装置および／または方法の様々な実装を提供する。これらブロック図、フローチャート、および／または例は、１または複数の機能および／またはオペレーションを含む。当業者であれば、ブロック図、フローチャート、および／または例における各機能および／またはオペレーションを別々に、および／または互いに組み合わせて、様々なハードウェア、ソフトウェア、およびファームウェア、またはハードウェア、ソフトウェア、およびファームウェアの任意の組み合わせを用いて実施することが出来ることを理解するであろう。
【０１４９】
本願発明の実施形態において、第２デバイスが、参照信号を第１デバイスへ送信する。第１デバイスは、受信した参照信号に基づきチャネル推定を実施し、チャネル情報を生成し、チャネル情報を第２デバイスにフィードバックする。第２デバイスは、受信したチャネル情報に基づきプリコーディング行列を決定し、決定したプリコーディング行列に基づきデータを第１デバイスへ送信する。
【０１５０】
本願発明の実施形態において、解決手段は、第１デバイスがフィードバックするチャネル情報が異なること、およびプリコーディング行列を構成する方式が異なることに基づき、解決手段１および解決手段２に分類することが出来る。
【０１５１】
解決手段１において、第２デバイスが送信する参照信号は、ビーム形成が実施されない参照信号、およびビーム形成が実施される参照信号である。ビーム形成が実施されない参照信号はＨ＝１に対応し、ビーム形成が実施される参照信号はＨ＞１に対応する。Ｈ＞１の場合、異なる参照信号リソースポートグループが異なるビーム方向に対応し、１つの参照信号リソースポートグループのアンテナポートが共通のビーム方向に対応する。例えば、Ｈ＝４つのグループがあり、各グループが８つのアンテナポートを有する。第１参照信号リソースポートグループ内の８つのアンテナポート全てに対して共通のビーム形成を実施してビーム方向１が取得され、第２参照信号リソースポートグループ内の８つのアンテナポート全てに対して共通のビーム形成を実施してビーム方向２が取得され、以下同様である。第１デバイスは、受信した参照信号に基づきチャネル推定を実施し、Ｍ個の第１ベクトルに対して重み付け合成を実施するために用いられる重み付け合成係数の第２チャネル情報を第２デバイスにフィードバックする。Ｍ個の第１ベクトルは、前述のプリコーディング行列Ｗに対応するコードワードＷ１が含むベクトルであってよい。このように、プリコーディング行列を生成する際、第２デバイスは、複数のベクトルからベクトルを１つだけを選択するのではなく、受信した第２チャネル情報が示す重み付け合成係数に基づきＭ個の第１ベクトルに対して重み付け合成を実施してよく、これにより、生成されるプリコーディング行列は精度がより高く、それにより、第２デバイスがデータを送信する際のリンク適応能力を向上させ、システム性能を向上させる。
【０１５２】
解決手段２において、第２デバイスが送信した参照信号がビーム形成が実施される参照信号である場合、第１デバイスは、受信した参照信号に基づきチャネル推定を実施し、参照信号のためのＭ個のアンテナポートに対して重み付け合成を実施するために用いられる重み付け合成係数の第２チャネル情報を第２デバイスにフィードバックする。このように、プリコーディング行列を生成する際、第２デバイスは、受信した第２チャネル情報が示す重み付け合成係数に基づきＭ個のアンテナポートに対して重み付け合成を実施してよく、これにより、同じく、比較的精度が高いプリコーディング行列を生成出来、それにより、同じく、第２デバイスがデータを送信する際のリンク適応能力を向上させ、システム性能を向上させる。
【０１５３】
以下に、添付図面を参照して本願発明の実施形態を詳細に説明する。
【０１５４】
まず、解決手段１および解決手段２の両方が適用可能である無線通信システムの構成を説明する。
【０１５５】
図１は、本願発明の実施形態に係る無線通信システムの模式的構造図である。図１に示すように、無線通信システムは、第１デバイス１０１および第２デバイス１０２を含む。
【０１５６】
第２デバイス１０２は、参照信号を第１デバイス１０１へ送信する。第１デバイス１０１は、第２デバイス１０２から受信した参照信号に基づきチャネル推定を実施し、チャネル推定結果を示すのに用いられるチャネル情報を第２デバイス１０２へ送信する。第２デバイス１０２は、受信したチャネル情報に基づき、データを第１デバイス１０１へ送信する。
【０１５７】
第１デバイス１０１と第２デバイス１０２との間の前述の相互作用のプロセスは、図２に示すものであってよい。
【０１５８】
第１デバイス１０１は、基地局等のネットワークデバイスであってよく、第２デバイス１０２は端末デバイスであってよい。代わりに、第１デバイス１０１が端末デバイスであってよく、第２デバイス１０２がネットワークデバイスであってよい。代わりに、第１デバイス１０１および第２デバイス１０２の両方が、端末デバイスである。代わりに、第１デバイス１０１および第２デバイス１０２の両方が、ネットワークデバイスである。
【０１５９】
第２デバイス１０２が参照信号を第１デバイス１０１へ送信し、第１デバイス１０１が参照信号に基づきチャネル推定を実施し、チャネル情報をフィードバックするとすれば、本願発明の実施形態において提供されている解決手段１または解決手段２が、チャネル情報を報告しデータを送信するのに用いられて、精度がより高いチャネル推定結果を取得し、リンク適応性能を向上させてよい。
【０１６０】
加えて、前述のＦＤＤ複信方式または時分割複信（Ｔｉｍｅ  Ｄｉｖｉｓｉｏｎ  Ｄｕｐｌｅｘｉｎｇ，ＴＤＤ）複信方式等の、第１デバイス１０１および第２デバイス１０２が互いに通信する場合に用いられる複信方式に関係なく、本願発明の実施形態において提供されている解決手段１または解決手段２は、精度が高いチャネル推定結果を取得し、リンク適応性能を向上させるべく用いられてよい。
【０１６１】
第１デバイス１０１と第２デバイス１０２との間の通信のための通信規格は、限定されないが、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）ＩＳ−９５、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）２０００、時分割同期符号分割多重アクセス（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，ＴＤ‐ＳＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ（登録商標））、時分割複信ロングタームエボリューション（Ｔｉｍｅ  Ｄｉｖｉｓｉｏｎ  Ｄｕｐｌｅｘｉｎｇ−Ｌｏｎｇ  Ｔｅｒｍ  Ｅｖｏｌｕｔｉｏｎ，ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘｉｎｇ−Ｌｏｎｇ  Ｔｅｒｍ  Ｅｖｏｌｕｔｉｏｎ，ＦＤＤ  ＬＴＥ）、ロングタームエボリューション‐アドバンスト（Ｌｏｎｇ  Ｔｅｒｍ  Ｅｖｏｌｕｔｉｏｎ‐Ａｄｖａｎｃｅｄ，ＬＴＥ‐ａｄｖａｎｃｅｄ）、パーソナルハンディホンシステム（Ｐｅｒｓｏｎａｌ  Ｈａｎｄｙｐｈｏｎｅ  Ｓｙｓｔｅｍ，ＰＨＳ）、８０２．１１シリーズのプロトコルで規定されているワイヤレスフィディリティ（Ｗｉｒｅｌｅｓｓ  Ｆｉｄｅｌｉｔｙ，ＷｉＦｉ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）、および様々な将来の進化した無線通信システムを含んでよい。
【０１６２】
端末デバイスは、無線端末であってよい。無線端末は、ユーザに音声および／またはデータの接続性を提供するデバイス、無線接続機能を有するハンドヘルドデバイス、または無線モデムに接続されている他の処理デバイスであってよい。無線端末は、無線アクセスネットワーク（例えば、ＲＡＮ、Ｒａｄｉｏ  Ａｃｃｅｓｓ  Ｎｅｔｗｏｒｋ）を用いて、１または複数のコアネットワークと通信してよい。無線端末は、携帯電話（「セルラ」フォンとも称される）等のモバイル端末であってよく、モバイル端末を有するコンピュータは、例えば、無線アクセスネットワークと音声および／またはデータを交換するポータブルの、ポケットサイズの、ハンドヘルド型の、コンピュータ内蔵型の、または車載型のモバイル装置であってよい。例えば、無線端末は、パーソナル通信サービス（ＰＣＳ，Ｐｅｒｓｏｎａｌ  Ｃｏｍｍｕｎｉｃａｔｉｏｎｓ  Ｓｅｒｖｉｃｅ）電話、コードレス電話、セッションイニシエーションプロトコル（ＳＩＰ）電話、無線ローカルループ（ＷＬＬ，Ｗｉｒｅｌｅｓｓ  Ｌｏｃａｌ  Ｌｏｏｐ）局、またはパーソナルデジタルアシスタント（ＰＤＡ，Ｐｅｒｓｏｎａｌ  Ｄｉｇｉｔａｌ  Ａｓｓｉｓｔａｎｔ）等のデバイスであってよい。無線端末は、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称されてもよい。
【０１６３】
ネットワークデバイスは、基地局、または基地局を制御するための無線リソース管理デバイスを含んでよく、または、基地局およびその基地局を制御するための無線リソース管理デバイスを含んでよい。基地局はマクロ基地局であってよく、または、スモールセル（ｓｍａｌｌ  ｃｅｌｌ）またはピコセル（ｐｉｃｏ  ｃｅｌｌ）等のミクロ基地局であってよい。代わりに、基地局は、ホームノードＢ（Ｈｏｍｅ  ＮｏｄｅＢ，ＨＮＢ）またはホーム進化型ノードＢ（Ｈｏｍｅ  ｅＮｏｄｅＢ，ＨｅＮＢ）等のホーム基地局であってよい。基地局は中継ノード（ｒｅｌａｙ）等を含んでもよい。
【０１６４】
例えば、ＴＤＤ  ＬＴＥ、ＦＤＤ  ＬＴＥ、またはＬＴＥ‐Ａ等のＬＴＥシステムにおいて、ネットワークデバイスは、進化型ノードＢ（ｅｖｏｌｖｅｄ  ＮｏｄｅＢ，ｅＮｏｄｅＢ）であってよく、端末デバイスはＵＥであってよい。ＴＤ−ＳＣＤＭＡシステムまたはＷＣＤＭＡ（登録商標）システムにおいて、ネットワークデバイスは、ノードＢ（ＮｏｄｅＢ）および／または無線ネットワークコントローラ（Ｒａｄｉｏ  Ｎｅｔｗｏｒｋ  Ｃｏｎｔｒｏｌｌｅｒ，ＲＮＣ）を含んでよく、端末デバイスはＵＥであってよい。ＧＳＭ（登録商標）システムにおいて、ネットワークデバイスは、ベーストランシーバ局（Ｂａｓｅ  Ｔｒａｎｓｃｅｉｖｅｒ  Ｓｔａｔｉｏｎ，ＢＴＳ）および／または基地局コントローラ（Ｂａｓｅ  Ｓｔａｔｉｏｎ  Ｃｏｎｔｒｏｌｌｅｒ，ＢＳＣ）を含んでよく、端末デバイスは、移動局（Ｍｏｂｉｌｅ  Ｓｔａｔｉｏｎ，ＭＳ）であってよい。ＷｉＦｉシステムにおいて、ネットワークデバイスは、アクセスポイント（Ａｃｃｅｓｓ  Ｐｏｉｎｔ，ＡＰ）および／またはアクセスコントローラ（Ａｃｃｅｓｓ  Ｃｏｎｔｒｏｌｌｅｒ，ＡＣ）を含んでよく、端末デバイスは局（Ｓｔａｔｉｏｎ，ＳＴＡ）であってよい。
【０１６５】
以下に、図１に示されている無線通信システムを参照して解決手段１および解決手段２を別々に説明する。
【０１６６】
解決手段１
【０１６７】
解決手段１において第１デバイス１０１が第２デバイス１０２に送信するチャネル情報が、次の表１に示されている。
表１：解決手段１におけるチャネル情報
【表１】
2019515540.tif 000191
【０１６８】
Ｉ．第１ベクトルおよびチャネル情報
【０１６９】
Ｍ個の第１ベクトルは、第１ベクトルの全体集合のうちＭ個の第１ベクトルである。Ｍの値は、第１デバイス１０１および第２デバイス１０２が互いに通信する際、第１デバイス１０１および第２デバイス１０２の両方が準拠する通信規格において予め設定されていてよく、例えば、予め定義されていてよく、または第１デバイス１０１が第１チャネル情報を第２デバイス１０２へ送信する前に、第１デバイス１０１が第２デバイス１０２に通知してよく、または第２デバイス１０２が参照信号を送信する前に、第２デバイス１０２が第１デバイス１０１に通知してよい。
【０１７０】
ここで、第１ベクトルの全体集合は
【数１８９】
2019515540.tif 000192
として示され、ここで、Ｌは正の整数であり、第１ベクトルの全体集合が含む第１ベクトルの数である。
【０１７１】
第１ベクトルの全体集合のうち、各第１ベクトルは、第２デバイス１０２が第１デバイス１０１へ送信するビームの１つの方向を表してよい。
【０１７２】
図３を参照すると、Ｌ＝１２であると仮定している。この場合、
【数１９０】
2019515540.tif 000193
であり、ベクトル
【数１９１】
2019515540.tif 000194
は、図３における１２個のビーム方向をそれぞれ表す。
【０１７３】
第１デバイス１０１は、第１チャネル情報を第２デバイス１０２へ送信して、第１デバイス１０１が参照信号の受信を待つビーム方向を第２デバイス１０２に通知し、第２チャネル情報を第２デバイス１０２へ送信して、第１デバイス１０１が受信を待っている合成されたビームは、第１チャネル情報に含まれる対応する各ビーム方向（各第１ベクトル）の振幅重み付けおよび位相重み付けの重み付け合成調整量であることを第２デバイス１０２に通知する。
【０１７４】
第１チャネル情報および第２チャネル情報を決定する際、第１デバイス１０１は、参照信号を測定してチャネル推定結果を取得してよく、最大の受信信号対ノイズ比（Ｓｉｇｎａｌ  ｔｏ  Ｎｏｉｓｅ  Ｒａｔｉｏ，ＳＮＲ）に達することが出来るには、または容量を最大化するには第２デバイス１０２がデータを送信する必要があるビーム方向と、第２デバイス１０２がデータを送信する必要がある各ビーム方向の振幅重み付けおよび位相重み付けの重み付け合成調整量とを決定してよく、それから、第１チャネル情報および第２チャネル情報を用いて第２デバイス１０２に通知してよい。
【０１７５】
Ｌ＝１２であり、
【数１９２】
2019515540.tif 000195
であるとさらに仮定する。デュアルステージコードブック構造
【数１９３】
2019515540.tif 000196
がプリコーディング行列のために用いられ、Ｍ＝４であり、第１デバイス１０１が最初の４つの第１ベクトル：
【数１９４】
2019515540.tif 000197
、
【数１９５】
2019515540.tif 000198
、
【数１９６】
2019515540.tif 000199
、および
【数１９７】
2019515540.tif 000200
を選択する場合、プリコーディング行列
【数１９８】
2019515540.tif 000201
は
【数１９９】
2019515540.tif 000202
式４として示されてよく、ここで、
【数２００】
2019515540.tif 000203
であり、
【数２０１】
2019515540.tif 000204
である。
【０１７６】
第１チャネル情報は、
【数２０２】
2019515540.tif 000205
、
【数２０３】
2019515540.tif 000206
、
【数２０４】
2019515540.tif 000207
、および
【数２０５】
2019515540.tif 000208
を識別するのに用いられる。
【０１７７】
第２チャネル情報は
【数２０６】
2019515540.tif 000209
であり、ここで、
【数２０７】
2019515540.tif 000210
であり、
【数２０８】
2019515540.tif 000211
であり、
【数２０９】
2019515540.tif 000212
は振幅係数であり、
【数２１０】
2019515540.tif 000213
は位相係数であり、
【数２１１】
2019515540.tif 000214
は
【数２１２】
2019515540.tif 000215
に対して振幅重み付けを実施するのに用いられ、
【数２１３】
2019515540.tif 000216
は
【数２１４】
2019515540.tif 000217
に対して位相重み付けを実施するのに用いられ、以下同様である。
【数２１５】
2019515540.tif 000218
は、正規化係数である。ここでの振幅係数の値および位相係数の値は、単なる例に過ぎない。ビーム選択および重み付け合成プロセス全体は、図４に示すものであってよい。ビーム
【数２１６】
2019515540.tif 000219
、
【数２１７】
2019515540.tif 000220
、
【数２１８】
2019515540.tif 000221
、および
【数２１９】
2019515540.tif 000222
が
【数２２０】
2019515540.tif 000223
を用いて選択され、
【数２２１】
2019515540.tif 000224
を用いてビームに対して位相重み付けが実施され、位相重み付け後のベクトル
【数２２２】
2019515540.tif 000225
、
【数２２３】
2019515540.tif 000226
、
【数２２４】
2019515540.tif 000227
、および
【数２２５】
2019515540.tif 000228
を取得する。ビーム
【数２２６】
2019515540.tif 000229
、
【数２２７】
2019515540.tif 000230
、
【数２２８】
2019515540.tif 000231
、および
【数２２９】
2019515540.tif 000232
が、
【数２３０】
2019515540.tif 000233
を用いて振幅重み付けを実施して取得され、それから、ベクトル
【数２３１】
2019515540.tif 000234
、
【数２３２】
2019515540.tif 000235
、
【数２３３】
2019515540.tif 000236
、および
【数２３４】
2019515540.tif 000237
が合成され、１つの合成ベクトルを取得する。ベクトルは、１つの合成ビームに対応する。図４において、位相重み付けが振幅重み付けの前に実施され、ここでの図４は模式的なものに過ぎない。実際には、振幅重み付けが位相重み付けの前に実施されてよく、または、振幅重み付けおよび位相重み付けが同時に実施されてよい。オプションで、全ベクトルの位相重み付け量が同じである場合、第１デバイス１０１は、複数のビームに関して位相係数を１つだけフィードバックしてよい。同様に、全ベクトルの振幅重み付け値が同じである場合、第１デバイス１０１は、複数のベクトルに関して、図５に示すｐ等の振幅係数を１つだけフィードバックしてよい。
【０１７８】
第１ベクトルは、前述のプリコーディング行列Ｗに対応するコードワードＷ１が含むベクトルであってよく、例えば、以下の式１に示されている形式の、離散フーリエ変換（Ｄｉｓｃｒｅｔｅ  Ｆｏｕｒｉｅｒ  Ｔｒａｎｓｆｏｒｍ，ＤＦＴ）ベクトルであってよい。
【数２３５】
2019515540.tif 000238
式５
【０１７９】
ＬおよびＩは正の整数であり、Ｌは第１ベクトルの全体集合が含む第１ベクトルの数を示し、言い換えると、第２デバイス１０２が送信することが出来る、ビーム方向が異なるビームの数を示す。Ｉは第１ベクトルの次元であり、第２デバイス１０２が参照信号を送信するのに用いるアンテナに単一偏波方式が用いられる場合、参照信号のためのアンテナポートの数であり、第２デバイス１０２が参照信号を送信するのに用いるアンテナに二重偏波方式が用いられる場合、参照信号のためのアンテナポートの数の半分である。参照信号のためのアンテナポートは、第２デバイス１０２が参照信号を送信するのに用いるアンテナポートである。
【０１８０】
例えば、Ｌ＝３２であり、Ｉ＝４である場合、
【数２３６】
2019515540.tif 000239
式６であり、ここで、
【数２３７】
2019515540.tif 000240
である。
【０１８１】
第２チャネル情報は第１係数のみを含んでよく、または第２係数のみを含んでよく、または第１係数および第２係数の両方を含んでよい。
【０１８２】
例えば、第２チャネル情報が、第１係数のみを含む場合、Ｍ個の第１ベクトルに対して重み付け合成が実施される際、位相重み付けはそれらベクトルに対して実施されなくてよく、または位相重み付けは、予め設定された共通の位相重み付け量に基づきＭ個の第１ベクトルに対して実施され、または位相重み付けは、異なる第１ベクトルに関して予め設定された異なる位相重み付け量に基づき実施される。位相重み付け量が予め設定されているので、第１デバイス１０１は、第２デバイス１０２に位相重み付け量をフィードバックする必要はない。
【０１８３】
他の例として、第２チャネル情報が第２係数のみを含む場合、Ｍ個の第１ベクトルに対して重み付け合成が実施される際、重み付けは、予め設定された共通の振幅値に基づきそれら第１ベクトルに対して実施されてよく、または重み付けは、異なる第１ベクトルに関して予め設定された異なる振幅係数に基づき第１ベクトルに対して別々に実施される。振幅値が予め設定されているので、第１デバイス１０１は、第２デバイス１０２に振幅値をフィードバックする必要はない。
【０１８４】
第２係数における位相係数および時間遅延係数は実際には、周波数ドメインおよび時間ドメインの観点から、第１ベクトルに対して位相重み付けをそれぞれ実施するのに用いられる。時間ドメインの時間遅延は、周波数ドメインの位相重み付けと同等である。よって、位相係数をフィードバックする必要がある場合、位相係数および時間遅延係数のいずれかのみがフィードバックされればよい。オプションで、位相係数のフィードバック方式はサブバンドベースのフィードバックであり、時間遅延係数のフィードバック方式は広帯域ベースのフィードバックである。
【０１８５】
第３チャネル情報は、参照信号のための２つのアンテナポートグループ間の位相差を示すのに用いられる。例えば、２つのアンテナポートグループは異なる偏波方向を有する。この場合、位相差は、異なる偏波方向を有する２つのアンテナポートグループ間の位相差を示す。例えば、全部で８つのアンテナポートがあり、４つのアンテナポートは水平偏波型であり、他の４つのアンテナポートが垂直偏波型である。この場合、第３チャネル情報はそれぞれ水平偏波型および垂直偏波型の２つのアンテナポートグループ間の位相差を示すのに用いられる。
【０１８６】
Ｍ個の第１ベクトルは、第１ベクトルの全体集合のうち一部の第１ベクトルである。オプションである実装において、第１ベクトルの全体集合は、Ｋ個のベクトルグループに分割され、Ｋは正の整数である。Ｍ個の第１ベクトルはＸ個のベクトルグループに属し、Ｘ個のベクトルグループは、Ｋ個のベクトルグループの一部または全部である。Ｋは正の整数であり、ＸはＫ以下の正の整数である。
【０１８７】
Ｋ個のベクトルグループのうち異なるベクトルグループが共通の第１ベクトルを含むか、または含まない。
【０１８８】
例えば、第１ベクトルの全体集合は、
【数２３８】
2019515540.tif 000241
である。ベクトル
【数２３９】
2019515540.tif 000242
は、３２個全部が第１ベクトルである。
【０１８９】
Ｋ個のベクトルグループのうち異なるベクトルグループが共通の第１ベクトルを含まないグループ分けの方式は以下の通りであってよい。
【数２４０】
2019515540.tif 000243
が８つのグループ（Ｋ＝８）にグループ分けされ、各グループは４つの第１ベクトルを有する。例えば、
【数２４１】
2019515540.tif 000244
、
【数２４２】
2019515540.tif 000245
、
【数２４３】
2019515540.tif 000246
、および
【数２４４】
2019515540.tif 000247
が一のベクトルグループを形成し、
【数２４５】
2019515540.tif 000248
、
【数２４６】
2019515540.tif 000249
、
【数２４７】
2019515540.tif 000250
、および
【数２４８】
2019515540.tif 000251
が一のベクトルグループを形成し、以下同様である。
【０１９０】
Ｋ個のベクトルグループのうち異なるベクトルグループが共通の第１ベクトルを含むグループ分けの方式は以下の通りであってよい。
【数２４９】
2019515540.tif 000252
が１６個のグループ（Ｋ＝１６）にグループ分けされ、各グループは４つの第１ベクトルを有する。例えば、
【数２５０】
2019515540.tif 000253
、
【数２５１】
2019515540.tif 000254
、
【数２５２】
2019515540.tif 000255
、および
【数２５３】
2019515540.tif 000256
が一のベクトルグループを形成し、
【数２５４】
2019515540.tif 000257
、
【数２５５】
2019515540.tif 000258
、
【数２５６】
2019515540.tif 000259
、および
【数２５７】
2019515540.tif 000260
が一のベクトルグループを形成し、以下同様である。
【０１９１】
以下も、Ｋ個のベクトルグループのうち異なるベクトルグループが共通の第１ベクトルを含むグループ分けの方式である。３２個の第１ベクトルは全部で１６個のグループに分割され、グループ番号ｋは０から１５であり、Ｋ＝１６である。
【数２５８】
2019515540.tif 000261
式７
ここで、
【数２５９】
2019515540.tif 000262
である。
【０１９２】
Ｍ個の第１ベクトルが、２つのベクトルグループ
【数２６０】
2019515540.tif 000263
および
【数２６１】
2019515540.tif 000264
を含む場合、
【数２６２】
2019515540.tif 000265
である。
【０１９３】
この場合、
【数２６３】
2019515540.tif 000266
式８であり、ここで、
【数２６４】
2019515540.tif 000267
、
【数２６５】
2019515540.tif 000268
、
【数２６６】
2019515540.tif 000269
、および
【数２６７】
2019515540.tif 000270
は、ベクトルグループｉ内の４つのベクトルであり、
【数２６８】
2019515540.tif 000271
、
【数２６９】
2019515540.tif 000272
、
【数２７０】
2019515540.tif 000273
、および
【数２７１】
2019515540.tif 000274
は、ベクトルグループｊ内の４つのベクトルであり、８つのベクトルでＭ個の第１ベクトルを構成し、Ｍ＝８であり、
【数２７２】
2019515540.tif 000275
は正規化係数であり、Ｗ内の全要素の絶対値の平方和の平方根に等しく、これにより、全ビームのべき乗和は１である。
【０１９４】
前述のグループ分けの方式を用いる場合、第１チャネル情報は、Ｋ個のベクトルグループのうち、Ｍ個の第１ベクトルを含むＸ個のベクトルグループの各ベクトルグループのグループ番号、例えば、前述のベクトルグループ番号ｉおよびｊを示すのに用いられる情報を含む。このようなフィードバック方式で、第１チャネル情報の情報ビットの数を減らすことが出来る。
【０１９５】
第１デバイス１０１が、ベクトルグループｉおよびベクトルグループｊを選択し、
【数２７３】
2019515540.tif 000276
が、
【数２７４】
2019515540.tif 000277
および
【数２７５】
2019515540.tif 000278
内の全第１ベクトルに対して、例えば、振幅重み付けおよび位相重み付けの両方を含む重み付けを別々に実施するのに用いられると仮定する。この場合、Ｗ２の式は、
【数２７６】
2019515540.tif 000279
式９
であってよく、ここで、
【数２７７】
2019515540.tif 000280
および
【数２７８】
2019515540.tif 000281
である。
【０１９６】
【数２７９】
2019515540.tif 000282
である。例えば、
【数２８０】
2019515540.tif 000283
であり、
【数２８１】
2019515540.tif 000284
であり、ここで、
【数２８２】
2019515540.tif 000285
は、第１ベクトルが合成される前の位相調整量であり、与えられている
【数２８３】
2019515540.tif 000286
は単なる例に過ぎず、位相調整量は４つの値に限定されず、
【数２８４】
2019515540.tif 000287
は、第１ベクトルが合成される前の振幅調整量であり、同じベクトルグループ内の第１ベクトルは、共通の振幅係数および共通の重み付け係数を有してよい。
【０１９７】
第１ベクトルをグループ分けする適用シナリオにおいて、複数のビームが、異なるビームクラスタ（ｃｌｕｓｔｅｒ）に分割されてよい。実際には第１デバイス１０１は、複数のクラスタから、受信信号強度または受信した参照信号の電力値が比較的大きいビームクラスタを選択してよい。このように、第１デバイス１０１がチャネル情報をフィードバックした後、第２デバイス１０２は、複数のビームクラスタ内のビームでデータを別々に送信してよく、第１デバイス１０１は、受信品質がより良好な複数のビームでダウンリンクデータを受信してよく、これにより、性能がより良好になる。
【０１９８】
図６を参照すると、まず、第１ベクトルの２つのグループが選択される。ベクトルグループ１は４つの第１ベクトル：
【数２８５】
2019515540.tif 000288
、
【数２８６】
2019515540.tif 000289
、
【数２８７】
2019515540.tif 000290
、および
【数２８８】
2019515540.tif 000291
を含み、それら４つのベクトルが表すビームが、比較的強いビームクラスタ：クラスタ１を構成する。ベクトルグループ２は４つの第１ベクトル：
【数２８９】
2019515540.tif 000292
、
【数２９０】
2019515540.tif 000293
、
【数２９１】
2019515540.tif 000294
、および
【数２９２】
2019515540.tif 000295
を含み、それら４つのベクトルが表すビームが、比較的強いビームクラスタ：クラスタ２を構成する。Ｗ１（１）がクラスタ１を選択するのに用いられ、Ｗ１（２）がクラスタ２を選択するのに用いられる。
【数２９３】
2019515540.tif 000296
は、第１ベクトル
【数２９４】
2019515540.tif 000297
、
【数２９５】
2019515540.tif 000298
、
【数２９６】
2019515540.tif 000299
、および
【数２９７】
2019515540.tif 000300
が表すビームに対して位相重み付けを実施するのにそれぞれ用いられる。位相重み付けの後に取得される第１ベクトルは、それぞれ
【数２９８】
2019515540.tif 000301
、
【数２９９】
2019515540.tif 000302
、
【数３００】
2019515540.tif 000303
、および
【数３０１】
2019515540.tif 000304
である。
【数３０２】
2019515540.tif 000305
は、第１ベクトル
【数３０３】
2019515540.tif 000306
、
【数３０４】
2019515540.tif 000307
、
【数３０５】
2019515540.tif 000308
、および
【数３０６】
2019515540.tif 000309
が表すビームに対して位相重み付けを実施するのにそれぞれ用いられる。位相重み付けの後に取得される第１ベクトルは、それぞれ
【数３０７】
2019515540.tif 000310
、
【数３０８】
2019515540.tif 000311
、
【数３０９】
2019515540.tif 000312
、および
【数３１０】
2019515540.tif 000313
である。図６において、ベクトルグループ１（即ち、クラスタ１）内の全ベクトルの振幅係数はｐ０であり、ベクトルグループ２（即ち、クラスタ２）内の全ベクトルの振幅係数はｐ１である。よって、第１デバイス１０１は、第２チャネル情報を送信する際、ベクトルグループ１内の全第１ベクトルに関して１つの振幅係数ｐ０だけをフィードバックしてよく、ベクトルグループ２内の全第１ベクトルに関して１つの振幅係数ｐ１だけをフィードバックしてよい。
【０１９９】
オプションで、第１デバイス１０１はさらに、Ｘの値を示すのに用いられる情報、具体的には、Ｍ個の第１ベクトルが属するベクトルグループの数を第２デバイス１０２へ送信してよい。代わりに、第１デバイス１０１は、Ｘの値を示すのに用いられる情報を第２デバイス１０２から受信する。
【０２００】
前述の例において、異なるベクトルグループが含む第１ベクトルの数は、同じである。しかしながら、図７に示すように、実際の実装において、異なるベクトルグループが含む第１ベクトルの数は、同じでなくてよい。
【０２０１】
オプションである実装において、前述のＸ個のベクトルグループのうち異なるベクトルグループが共通の第２チャネル情報に対応する。異なるベクトルグループについて、第１デバイス１０１は、１つの共通の第２チャネル情報のみを第２デバイス１０２へ送信する。このように、第２チャネル情報のビット数を減らすことが出来る。
【０２０２】
他のオプションである実装において、異なるベクトルグループが異なる第２チャネル情報に対応する。異なるベクトルグループについて、第１デバイス１０１は、第２チャネル情報を別々にフィードバックする必要がある。
【０２０３】
表１を参照すると、第２チャネル情報は、Ｍ個の第１ベクトルのうちＮ個の第１ベクトルに対して重み付け合成を実施するのに用いられる。この場合、以下のケースがある。
【０２０４】
ケース１：Ｍ＝Ｎである場合、Ｍ個の第１ベクトル全てに対して重み付け合成が実施され、第２チャネル情報は、Ｍ個の第１ベクトルのうち各第１ベクトルの重み付け係数を含む必要がある。
【０２０５】
ケース２：Ｎ＜Ｍである場合、２つの方式でＮ個の第１ベクトルがＭ個の第１ベクトルから選択されてよい。
【０２０６】
第２チャネル情報が示す重み付け合成係数は、要素０を含む。
【０２０７】
例えば、Ｍ個の第１ベクトルのうち特定の第１ベクトルに対応する振幅係数が、０である。この場合、振幅係数が０である第１ベクトルを、Ｍ個の第１ベクトルから除く。言い換えると、この振幅係数に対応する第１ベクトルは、選択されない。
【０２０８】
第４チャネル情報は、Ｍ個の第１ベクトルからＮ個の第１ベクトルを選択するように命令するために送信される。
【０２０９】
第１デバイス１０１が第４チャネル情報を送信する場合、第１デバイス１０１は、第２チャネル情報を送信する際、Ｍ個の第１ベクトルのうち各第１ベクトルの重み付け合成係数を送信する必要はなく、Ｎ個の選択された第１ベクトルのうち各第１ベクトルの重み付け合成係数のみを送信する。
【０２１０】
Ｍ個の第１ベクトルがＸ個のベクトルグループを含む場合、Ｘ個のベクトルグループの各ベクトルグループは対応する第４チャネル情報を有してよく、これによりベクトルグループから第１ベクトルを選択する。同数の第１ベクトルまたは異なる数の第１ベクトルが、異なるベクトルグループから選択されてよい。
【０２１１】
図８を参照すると、各ベクトルグループ内で列選択が実施される。具体的には、重み付け合成が、第１ベクトルが選択された後に実施される。加えて、異なる数の列が、全ベクトルグループから選択されてよい。例えば、Ｗ１（１）に関して、２つの第１ベクトルが選択される（言い換えると、２本のビームが選択される）。Ｗ１（２）に関して、３つの第１ベクトルが選択される（言い換えると、３本のビームが選択される）。それから、位相重み付けおよび振幅調整が、２本のビームおよび３本のビームに対して別々に実施される。
【０２１２】
第１ベクトルおよび各チャネル情報は上述されている。以下に、チャネル情報に基づきプリコーディング行列をどのように構成するかを説明する。
【０２１３】
ＩＩ．プリコーディング行列の構成
【０２１４】
１．第１チャネル情報と、第２チャネル情報と、第３チャネル情報とに基づきプリコーディング行列が構成され、ランクは１である。
【０２１５】
プリコーディング行列Ｗは
【数３１１】
2019515540.tif 000314
であり、ここで、
【数３１２】
2019515540.tif 000315
はＭ個の第１ベクトルであり、
【数３１３】
2019515540.tif 000316
は重み付け合成係数であり、ここで、
【数３１４】
2019515540.tif 000317
は
【数３１５】
2019515540.tif 000318
に対して重み付けを実施するのに用いられ、
【数３１６】
2019515540.tif 000319
は
【数３１７】
2019515540.tif 000320
に対して重み付けを実施するのに用いられ、
【数３１８】
2019515540.tif 000321
は
【数３１９】
2019515540.tif 000322
に対して重み付けを実施するのに用いられ、ｍは整数であり、０≦ｍ≦Ｍであり、
【数３２０】
2019515540.tif 000323
は、第３チャネル情報が示す、参照信号のための２つのアンテナポートグループ間の位相差であり、
【数３２１】
2019515540.tif 000324
は正規化係数である。
【０２１６】
Ｍ個の第１ベクトルがグループ分けされる場合、
【数３２２】
2019515540.tif 000325
は、Ｋ個のベクトルグループのうちグループ番号がｉのベクトルグループである。この場合、第１チャネル情報は、ｉを示すのに用いられる情報を含む。
【数３２３】
2019515540.tif 000326
が
【数３２４】
2019515540.tif 000327
として示される場合（ここで、Ｘ個のベクトルグループ
【数３２５】
2019515540.tif 000328
は、Ｋ個のベクトルグループにおいてグループ番号が順に
【数３２６】
2019515540.tif 000329
から
【数３２７】
2019515540.tif 000330
までのベクトルグループであり、ｘは整数であり、０≦ｘ≦Ｘ−１であり、Ｘは正の整数であり、Ｋ個のベクトルグループ内の全第１ベクトルが第１ベクトルの全体集合を構成し、Ｋは正の整数である）、第１チャネル情報は、
【数３２８】
2019515540.tif 000331
から
【数３２９】
2019515540.tif 000332
を別々に示すのに用いられる情報を含む。
【０２１７】
２．第１チャネル情報と、第２チャネル情報と、第３チャネル情報と、第４チャネル情報とに基づきプリコーディング行列が構成され、ランクは１である。
【０２１８】
プリコーディング行列Ｗは
【数３３０】
2019515540.tif 000333
であり、ここで、
【数３３１】
2019515540.tif 000334
であり、
【数３３２】
2019515540.tif 000335
であり、
【数３３３】
2019515540.tif 000336
はＭ個の第１ベクトルであり、
【数３３４】
2019515540.tif 000337
は、Ｎ個の第１ベクトルに対して重み付け合成を実施するために用いられる重み付け合成係数であり、ここで、
【数３３５】
2019515540.tif 000338
は
【数３３６】
2019515540.tif 000339
に対して重み付けを実施するのに用いられ、
【数３３７】
2019515540.tif 000340
は
【数３３８】
2019515540.tif 000341
に対して重み付けを実施するのに用いられ、
【数３３９】
2019515540.tif 000342
は
【数３４０】
2019515540.tif 000343
に対して重み付けを実施するのに用いられ、ｍは整数であり、０≦ｍ≦Ｍ−１であり、
【数３４１】
2019515540.tif 000344
は、第３チャネル情報が示す、参照信号のための２つのアンテナポートグループ間の位相差であり、
【数３４２】
2019515540.tif 000345
の行の数はＭであり、第４チャネル情報は
【数３４３】
2019515540.tif 000346
から
【数３４４】
2019515540.tif 000347
を示すのに用いられる情報であり、
【数３４５】
2019515540.tif 000348
は正規化係数である。
【０２１９】
オプションで、第１デバイス１０１は、Ｎの値を示すのに用いられる情報を第２デバイス１０２へ送信する。
【０２２０】
代わりに、第１デバイス１０１は、Ｎの値を示すのに用いられる情報を第２デバイス１０２から受信する。
【０２２１】
オプションで、第４チャネル情報は、
【数３４６】
2019515540.tif 000349
を示すのに用いられてよい。
【０２２２】
代わりに、第４チャネル情報は、Ｍ個のビットを含む。Ｍ個のビットのうち、
【数３４７】
2019515540.tif 000350
番目のビットから
【数３４８】
2019515540.tif 000351
番目のビットは１であり、残りのビットは０である。
【０２２３】
３．第１チャネル情報と、第２チャネル情報と、第３チャネル情報とに基づきプリコーディング行列が構成され、ランクは２である。
【０２２４】
プリコーディング行列Ｗは
【数３４９】
2019515540.tif 000352
であり、ここで、
【数３５０】
2019515540.tif 000353
であり、
【数３５１】
2019515540.tif 000354
である。ＲおよびＳは正の整数であり、Ｒ≦Ｍであり、Ｓ≦Ｍであり、
【数３５２】
2019515540.tif 000355
および
【数３５３】
2019515540.tif 000356
は互いに組み合わせられてＭ個の第１ベクトルを構成し、
【数３５４】
2019515540.tif 000357
および
【数３５５】
2019515540.tif 000358
は重み付け合成係数であり、ここで、
【数３５６】
2019515540.tif 000359
は
【数３５７】
2019515540.tif 000360
に対して重み付けを実施するのに用いられ、
【数３５８】
2019515540.tif 000361
は
【数３５９】
2019515540.tif 000362
に対して重み付けを実施するのに用いられ、
【数３６０】
2019515540.tif 000363
は
【数３６１】
2019515540.tif 000364
に対して重み付けを実施するのに用いられ、
【数３６２】
2019515540.tif 000365
は
【数３６３】
2019515540.tif 000366
に対して重み付けを実施するのに用いられ、
【数３６４】
2019515540.tif 000367
は
【数３６５】
2019515540.tif 000368
に対して重み付けを実施するのに用いられ、
【数３６６】
2019515540.tif 000369
は
【数３６７】
2019515540.tif 000370
に対して重み付けを実施するのに用いられ、ｍは整数であり、０≦ｍ≦Ｒ−１であり、ｎは整数であり、０≦ｎ≦Ｓ−１であり、
【数３６８】
2019515540.tif 000371
は、第３チャネル情報が示す、参照信号のための２つのアンテナポートグループ間の位相差であり、
【数３６９】
2019515540.tif 000372
は正規化係数である。
【０２２５】
【数３７０】
2019515540.tif 000373
は、
【数３７１】
2019515540.tif 000374
と同じであり、
【数３７２】
2019515540.tif 000375
は
【数３７３】
2019515540.tif 000376
と異なる、または、
【数３７４】
2019515540.tif 000377
は
【数３７５】
2019515540.tif 000378
と異なり、
【数３７６】
2019515540.tif 000379
は
【数３７７】
2019515540.tif 000380
と同じである、または、
【数３７８】
2019515540.tif 000381
は
【数３７９】
2019515540.tif 000382
と異なり、
【数３８０】
2019515540.tif 000383
は
【数３８１】
2019515540.tif 000384
と異なる、または、
【数３８２】
2019515540.tif 000385
は
【数３８３】
2019515540.tif 000386
と同じであり、
【数３８４】
2019515540.tif 000387
は
【数３８５】
2019515540.tif 000388
と同じである。
【０２２６】
４．第２チャネル情報が時間遅延係数である場合、第１チャネル情報および第２チャネル情報を含むプリコーディング行列の時間ドメイン形式は以下の通り
【数３８６】
2019515540.tif 000389
であり、ここで、
【数３８７】
2019515540.tif 000390
は、Ｎ個の第１ベクトルのうちｍ番目のベクトルに対応する時間遅延係数である。
【０２２７】
ＩＩＩ．２次元コードブック
【０２２８】
解決手段１における前述の説明は、第２デバイス１０２の伝送アンテナが線状アレイであり、プリコーディング行列のコードブックが一次元（Ｄｉｍｅｎｓｉｏｎ，Ｄ）コードブックである場合に用いられてよい。解決手段１は、第２デバイス１０２の伝送アンテナが、水平な方向および垂直な方向を有するアンテナアレイを含む場合に用いられてもよい。この場合、プリコーディング行列のコードブックは、２Ｄコードブックである。２Ｄコードブックの場合、プリコーディング行列はそれでも、
【数３８８】
2019515540.tif 000391
として示されてよい。
【０２２９】
しかしながら、１Ｄコードブックとは異なり、Ｗ１内の各第１ベクトルは、２次元のベクトルのクロネッカー積である。２次元のベクトルは、それぞれ「第２ベクトル」および「第３ベクトル」と称される。
【０２３０】
【数３８９】
2019515540.tif 000392
はＭ個の第１ベクトルであり、
【数３９０】
2019515540.tif 000393
である。
【０２３１】
【数３９１】
2019515540.tif 000394
内の各第１ベクトルは、第２ベクトルグループ内の第２ベクトルおよび第３ベクトルグループ内の第３ベクトルのクロネッカー積であり、
【数３９２】
2019515540.tif 000395
であり、ここで、
【数３９３】
2019515540.tif 000396
は第１ベクトルであり、
【数３９４】
2019515540.tif 000397
は、番号がｐである第２ベクトルグループ内の番号が
【数３９５】
2019515540.tif 000398
である第２ベクトルであり、
【数３９６】
2019515540.tif 000399
は、番号がｔである第３ベクトルグループ内の番号が
【数３９７】
2019515540.tif 000400
である第３ベクトルである。
【０２３２】
第１チャネル情報は、第１サブチャネル情報および第２サブチャネル情報を含む。
【０２３３】
第１サブチャネル情報はｐを示すのに用いられ、第２サブチャネル情報はｔを示すのに用いられる。
【０２３４】
【数３９８】
2019515540.tif 000401
であり、ここで、
【数３９９】
2019515540.tif 000402
は、アンテナアレイ内の第１次元アンテナポート（例えば、前述の水平アンテナ）の数であり、
【数４００】
2019515540.tif 000403
は、第１次元アンテナのコードワードセットを構成するＤＦＴベクトルをオーバーサンプリングするために用いられる係数であり、
【数４０１】
2019515540.tif 000404
は正の整数である。
【０２３５】
【数４０２】
2019515540.tif 000405
であり、ここで、
【数４０３】
2019515540.tif 000406
は、アンテナアレイ内の第２次元アンテナポートの数であり、
【数４０４】
2019515540.tif 000407
は、第２次元アンテナのコードワードセットを構成するＤＦＴベクトルをオーバーサンプリングするために用いられる係数であり、
【数４０５】
2019515540.tif 000408
は正の整数である。
【０２３６】
オプションで、第２ベクトルグループの数は２以上であり、第３ベクトルグループの数は１に等しい、または、
第３ベクトルグループの数は２以上であり、第２ベクトルグループの数は１に等しい、または、
第３ベクトルグループの数は１に等しく、第２ベクトルグループの数は１に等しい。
【０２３７】
オプションで、第２ベクトルおよび第３ベクトルは、ＤＦＴベクトルである。
【０２３８】
第２ベクトルの全体集合が含むベクトルの数と、第３ベクトルの全体集合が含むベクトルの数とは、互いに独立して構成されている。
【０２３９】
ＩＶ．参照信号のためのアンテナポートをグループ分けする場合
【０２４０】
解決手段１における前述の説明は、参照信号のためのアンテナポートが、グループ分けされない場合に適用可能である。他の可能な場合において、参照信号はＳ個のアンテナポート上にあり、Ｓ個のアンテナポートは、Ｈ個の参照信号リソースポートグループに属し、ここで、Ｈは１以上の整数である。参照信号は、ビーム形成が実施される参照信号である。
【０２４１】
第２デバイス１０２が参照信号を送信するのに用いるアンテナに単一偏波方式が用いられる場合、第１ベクトルの次元は、各参照信号リソースポートグループ内のアンテナポートの数である。第２デバイス１０２が参照信号を送信するのに用いるアンテナに二重偏波方式が用いられる場合、第１ベクトルの次元は、各参照信号リソースポートグループ内のアンテナポートの数の半分である。
【０２４２】
Ｈ＝１である場合、言い換えると、参照信号のためのアンテナポートがグループ分けされない場合、つまり、解決手段１のケースの場合、解決手段１は、ビーム形成が実施されない参照信号のケースにも適用可能であることが理解されよう。
【０２４３】
例えば、参照信号のためのアンテナポートの数は３２であり、Ｈ＝１であり、参照信号リソースポートグループが１つだけあり、参照信号リソースポートグループ内のポートの数は３２である。この場合、第１ベクトルの次元は、３２または１６である。
【０２４４】
他の例として、参照信号のためのアンテナポートの数は３２であり、Ｈ＝４である。この場合、３２個のアンテナポートは、４つの参照信号リソースポートグループにグループ分けされ、各参照信号リソースポートグループ内のアンテナポートの数は８である。例えば、第１参照信号リソースポートグループ内のアンテナポートはポート（ｐｏｒｔ）０からｐｏｒｔ７であり、第２参照信号リソースポートグループ内のアンテナポートはｐｏｒｔ８からｐｏｒｔ１５であり、第３参照信号リソースポートグループ内のアンテナポートはｐｏｒｔ１６からｐｏｒｔ２３であり、第４参照信号リソースポートグループ内のアンテナポートはｐｏｒｔ２４からｐｏｒｔ３１である。この場合、第１ベクトルの次元は、８（単一偏波）または４（二重偏波）である。
【０２４５】
オプションで、第１デバイス１０１はさらに、参照信号を測定して第７チャネル情報を取得し、第７チャネル情報を第２デバイスへ送信する。
【０２４６】
第７チャネル情報は、Ｈ個の参照信号リソースポートグループからＹ個の参照信号リソースポートグループを選択するのに用いられる識別情報を含む。
【０２４７】
第７チャネル情報は、他のチャネル情報と同じサブフレーム内でフィードバックされない、言い換えると、単独でフィードバックされる。加えて、第７チャネル情報のフィードバック周期は、他のチャネル情報のフィードバック周期以上である。
【０２４８】
Ｍ個の第１ベクトルは、Ｈ個の参照信号リソースポートグループから選択したＹ個の参照信号リソースポートグループに基づき測定を実施して取得されてよく、ここで、Ｙは正の整数である。
【０２４９】
オプションで、Ｍ個の第１ベクトルはＸ個のベクトルグループに対応し、各ベクトルグループは、Ｙ個の参照信号リソースポートグループのうち１つに対応し、Ｘ＝Ｙである。
【０２５０】
代わりに、Ｍ個の第１ベクトルはＸ個のベクトルグループに対応し、少なくとも２つのベクトルグループは、Ｙ個の参照信号リソースポートグループのうち１つに対応し、Ｘ＞Ｙである。
【０２５１】
第１デバイス１０１が、第２デバイス１０２に第７チャネル情報をフィードバックする場合に、
【数４０６】
2019515540.tif 000409
であると仮定する。
【０２５２】
Ｘ個のベクトルグループ
【数４０７】
2019515540.tif 000410
は、Ｋ個のベクトルグループにおいてグループ番号が順に
【数４０８】
2019515540.tif 000411
から
【数４０９】
2019515540.tif 000412
までのベクトルグループであり、ｘは整数であり、０≦ｘ≦Ｘ−１であり、Ｘは正の整数である。
【０２５３】
Ｋ個のベクトルグループ内の全第１ベクトルが第１ベクトルの全体集合を構成し、Ｋは正の整数である。
【０２５４】
第１チャネル情報は、
【数４１０】
2019515540.tif 000413
から
【数４１１】
2019515540.tif 000414
を示すのに別々に用いられる情報を含む。
【０２５５】
【数４１２】
2019515540.tif 000415
は、第１デバイス１０１が、Ｈ番目の参照信号リソースポートグループのうちＹ個の参照信号リソースポートグループ内の第１参照信号リソースポートグループで送信された参照信号を測定して取得される。
【数４１３】
2019515540.tif 000416
は、第１デバイス１０１が、Ｈ番目の参照信号リソースポートグループのうちＹ個の参照信号リソースポートグループ内のｘ番目の参照信号リソースポートグループで送信された参照信号を測定して取得される。
【数４１４】
2019515540.tif 000417
は、第１デバイス１０１が、Ｈ番目の参照信号リソースポートグループのうちＹ個の参照信号リソースポートグループ内のＸ番目の参照信号リソースポートグループで送信された参照信号を測定して取得される。
【０２５６】
解決手段２
【０２５７】
解決手段１において第１デバイス１０１が第２デバイス１０２へ送信するチャネル情報が、次の表２に示されている。
表２：解決手段２におけるチャネル情報
【表２】
2019515540.tif 000418
【０２５８】
オプションで、第２チャネル情報が示す重み付け合成係数は、要素０を含む。
【０２５９】
解決手段２において、プリコーディング行列を構築する方式は、以下の通りである。
【０２６０】
１．ランクが１のプリコーディング行列が、第１チャネル情報、第２チャネル情報、および第３チャネル情報に基づき、以下の方式
【数４１５】
2019515540.tif 000419
で構成され、ここで、
【数４１６】
2019515540.tif 000420
であり、
【数４１７】
2019515540.tif 000421
であり、
【数４１８】
2019515540.tif 000422
は第１チャネル情報に対応し、
【数４１９】
2019515540.tif 000423
は、Ｎ／２個のポートに対して重み付け合成を実施するために用いられる重み付け合成係数であり、ここで、
【数４２０】
2019515540.tif 000424
は、
【数４２１】
2019515540.tif 000425
番目のポートおよび（
【数４２２】
2019515540.tif 000426
＋Ｎ／２）番目のポートに対して重み付けを実施するのに用いられ、
【数４２３】
2019515540.tif 000427
は、
【数４２４】
2019515540.tif 000428
番目のポートおよび（
【数４２５】
2019515540.tif 000429
＋Ｎ／２）番目のポートに対して重み付けを実施するのに用いられ、
【数４２６】
2019515540.tif 000430
は、
【数４２７】
2019515540.tif 000431
番目のポートおよび（
【数４２８】
2019515540.tif 000432
＋Ｎ／２）番目のポートに対して重み付けを実施するのに用いられ、ｍは整数であり、０≦ｍ≦Ｍ−１であり、
【数４２９】
2019515540.tif 000433
は、第３チャネル情報が示す、参照信号のための２つのアンテナポートグループ間の位相差であり、
【数４３０】
2019515540.tif 000434
の行の数はＭであり、
【数４３１】
2019515540.tif 000435
は正規化係数である。
【０２６１】
オプションで、第１デバイス１０１は、Ｎの値を示すのに用いられる情報を第２デバイス１０２へ送信し、または第１デバイス１０１は、Ｎの値を示すのに用いられる情報を第２デバイス１０２から受信する。
【０２６２】
オプションで、第１チャネル情報は、
【数４３２】
2019515540.tif 000436
を示すのに用いられる。
【０２６３】
代わりに、第１チャネル情報は、Ｍ個のビットを含む。Ｍ個のビットのうち、
【数４３３】
2019515540.tif 000437
番目のビットから
【数４３４】
2019515540.tif 000438
番目のビットは１であり、残りのビットは０である。
【０２６４】
２．ランクが２のプリコーディング行列が、第１チャネル情報、第２チャネル情報、および第３チャネル情報に基づき、以下の方式
【数４３５】
2019515540.tif 000439
で構成され、ここで、
【数４３６】
2019515540.tif 000440
であり、
【数４３７】
2019515540.tif 000441
である。ＲおよびＳは正の整数であり、Ｒ≦Ｍであり、Ｓ≦Ｍであり、
【数４３８】
2019515540.tif 000442
および
【数４３９】
2019515540.tif 000443
は重み付け合成係数であり、ここで、
【数４４０】
2019515540.tif 000444
は、
【数４４１】
2019515540.tif 000445
番目のポートおよび（
【数４４２】
2019515540.tif 000446
＋Ｎ／２）番目のポートに対して重み付けを実施するのに用いられ、
【数４４３】
2019515540.tif 000447
は、
【数４４４】
2019515540.tif 000448
番目のポートおよび（
【数４４５】
2019515540.tif 000449
＋Ｎ／２）番目のポートに対して重み付けを実施するのに用いられ、
【数４４６】
2019515540.tif 000450
は、
【数４４７】
2019515540.tif 000451
番目のポートおよび（
【数４４８】
2019515540.tif 000452
＋Ｎ／２）番目のポートに対して重み付けを実施するのに用いられ、
【数４４９】
2019515540.tif 000453
は、
【数４５０】
2019515540.tif 000454
番目のポートおよび（
【数４５１】
2019515540.tif 000455
＋Ｎ／２）番目のポートに対して重み付けを実施するのに用いられ、
【数４５２】
2019515540.tif 000456
は、
【数４５３】
2019515540.tif 000457
番目のポートおよび（
【数４５４】
2019515540.tif 000458
＋Ｎ／２）番目のポートに対して重み付けを実施するのに用いられ、
【数４５５】
2019515540.tif 000459
は、
【数４５６】
2019515540.tif 000460
番目のポートおよび（
【数４５７】
2019515540.tif 000461
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数４５８】
2019515540.tif 000462
は、第３チャネル情報が示す、参照信号のための２つのアンテナポートグループ間の位相差であり、
【数４５９】
2019515540.tif 000463
は正規化係数である。
【０２６５】
オプションで、
【数４６０】
2019515540.tif 000464
は
【数４６１】
2019515540.tif 000465
と同じであり、
【数４６２】
2019515540.tif 000466
は
【数４６３】
2019515540.tif 000467
と異なる、または、
【数４６４】
2019515540.tif 000468
は
【数４６５】
2019515540.tif 000469
と異なり、
【数４６６】
2019515540.tif 000470
は
【数４６７】
2019515540.tif 000471
と同じである、または、
【数４６８】
2019515540.tif 000472
は
【数４６９】
2019515540.tif 000473
と異なり、
【数４７０】
2019515540.tif 000474
は
【数４７１】
2019515540.tif 000475
と異なる、または、
【数４７２】
2019515540.tif 000476
は
【数４７３】
2019515540.tif 000477
と同じであり、
【数４７４】
2019515540.tif 000478
は
【数４７５】
2019515540.tif 000479
と同じである。
【０２６６】
３．第２チャネル情報は時間遅延係数であり、第１チャネル情報および第２チャネル情報を含むプリコーディング行列の時間ドメイン形式は以下の通り
【数４７６】
2019515540.tif 000480
であり、ここで、
【数４７７】
2019515540.tif 000481
は、Ｎ個の第１ベクトルのうちｍ番目のベクトルに対応する時間遅延係数である。
【０２６７】
ここで、例えば、参照信号は、ビーム形成が実施されるチャネル状態情報‐参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ‐ＲＳ）である。ここで、参照信号のための各アンテナポートに対してプリコーディング処理が実施された後、ビーム方向が形成されており、プリコーディングは、デジタルビーム形成（ｄｉｇｉｔａｌ  ｂｅａｍｆｏｒｍｉｎｇ）またはアナログビーム形成であってよい。
【０２６８】
図１１に示すように、４つのビーム方向ｂ０、ｂ１、ｂ２、およびｂ３が、アンテナポート：ｐｏｒｔ０、ｐｏｒｔ１、ｐｏｒｔ２、およびｐｏｒｔ３にそれぞれ対応する。
【０２６９】
図１１は、アンテナが１つの偏波方向に形成するビームのみを示す。二重偏波アンテナを考慮した場合、２つの偏波方向における２つのアンテナグループは、同じビーム方向をそれぞれ生成する。図１２に示すように、左側の４つのアンテナを含む１つのグループは、プリコーディングおよび重み付けによってビーム１、ビーム２、ビーム３、およびビーム４を生成し、これに対応して、右側の偏波方向における４つのアンテナの他のグループは、プリコーディングおよび重み付けによってビーム１、ビーム２、ビーム３、およびビーム４を生成する。第２デバイス１０２は、全部で８つのアンテナポートでＣＳＩ‐ＲＳを送信する。
【０２７０】
第２デバイス１０２から第１デバイス１０１への４つの伝播経路：直接経路：ｒａｙ１、および反射経路：ｒａｙ０、ｒａｙ２、およびｒａｙ３があると仮定する。第２デバイス１０２はスキャニングのための４本のビームを発信し、それらはそれぞれ、ｂｅａｍ０、ｂｅａｍ１、ｂｅａｍ２、およびｂｅａｍ３である。ｂｅａｍ０、ｂｅａｍ２、およびｂｅａｍ３は伝播経路とより良好に一致するので、第１デバイス１０１はｂ０、ｂ２、およびｂ３のエネルギーを受け取ってよい。方向ｂ１のビームは伝播経路を有さないので、第１デバイス１０１はそのビームのエネルギーを検出出来ない。
【０２７１】
第１デバイス１０１は、一定の閾値を超えるエネルギーが検出されるビームｂ０、ｂ２、およびｂ３に対応するｐｏｒｔ０、ｐｏｒｔ２、およびｐｏｒｔ３を決定し、他の偏波方向のｐｏｒｔ４、ｐｏｒｔ６、およびｐｏｒｔ７を決定する。第１デバイス１０１はアンテナポート選択情報（即ち、第１チャネル情報）を報告し、各アンテナポートの振幅および位相重み付け情報（即ち、第２チャネル情報）を報告する。
【０２７２】
【数４７８】
2019515540.tif 000482
であり、ここで、
【数４７９】
2019515540.tif 000483
であり、
【数４８０】
2019515540.tif 000484
は単位ベクトルであり、
【数４８１】
2019515540.tif 000485
であり、
【数４８２】
2019515540.tif 000486
であり、
【数４８３】
2019515540.tif 000487
は、ｍ番目の要素が１であり他の全要素が０である列ベクトルであり、
【数４８４】
2019515540.tif 000488
の列ベクトルの次元は、
【数４８５】
2019515540.tif 000489
に対応する参照信号のためのポートの数の半分に等しい。
【０２７３】
チャネル情報フィードバック方式
【０２７４】
解決手段１であるかまたは解決手段２であるかに関係なく、第１デバイス１０１は、チャネル情報をフィードバックする場合、異なるチャネル情報に異なるフィードバック方式を用いてよい。
【０２７５】
以下の説明において、第１チャネル情報のフィードバック方式、第２チャネル情報のフィードバック方式、および第３チャネル情報のフィードバック方式は、解決手段１および解決手段２の両方に適用可能であるが、チャネル情報の内容は、解決手段１と解決手段２とで異なる。第４チャネル情報のフィードバック方式および第７チャネル情報のフィードバック方式は、解決手段１のみに適用可能である。
【０２７６】
以下に、様々なフィードバック方式を具体的に説明する。
【０２７７】
フィードバック方式は、広帯域ベースのフィードバックまたはサブバンドベースのフィードバック、フィードバック周期、およびアナログフィードバックまたは量子化後のフィードバックを含む。以下で、これらフィードバック方式を１つずつ説明する。
【０２７８】
Ｉ．広帯域ベースのフィードバックまたはサブバンドベースのフィードバック
【０２７９】
広帯域ベースのフィードバックは、システム帯域幅全体に関して、チャネル情報が、１つのフィードバック周期内で一度だけフィードバックされることを意味する。
【０２８０】
サブバンドベースのフィードバックは、システム帯域幅において予め設定された複数のサブバンドに関して、チャネル情報が、１つのフィードバック周期において各サブバンドに対してフィードバックされることを意味する。
【０２８１】
サブバンドベースのフィードバックを用いる場合、チャネル情報フィードバックの精度はより高いが、情報オーバヘッドも比較的大きい。サブバンドベースのフィードバックを用いる場合、チャネル情報フィードバックの精度は低く、したがって、情報オーバヘッドが比較的小さい。サブバンドベースのフィードバックは、チャネル特性復元にとって重要性が高い何らかのチャネル情報に関して、または、異なるサブバンドの値の差が比較的大きいチャネル情報に関して用いられてよい。広帯域ベースのフィードバックは、チャネル特性復元にとって重要性が低いチャネル情報に関して、または、異なるサブバンドの値の差が小さいチャネル情報に関して用いられてよい。
【０２８２】
図９を参照すると、システム周波数帯全体が、１０個のサブバンド（ｓｕｂｂａｎｄ）：サブバンド１からサブバンド１０に事前に分割されていると仮定している。サブバンドベースのフィードバックは、第１デバイス１０１が、１０個のサブバンドのうち各サブバンドに関して対応するチャネル情報を生成することを意味する。広帯域ベースのフィードバックは、第１デバイス１０１が、システム周波数帯全体に関して１つのチャネル情報を生成することを意味する。
【０２８３】
ＩＩ．フィードバック周期
【０２８４】
チャネル特性復元にとって重要性が高い何らかのチャネル情報、または、経時的に比較的速く変化するチャネル情報は、比較的短いフィードバック周期を用いてフィードバックされてよい。チャネル特性復元にとって重要性が低いチャネル情報、または、経時的に比較的遅く変化するチャネル情報は、比較的長いフィードバック周期を用いてフィードバックされてよい。
【０２８５】
ＩＩＩ．アナログフィードバックまたは量子化後のフィードバック
【０２８６】
チャネル特性復元にとって重要性が高い何らかのチャネル情報は、高精度量子化方式で、例えば、比較的大きい量子化次数を用いて、量子化された後にフィードバックされてよい。チャネル特性復元にとって重要性が低いチャネル情報は、低精度量子化方式で量子化された後にフィードバックされてよい。
【０２８７】
異なるチャネル情報に異なるフィードバック方式を用いる目的は、チャネル情報のフィードバック精度を確保して高精度のプリコーディング行列を生成することが出来、可能な限り情報フィードバック量を減らすことが出来る。
【０２８８】
実際には、実装される製品が異なるのに応じて、異なるフィードバック方式が用いられてよい。
【０２８９】
例えば、広帯域ベースのフィードバックまたはサブバンドベースのフィードバックに関して、表３の任意のフィードバック方式が用いられてよい。
表３：広帯域ベースのフィードバックまたはサブバンドベースのフィードバックのフィードバック方式
【表３】
2019515540.tif 000490
（表３の続き）
【表４】
2019515540.tif 000491
（表３の続き）
【表５】
2019515540.tif 000492
【０２９０】
フィードバック周期に関して、以下の任意の方式が用いられてよい。
【０２９１】
方式１
【０２９２】
第１チャネル情報のフィードバック周期は、第２チャネル情報のフィードバック周期より長く、第３チャネル情報および第４チャネル情報はフィードバックされない。
【０２９３】
方式２
【０２９４】
第１チャネル情報のフィードバック周期は、第２チャネル情報のフィードバック周期および第３チャネル情報のフィードバック周期より長く、第４チャネル情報はフィードバックされない。
【０２９５】
方式３
【０２９６】
第１チャネル情報のフィードバック方式および第２チャネル情報のフィードバック方式は長期フィードバックであり、第３チャネル情報のフィードバック方式は短期フィードバックである。
【０２９７】
方式４
【０２９８】
第１チャネル情報のフィードバック周期および第２チャネル情報のフィードバック周期の両方が、第３チャネル情報のフィードバック周期より長い。
【０２９９】
方式５
【０３００】
第１チャネル情報のフィードバック周期は第２チャネル情報のフィードバック周期、第３チャネル情報のフィードバック周期、および第４チャネル情報のフィードバック周期より長い。
【０３０１】
方式６
【０３０２】
第１チャネル情報のフィードバック周期および第２チャネル情報のフィードバック周期は、第３チャネル情報のフィードバック周期および第４チャネル情報のフィードバック周期より長い。
【０３０３】
方式７
【０３０４】
第１チャネル情報のフィードバック周期、第２チャネル情報のフィードバック周期、および第４チャネル情報のフィードバック周期は、第３チャネル情報のフィードバック周期より長い。
【０３０５】
方式８
【０３０６】
第１チャネル情報のフィードバック周期および第４チャネル情報のフィードバック周期は、第２チャネル情報のフィードバック周期および第３チャネル情報のフィードバック周期より長い。
【０３０７】
前述のチャネル情報をフィードバックすることに加えて、第１デバイス１０１は、第２デバイス１０２が送信した参照信号を測定して第５チャネル情報および／または第６チャネル情報を取得し、それら情報を第２デバイス１０２へ送信してよい。
【０３０８】
第５チャネル情報は、例えば、ＬＴＥシステムにおけるＲＩなど、第２デバイス１０２から第１デバイス１０１への空間多重化されたデータの量を示すのに用いられる情報を含む。第６チャネル情報は、例えば、ＬＴＥシステムにおけるＣＱＩなど、第２デバイス１０２から第１デバイス１０１へのチャネルのチャネル品質を示すのに用いられる情報を含む。第５チャネル情報のフィードバック方式および第６チャネル情報のフィードバック方式は、解決手段１および解決手段２の両方に適用可能である。
【０３０９】
第３チャネル情報および第４チャネル情報がフィードバックされない場合、以下のチャネル情報フィードバック方式が用いられてよい。
【０３１０】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【０３１１】
第４チャネル情報がフィードバックされない場合、以下のチャネル情報フィードバック方式が用いられてよい。
【０３１２】
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０３１３】
第３チャネル情報および第４チャネル情報の両方がフィードバックされる場合、以下のチャネル情報フィードバック方式が用いられてよい。
【０３１４】
第１チャネル情報、第４チャネル情報、および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報、第４チャネル情報、および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報および第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報、第３チャネル情報、および第４チャネル情報は、第３周期を用いて第３サブフレーム内でフィードバックされ、ここで、第１周期は第２周期以上であり、第２周期は第３周期以上である、または、
第５チャネル情報、第１チャネル情報、第２チャネル情報、および第４チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０３１５】
図１０Ａおよび図１０Ｂは、可能なチャネル情報フィードバック方式を示す。
【０３１６】
アナログフィードバックまたは量子化フィードバックに関して、柔軟なフィードバック方式が、第２チャネル情報に関して用いられてよい。
【０３１７】
例えば、第２チャネル情報は第３サブチャネル情報を含み、第３サブチャネル情報は第１係数を示すのに用いられる。第３サブチャネル情報は、量子化されない。代わりに、第１量子化が第３サブチャネル情報に対して実施され、第１量子化の量子化次数は予め設定された第１量子化次数閾値以下である。
【０３１８】
オプションで、第２チャネル情報は第４サブチャネル情報を含み、第４サブチャネル情報は第２係数を示すのに用いられる。第４サブチャネル情報は、量子化されない。代わりに、第２量子化が第４サブチャネル情報に対して実施され、第２量子化の量子化次数は予め設定された第２量子化次数閾値以下である。
【０３１９】
図１３は、本願発明の実施形態に係る第１デバイスの模式的構造図である。図１３に示すように、第１デバイスは、受信モジュール１３０１と、処理モジュール１３０２と、送信モジュール１３０３とを含む。
【０３２０】
オプションである実装において、
受信モジュール１３０１は、第２デバイスが送信した参照信号を受信するよう構成され、ここで、参照信号はＳ個のアンテナポートで送信され、Ｓ個のアンテナポートは、Ｈ個の参照信号リソースポートグループに属し、ＳおよびＨは１以上の整数であり、
処理モジュール１３０２は参照信号を測定して第１チャネル情報および第２チャネル情報を取得するよう構成され、
送信モジュール１３０３は、第１チャネル情報および第２チャネル情報を第２デバイスへ送信するよう構成される。
【０３２１】
第１チャネル情報はＭ個の第１ベクトルの識別情報を含み、ここで、Ｍは２以上の整数である。
【０３２２】
第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数である。
【０３２３】
重み付け合成係数は、第１係数および／または第２係数を含む。
【０３２４】
第１係数は振幅係数であり、第２係数は位相係数または時間遅延係数である。
【０３２５】
第１チャネル情報および第２チャネル情報は、プリコーディング行列を構成するのに用いられる。
【０３２６】
第１ベクトルの次元は、各参照信号リソースポートグループ内のアンテナポートの数であり、または第１ベクトルの次元は、各参照信号リソースポートグループ内のアンテナポートの数の半分である。
【０３２７】
このオプションである実装において、第１デバイスの他のオプションである実装については、解決手段１における第１デバイス１０１を参照されたい。受信モジュール１３０１は、第１デバイス１０１の受信オペレーションを実施するよう構成され、処理モジュール１３０２は、第１デバイス１０１の処理オペレーションを実施するよう構成され、送信モジュール１３０３は、第１デバイス１０１の送信オペレーションを実施するよう構成される。
【０３２８】
他のオプションである実装において、受信モジュール１３０１は、第２デバイスが送信した参照信号を受信するよう構成され、
処理モジュール１３０２は参照信号を測定して第１チャネル情報および第２チャネル情報を取得するよう構成され、
送信モジュール１３０３は、第１チャネル情報および第２チャネル情報を第２デバイスへ送信するよう構成される。
【０３２９】
第１チャネル情報は、参照信号のためのＭ個のアンテナポートのうちＮ個のアンテナポートの識別情報を含み、ここで、Ｍは２以上の整数であり、ＮはＭ以下の正の整数である。
【０３３０】
第２チャネル情報は、Ｎ個のアンテナポートに対して重み付け合成を実施するために用いられる重み付け合成係数についての情報を含む。
【０３３１】
重み付け合成係数は、第１係数および／または第２係数を含む。
【０３３２】
第１係数は振幅係数であり、第２係数は位相係数または時間遅延係数である。
【０３３３】
第１チャネル情報および第２チャネル情報は、プリコーディング行列を構成するのに用いられる。
【０３３４】
このオプションである実装において、第１デバイスの他のオプションである実装については、解決手段２における第１デバイス１０１を参照されたい。受信モジュール１３０１は、第１デバイス１０１の受信オペレーションを実施するよう構成され、処理モジュール１３０２は、第１デバイス１０１の処理オペレーションを実施するよう構成され、送信モジュール１３０３は、第１デバイス１０１の送信オペレーションを実施するよう構成される。
【０３３５】
オプションで、受信モジュール１３０１は受信機により実装してよく、処理モジュール１３０２はプロセッサにより実装してよく、送信モジュール１３０３は送信機により実装してよい。
【０３３６】
図１４は、本願発明の実施形態に係る第２デバイスの模式的構造図である。図１４に示すように、第２デバイスは、受信モジュール１４０１と、処理モジュール１４０２と、送信モジュール１４０３とを含む。
【０３３７】
オプションである実装において、
送信モジュール１４０３は、参照信号を第１デバイスへ送信するよう構成され、ここで、参照信号はＳ個のアンテナポートで送信され、Ｓ個のアンテナポートは、Ｈ個の参照信号リソースポートグループに属し、ＳおよびＨは１以上の整数であり、
受信モジュール１４０１は、第１デバイスから第１チャネル情報および第２チャネル情報を受信するよう構成され、ここで、第１チャネル情報および第２チャネル情報は、第１デバイスが、受信した参照信号を測定して取得し、ここで、第１チャネル情報はＭ個の第１ベクトルの識別情報を含み、ここで、Ｍは２以上の整数であり、
第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数であり、
重み付け合成係数は第１係数および／または第２係数を含み、
第１係数は振幅係数であり、第２係数は位相係数または時間遅延係数であり、
第１ベクトルの次元は、各参照信号リソースポートグループ内のアンテナポートの数であり、または第１ベクトルの次元は、各参照信号リソースポートグループ内のアンテナポートの数の半分であり、
処理モジュール１４０２は、第１チャネル情報および第２チャネル情報に基づきプリコーディング行列を生成するよう構成される。
【０３３８】
送信モジュール１４０３はさらに、処理モジュールが生成したプリコーディング行列に基づきデータを第１デバイスへ送信するよう構成される。
【０３３９】
このオプションである実装において、第２デバイスの他のオプションである実装については、解決手段１における第２デバイス１０２を参照されたい。受信モジュール１４０１は、第２デバイス１０２の受信オペレーションを実施するよう構成され、処理モジュール１４０２は、第２デバイス１０２の処理オペレーションを実施するよう構成され、送信モジュール１４０３は、第２デバイス１０２の送信オペレーションを実施するよう構成される。
【０３４０】
他のオプションである実装において、
送信モジュール１４０３は、参照信号を第１デバイスへ送信するよう構成され、
受信モジュール１４０１は、第１デバイスから第１チャネル情報および第２チャネル情報を受信するよう構成され、ここで、第１チャネル情報および第２チャネル情報は、第１デバイスが、受信した参照信号を測定して取得し、ここで、第１チャネル情報は、参照信号のためのＭ個のアンテナポートのうちＮ個のアンテナポートの識別情報を含み、ここで、Ｍは２以上の整数であり、ＮはＭ以下の正の整数であり、
第２チャネル情報は、Ｎ個のアンテナポートに対して重み付け合成を実施するために用いられる重み付け合成係数についての情報を含み、
重み付け合成係数は第１係数および／または第２係数を含み、
第１係数は振幅係数であり、第２係数は位相係数または時間遅延係数であり、
処理モジュール１４０２は、第１チャネル情報および第２チャネル情報に基づきプリコーディング行列を生成するよう構成される。
【０３４１】
送信モジュール１４０３はさらに、処理モジュール１４０２が生成したプリコーディング行列に基づきデータを第１デバイスへ送信するよう構成される。
【０３４２】
このオプションである実装において、第２デバイスの他のオプションである実装については、解決手段２における第２デバイス１０２を参照されたい。受信モジュール１４０１は、第２デバイス１０２の受信オペレーションを実施するよう構成され、処理モジュール１４０２は、第２デバイス１０２の処理オペレーションを実施するよう構成され、送信モジュール１４０３は、第２デバイス１０２の送信オペレーションを実施するよう構成される。
【０３４３】
当業者であれば、本願発明の実施形態が、方法、システム、またはコンピュータプログラム製品として提供されてよいことを理解しよう。よって、本願発明は、ハードウェアのみの実施形態、ソフトウェアのみの実施形態、またはソフトウェアとハードウェアとの組み合わせを用いた実施形態の形式を用いてよい。さらに、本願発明は、コンピュータ利用可能プログラムコードを含む１または複数のコンピュータ利用可能記憶媒体（限定されないが、ディスクメモリ、ＣＤ‐ＲＯＭ、光メモリ等を含む）上で実装されるコンピュータプログラム製品の形式を用いてよい。
【０３４４】
本願発明は、本願発明の実施形態に係る方法、デバイス（システム）、およびコンピュータプログラム製品のフローチャートおよび／またはブロック図に関連して説明されている。コンピュータプログラム命令が、フローチャートおよび／またはブロック図における各プロセスおよび／または各ブロック、ならびに、フローチャートおよび／またはブロック図におけるプロセスおよび／またはブロックの組み合わせを実装するのに用いられてよいことを理解されたい。これらコンピュータプログラム命令は、マシンを生成するべく、汎用コンピュータ、専用コンピュータ、組み込みプロセッサ、または任意の他のプログラム可能なデータ処理デバイスのプロセッサに提供されてよく、これにより、コンピュータ、または任意の他のプログラム可能なデータ処理デバイスのプロセッサにより実行される命令は、フローチャートの１または複数のプロセス、および／またはブロック図の１または複数のブロックにおける特定の機能を実装するための装置を生成する。
【０３４５】
これらコンピュータプログラム命令は代わりに、コンピュータまたは任意の他のプログラム可能なデータ処理デバイスに、特定の方式で処理を行うように命令出来るコンピュータ可読メモリに格納されてよく、これにより、コンピュータ可読メモリに格納された命令が命令装置を含む人工物を生成する。命令装置は、フローチャートの１または複数のプロセスおよび／またはブロック図の１または複数のブロックにおける特定の機能を実装する。
【０３４６】
これらコンピュータプログラム命令は代わりに、コンピュータまたは他のプログラム可能データ処理デバイスにロードされてよく、これにより、一連のオペレーションおよび段階がコンピュータまたは他のプログラム可能デバイスに対して実施され、それにより、コンピュータによって実装される処理を生成する。よって、コンピュータまたは他のプログラム可能なデバイスにおいて実行される命令は、フローチャートにおける１または複数のプロセスおよび／またはブロック図における１または複数のブロックにおける特定の機能を実装するための段階を提供する。
【０３４７】
本願発明の実施形態を説明してきたが、当業者であれば、基本的な発明概念を認識すれば、これら実施形態に変更および修正を加えることが出来る。よって、以下の特許請求の範囲は、実施形態並びに本願発明の範囲が含む全ての変更および修正を包含するものと解釈されるよう意図されている。
【０３４８】
明らかに、当業者であれば、本願発明の実施形態の趣旨及び範囲から逸脱することなく、本願発明の実施形態に様々な修正および変形を加えることが出来る。本願発明は、これら修正および変形が以下の特許請求の範囲およびそれらの均等技術によって定義される保護の範囲が含む限り、それら修正および変形を包含するよう意図されている。
【図１】
2019515540.tif 000785
【図２】
2019515540.tif 000786
【図３】
2019515540.tif 000787
【図４】
2019515540.tif 000788
【図５】
2019515540.tif 000789
【図６】
2019515540.tif 000790
【図７】
2019515540.tif 000791
【図８】
2019515540.tif 000792
【図９】
2019515540.tif 000793
【図１０Ａ】
2019515540.tif 000794
【図１０Ｂ】
2019515540.tif 000795
【図１１】
2019515540.tif 000796
【図１２】
2019515540.tif 000797
【図１３】
2019515540.tif 000798
【図１４】
2019515540.tif 000799
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
第２デバイスが送信した参照信号を受信するよう構成された受信モジュールであって、前記参照信号はＳ個のアンテナポートで送信され、前記Ｓ個のアンテナポートは、Ｈ個の参照信号リソースポートグループに属し、ＳおよびＨは１以上の整数である、受信モジュールと、
前記参照信号を測定して第１チャネル情報および第２チャネル情報を取得するよう構成された処理モジュールと、
前記第１チャネル情報および前記第２チャネル情報を前記第２デバイスへ送信するよう構成された送信モジュールと
を備え、
前記第１チャネル情報はＭ個の第１ベクトルの識別情報を含み、Ｍは２以上の整数であり、
前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、
前記重み付け合成係数は、第１係数および第２係数のうち少なくとも１つを含み、
前記第１係数は振幅係数であり、前記第２係数は位相係数であり、
前記第１チャネル情報および前記第２チャネル情報は、プリコーディング行列を構成するのに用いられ、
前記第１ベクトルの次元は、各参照信号リソースポートグループ内のアンテナポートの数であり、または前記第１ベクトルの次元は、各参照信号リソースポートグループ内のアンテナポートの数の半分である、
第１デバイス。
【請求項２】
前記Ｍ個の第１ベクトルは、第１ベクトルの全体集合のうち一部の第１ベクトルであり、前記第１ベクトルの全体集合はＫ個のベクトルグループに分割され、前記Ｋ個のベクトルグループのうち異なるベクトルグループが共通の第１ベクトルを含み、前記Ｍ個の第１ベクトルはＸ個のベクトルグループに属し、前記Ｘ個のベクトルグループは、前記Ｋ個のベクトルグループの一部または全部であり、前記第１チャネル情報は、前記Ｋ個のベクトルグループのうち、前記Ｘ個のベクトルグループの各ベクトルグループのグループ番号を含み、Ｋは正の整数であり、ＸはＫ以下の正の整数である、請求項１に記載の第１デバイス。
【請求項３】
前記位相係数のフィードバックはサブバンドベースのフィードバックである、請求項１または２に記載の第１デバイス。
【請求項４】
前記第２チャネル情報は要素０を含む、請求項１から３のいずれか一項に記載の第１デバイス。
【請求項５】
前記送信モジュールはさらに、Ｎの値を示すのに用いられる情報を前記第２デバイスへ送信するよう構成される、請求項１から４のいずれか一項に記載の第１デバイス。
【請求項６】
前記プリコーディング行列は２つの列を含み、第１列に対応するＭ個の第１ベクトルは第２列に対応するＭ個の第１ベクトルと同じであり、前記第１列に対応するＭ個の第１ベクトルの重み付け合成係数は、前記第２列に対応するＭ個の第１ベクトルの重み付け合成係数と異なる、請求項１から５のいずれか一項に記載の第１デバイス。
【請求項７】
参照信号を第１デバイスへ送信するよう構成された送信モジュールであって、前記参照信号はＳ個のアンテナポートで送信され、前記Ｓ個のアンテナポートは、Ｈ個の参照信号リソースポートグループに属し、ＳおよびＨは１以上の整数である、送信モジュールと、
前記第１デバイスから第１チャネル情報および第２チャネル情報を受信するよう構成される受信モジュールであって、前記第１チャネル情報および前記第２チャネル情報は、前記第１デバイスが、受信した前記参照信号を測定して取得し、前記第１チャネル情報はＭ個の第１ベクトルの識別情報を含み、Ｍは２以上の整数であり、前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、前記重み付け合成係数は、第１係数および第２係数のうち少なくとも１つを含み、前記第１係数は振幅係数であり、前記第２係数は位相係数であり、前記第１ベクトルの次元は、各参照信号リソースポートグループ内のアンテナポートの数であり、または前記第１ベクトルの次元は、各参照信号リソースポートグループ内のアンテナポートの数の半分である、受信モジュールと
前記第１チャネル情報および前記第２チャネル情報に基づきプリコーディング行列を生成するよう構成された処理モジュールと
を備え、
前記送信モジュールはさらに、前記処理モジュールが生成した前記プリコーディング行列に基づきデータを前記第１デバイスへ送信するよう構成される、
第２デバイス。
【請求項８】
前記Ｍ個の第１ベクトルは、第１ベクトルの全体集合のうち一部の第１ベクトルであり、前記第１ベクトルの全体集合はＫ個のベクトルグループに分割され、前記Ｋ個のベクトルグループのうち異なるベクトルグループが共通の第１ベクトルを含み、前記Ｍ個の第１ベクトルはＸ個のベクトルグループに属し、前記Ｘ個のベクトルグループは、前記Ｋ個のベクトルグループの一部または全部であり、前記第１チャネル情報は、前記Ｋ個のベクトルグループのうち、前記Ｘ個のベクトルグループの各ベクトルグループのグループ番号を含み、Ｋは正の整数であり、ＸはＫ以下の正の整数である、請求項７に記載の第２デバイス。
【請求項９】
前記位相係数のフィードバックはサブバンドベースのフィードバックである、請求項７または８に記載の第２デバイス。
【請求項１０】
前記第２チャネル情報は要素０を含む、請求項７から９のいずれか一項に記載の第２デバイス。
【請求項１１】
前記受信モジュールはさらに、前記第１デバイスから、Ｎの値を示すのに用いられる情報を受信するよう構成される、請求項７から１０のいずれか一項に記載の第２デバイス。
【請求項１２】
前記プリコーディング行列は２つの列を含み、第１列に対応するＭ個の第１ベクトルは第２列に対応するＭ個の第１ベクトルと同じであり、前記第１列に対応する前記Ｍ個の第１ベクトルの重み付け合成係数は、前記第２列に対応する前記Ｍ個の第１ベクトルの重み付け合成係数と異なる、請求項７から１１のいずれか一項に記載の第２デバイス。
【請求項１３】
第２デバイスが送信した参照信号を第１デバイスが受信する段階であって、前記参照信号はＳ個のアンテナポートで送信され、前記Ｓ個のアンテナポートは、Ｈ個の参照信号リソースポートグループに属し、ＳおよびＨは１以上の整数である、段階と、
前記第１デバイスが、受信した前記参照信号を測定して第１チャネル情報および第２チャネル情報を取得する段階と、
前記第１デバイスが、前記第１チャネル情報および前記第２チャネル情報を前記第２デバイスへ送信する段階と
を備え、
前記第１チャネル情報はＭ個の第１ベクトルの識別情報を含み、Ｍは２以上の整数であり、
前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、
前記重み付け合成係数は、第１係数および第２係数のうち少なくとも１つを含み、
前記第１係数は振幅係数であり、前記第２係数は位相係数であり、
前記第１チャネル情報および前記第２チャネル情報は、プリコーディング行列を構成するのに用いられ、
前記第１ベクトルの次元は、各参照信号リソースポートグループ内のアンテナポートの数であり、または前記第１ベクトルの次元は、各参照信号リソースポートグループ内のアンテナポートの数の半分である、
チャネル情報送信方法。
【請求項１４】
前記Ｍ個の第１ベクトルは、第１ベクトルの全体集合のうち一部の第１ベクトルであり、前記第１ベクトルの全体集合はＫ個のベクトルグループに分割され、前記Ｋ個のベクトルグループのうち異なるベクトルグループが共通の第１ベクトルを含み、前記Ｍ個の第１ベクトルはＸ個のベクトルグループに属し、前記Ｘ個のベクトルグループは、前記Ｋ個のベクトルグループの一部または全部であり、前記第１チャネル情報は前記Ｋ個のベクトルグループのうち、前記Ｘ個のベクトルグループの各ベクトルグループのグループ番号を含み、Ｋは正の整数であり、ＸはＫ以下の正の整数である、請求項１３に記載のチャネル情報送信方法。
【請求項１５】
前記位相係数のフィードバックはサブバンドベースのフィードバックである、請求項１３または１４に記載のチャネル情報送信方法。
【請求項１６】
前記第２チャネル情報は要素０を含む、請求項１３から１５のいずれか一項に記載のチャネル情報送信方法。
【請求項１７】
Ｎの値を示すのに用いられる情報を前記第２デバイスへ送信する段階をさらに備える、請求項１３から１６のいずれか一項に記載のチャネル情報送信方法。
【請求項１８】
前記プリコーディング行列は２つの列を含み、第１列に対応するＭ個の第１ベクトルは第２列に対応するＭ個の第１ベクトルと同じであり、前記第１列に対応する前記Ｍ個の第１ベクトルの重み付け合成係数は、前記第２列に対応する前記Ｍ個の第１ベクトルの重み付け合成係数と異なる、請求項１３から１７のいずれか一項に記載のチャネル情報送信方法。
【請求項１９】
第２デバイスが、参照信号を第１デバイスへ送信する段階であって、前記参照信号はＳ個のアンテナポートで送信され、前記Ｓ個のアンテナポートは、Ｈ個の参照信号リソースポートグループに属し、ＳおよびＨは１以上の整数である、段階と、
前記第２デバイスが、前記第１デバイスから第１チャネル情報および第２チャネル情報を受信する段階であって、前記第１チャネル情報および前記第２チャネル情報は前記第１デバイスが、受信した前記参照信号を測定して取得し、前記第１チャネル情報はＭ個の第１ベクトルの識別情報を含み、Ｍは２以上の整数であり、前記第２チャネル情報は、前記Ｍ個の第１ベクトルのうちＮ個の第１ベクトルに対して重み付け合成を実施するために用いられる重み付け合成係数についての情報を含み、ＮはＭ以下の正の整数であり、前記重み付け合成係数は、第１係数および第２係数のうち少なくとも１つを含み、前記第１係数は振幅係数であり、前記第２係数は位相係数であり、前記第１ベクトルの次元は、各参照信号リソースポートグループ内のアンテナポートの数であり、または前記第１ベクトルの次元は、各参照信号リソースポートグループ内のアンテナポートの数の半分である、段階と、
前記第２デバイスが、前記第１チャネル情報および前記第２チャネル情報に基づきプリコーディング行列を生成する段階と、
前記第２デバイスが、生成した前記プリコーディング行列に基づきデータを前記第１デバイスへ送信する段階と
を備える、データ送信方法。
【請求項２０】
前記Ｍ個の第１ベクトルは、第１ベクトルの全体集合のうち一部の第１ベクトルであり、前記第１ベクトルの全体集合はＫ個のベクトルグループに分割され、前記Ｋ個のベクトルグループのうち異なるベクトルグループが共通の第１ベクトルを含み、前記Ｍ個の第１ベクトルはＸ個のベクトルグループに属し、前記Ｘ個のベクトルグループは、前記Ｋ個のベクトルグループの一部または全部であり、前記第１チャネル情報は前記Ｋ個のベクトルグループのうち、前記Ｘ個のベクトルグループの各ベクトルグループのグループ番号を含み、Ｋは正の整数であり、ＸはＫ以下の正の整数である、
請求項１９に記載のデータ送信方法。
【請求項２１】
前記位相係数のフィードバックはサブバンドベースのフィードバックである、請求項１９または２０に記載のデータ送信方法。
【請求項２２】
前記第２チャネル情報は要素０を含む、請求項１９から２１のいずれか一項に記載のデータ送信方法。
【請求項２３】
前記第１デバイスから、Ｎの値を示すのに用いられる情報を受信する段階をさらに備える、請求項１９から２２のいずれか一項に記載のデータ送信方法。
【請求項２４】
前記プリコーディング行列は２つの列を含み、第１列に対応するＭ個の第１ベクトルは第２列に対応するＭ個の第１ベクトルと同じであり、前記第１列に対応する前記Ｍ個の第１ベクトルの重み付け合成係数は、前記第２列に対応する前記Ｍ個の第１ベクトルの重み付け合成係数と異なる、
請求項１９から２３のいずれか一項に記載のデータ送信方法。
【手続補正２】
【補正対象書類名】明細書
【補正対象項目名】全文
【補正方法】変更
【補正の内容】
【発明の詳細な説明】
【技術分野】
【０００１】
本願は、中国特許出願第２０１６１０３１９１６６．９号（中国特許庁への出願日は２０１６年５月１３日、発明の名称は「ＣＨＡＮＮＥＬ  ＩＮＦＯＲＭＡＴＩＯＮ  ＳＥＮＤＩＮＧ  ＭＥＴＨＯＤ，ＤＡＴＡ  ＳＥＮＤＩＮＧ  ＭＥＴＨＯＤ，ＡＮＤ  ＤＥＶＩＣＥ」）に基づき優先権を主張する。同特許出願はその全体が本明細書において参照により組み込まれる。
【０００２】
本願発明は無線通信技術の分野に関し、特に、チャネル情報送信方法、データ送信方法、およびデバイスに関する。
【背景技術】
【０００３】
現在、ロングタームエボリューション（Ｌｏｎｇ  Ｔｅｒｍ  Ｅｖｏｌｕｔｉｏｎ，ＬＴＥ）周波数分割複信（Ｆｒｅｑｕｅｎｃｙ  Ｄｉｖｉｓｉｏｎ  Ｄｕｐｌｅｘｉｎｇ，ＦＤＤ）システムにおいて、基地局が送信した参照信号に基づきユーザ機器（Ｕｓｅｒ  Ｅｑｕｉｐｍｅｎｔ，ＵＥ）がチャネル推定を実施し、それから、チャネル状態情報を決定し、チャネル状態情報をフィードバックする。チャネル状態情報は、ランクインジケータ（Ｒａｎｋ  Ｉｎｄｉｃａｔｏｒ，ＲＩ）、プリコーディング行列インデックス（Ｐｒｅｃｏｄｉｎｇ  Ｍａｔｒｉｘ  Ｉｎｄｉｃａｔｏｒ，ＰＭＩ）、およびチャネル品質インジケータ（Ｃｈａｎｎｅｌ  Ｑｕａｌｉｔｙ  Ｉｎｄｉｃａｔｏｒ，ＣＱＩ）を含む。
【０００４】
ＰＭＩは、プリコーディング行列のインデックスである。ＵＥはＰＭＩを基地局にフィードバックし、基地局は、受信したＰＭＩに基づき、対応するプリコーディング行列を決定し、決定したプリコーディング行列に基づきプリコーディング処理を実施し、ダウンリンク通信品質を向上させる。
【０００５】
現在、ＬＴＥ  ＦＤＤシステムにおいてＰＭＩをフィードバックする方式は、デュアルステージコードブック構造
【数１】
2019515540.tif 000800
式１（ここで、
【数２】
2019515540.tif 000801
である）に基づきプリコーディング行列Ｗをフィードバックすることである。
【０００６】
ここで、
【数３】
2019515540.tif 000802
、
【数２２】
2019515540.tif 000803
、...
【数５】
2019515540.tif 000804
は、プリコーディング行列Ｗに対応するコードワード
【数６】
2019515540.tif 000805
が含むベクトルであり、ＤＦＴベクトルであってよく、Ｍは２以上の整数である。ベクトル
【数７】
2019515540.tif 000806
は、基地局の伝送アンテナポートの数に対応する長さを有する列ベクトルである。Ｍの値は予め設定された値であってよく、または、基地局によって予め構成された値であってよい。
【０００７】
チャネル行列ランクが１に等しい場合、
【数８】
2019515540.tif 000807
式２
である。
【０００８】
チャネル行列ランクが２に等しい場合、
【数９】
2019515540.tif 000808
式３
である。
【０００９】
ここで、
【数１０】
2019515540.tif 000809
はＭ個のベクトルを含む集合を示し、
【数１１】
2019515540.tif 000810
は、列選択情報および同相（ｃｏ‐ｐｈａｓｅ）情報を含む。
【００１０】
列選択情報
【数１２】
2019515540.tif 000811
は
【数１３】
2019515540.tif 000812
の単位ベクトルであり、
【数１４】
2019515540.tif 000813
の要素の値のみが１であり、他の全要素の値は０である。
【数１５】
2019515540.tif 000814
の場合も、
【数１６】
2019515540.tif 000815
の場合と同様である。
【００１１】
同相情報
【数１７】
2019515540.tif 000816
は、第２デバイス１０２の伝送アンテナの２つの偏波方向間の位相差であり、値は０から
【数１８】
2019515540.tif 000817
の範囲の任意の数字である。
【００１２】
現在のデュアルステージコードブック構造では、
【数１９】
2019515540.tif 000818
は、Ｍ個のベクトル、
【数２０】
2019515540.tif 000819
、
【数２２】
2019515540.tif 000820
、...および
【数２３】
2019515540.tif 000821
から１つのベクトルを選択することにしか用いることが出来ない。その結果、プリコーディング行列Ｗのフィードバックは十分には精度が高くない。
【発明の概要】
【００１３】
このことを鑑み、プリコーディング行列に関するチャネル情報のフィードバック精度を向上させ、ダウンリンク適応性能をさらに向上させるチャネル情報送信方法、データ送信方法、およびデバイスが提供される。
【００１４】
第１の態様によると、本願発明の実施形態はチャネル情報送信方法を提供し、同方法は、
第２デバイスが参照信号を第１デバイスへ送信する段階であって、ここで、参照信号はＳ個のアンテナポートで送信され、Ｓ個のアンテナポートは、Ｈ個の参照信号リソースポートグループに属し、Ｈは１以上の整数である、送信する段階と、
第１デバイスが、参照信号を受信した後、受信した参照信号を測定して第１チャネル情報および第２チャネル情報を取得し、第２デバイスへ送信する段階と、
第２デバイスが、受信した第１チャネル情報および受信した第２チャネル情報に基づきプリコーディング行列を生成し、生成したプリコーディング行列に基づきデータを第１デバイスへ送信する段階と
を含む。
【００１５】
第１チャネル情報はＭ個の第１ベクトルの識別情報を含み、ここで、Ｍは２以上の整数である。第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数である。重み付け合成係数は、第１係数および／または第２係数を含む。第１係数は振幅係数であり、第２係数は位相係数または時間遅延係数である。
【００１６】
第１ベクトルの次元は、各参照信号リソースポートグループ内のアンテナポートの数であり、または第１ベクトルの次元は、各参照信号リソースポートグループ内のアンテナポートの数の半分である。
【００１７】
第１デバイスは、受信した参照信号に基づきチャネル推定を実施し、Ｍ個の第１ベクトルに対して重み付け合成を実施するために用いられる重み付け合成係数の第２チャネル情報を第２デバイスにフィードバックする。このように、第２デバイスは、プリコーディング行列を生成する際、複数の固有ベクトルから固有ベクトルを１つだけ選択するのではなく、受信した第２チャネル情報が示す重み付け合成係数に基づきＭ個の第１ベクトルに対して重み付け合成を実施してよく、これにより、生成したプリコーディング行列は精度がより高く、それにより、第２デバイスがデータを送信する際のリンク適応能力を向上させ、システム性能を向上させる。
【００１８】
オプションで、重み付け合成係数は要素０を含み、これにより、Ｎ個の第１ベクトルが選択される。
【００１９】
オプションで、第１デバイスはさらに、参照信号を測定して第３チャネル情報を取得し、第３チャネル情報を第２デバイスへ送信する。
【００２０】
第３チャネル情報は、参照信号のための２つのアンテナポートグループ間の位相差を示すのに用いられ、第２デバイスは、第１チャネル情報、第２チャネル情報、および第３チャネル情報に基づきプリコーディング行列を生成する。
【００２１】
オプションで、第１デバイスはさらに、参照信号を測定して第４チャネル情報を取得し、第４チャネル情報を第２デバイスへ送信する。
【００２２】
第４チャネル情報は、Ｍ個の第１ベクトルからＮ個の第１ベクトルを選択するのに用いられる選択情報を含む。
【００２３】
第２デバイスは、第１チャネル情報、第２チャネル情報、および第４チャネル情報に基づきプリコーディング行列を生成する。オプションで、第２デバイスは、第３チャネル情報に基づきプリコーディング行列を生成してよい。第２チャネル情報は、第４チャネル情報が示すＮ個の第１ベクトルに対して重み付け合成を実施するために用いられる重み付け合成係数についての情報のみを含む。
【００２４】
第１デバイスは第４チャネル情報をフィードバックし、これにより、Ｎ個の第１ベクトルを選択することが出来、したがって、第２チャネル情報の情報フィードバック量が減る。
【００２５】
オプションで、第１デバイスはさらに、参照信号を測定して第７チャネル情報を取得し、第７チャネル情報を第２デバイスへ送信する。第７チャネル情報は、Ｈ個の参照信号リソースポートグループからＹ個の参照信号リソースポートグループを選択するのに用いられる識別情報を含む。第２デバイスは、第１チャネル情報、第２チャネル情報、および第７チャネル情報に基づきプリコーディング行列を生成する。オプションで、第２デバイスは、第３チャネル情報および／または第４チャネル情報に基づきプリコーディング行列を生成してよい。
【００２６】
オプションで、第７チャネル情報は、他のチャネル情報と同じサブフレーム内でフィードバックされない。
【００２７】
オプションで、第１チャネル情報は、Ｋ個のベクトルグループのうち、Ｍ個の第１ベクトルを含むＸ個のベクトルグループの各ベクトルグループのグループ番号を含み、Ｋ個のベクトルグループ内の全第１ベクトルが、第１ベクトルの全体集合を構成し、ここで、Ｋは正の整数であり、ＸはＫ以下の正の整数である。
【００２８】
オプションで、Ｍ個の第１ベクトルは、Ｈ個の参照信号リソースポートグループから選択したＹ個の参照信号リソースポートグループに基づき測定を実施して取得され、ここで、Ｙは正の整数である。
【００２９】
オプションで、Ｍ個の第１ベクトルはＸ個のベクトルグループに対応し、各ベクトルグループは、Ｙ個の参照信号リソースポートグループのうち１つに対応し、Ｘ＝Ｙである。代わりに、Ｍ個の第１ベクトルはＸ個のベクトルグループに対応し、少なくとも２つのベクトルグループは、Ｙ個の参照信号リソースポートグループのうち１つに対応し、Ｘ＞Ｙである。
【００３０】
Ｍ個の第１ベクトルはグループ分けされ、これにより、複数の強いビームグループが選択されてよく、生成されるプリコーディング行列がより良好に実際のチャネル状態に適応することが出来、リンク適応性能が向上する。
【００３１】
オプションで、第１デバイスは、Ｘの値を示すのに用いられる情報を第２デバイスへ送信する。代わりに、第１デバイスは、Ｘの値を示すのに用いられる情報を第２デバイスから受信する。
【００３２】
オプションで、Ｋ個のベクトルグループのうち異なるベクトルグループが共通の第１ベクトルを含むか、または含まない。
【００３３】
Ｋ個のベクトルグループのうち異なるベクトルグループが同数の第１ベクトルを含むか、または異なる数の第１ベクトルを含む。
【００３４】
オプションで、Ｘ個のベクトルグループのうち異なるベクトルグループが共通の第２チャネル情報に対応し、それら異なるベクトルグループに関して、第１デバイスは、共通の第２チャネル情報を１つだけフィードバックする、または異なるベクトルグループは異なる第２チャネル情報に対応し、それら異なるベクトルグループに関して、第１デバイスは、第２チャネル情報を別々にフィードバックする。
【００３５】
オプションで、各チャネル情報は、柔軟なフィードバック方式でフィードバックされてよく、チャネル情報フィードバックの精度を向上させ、可能な限り情報フィードバック量を減らす。
【００３６】
例えば、第１チャネル情報のフィードバック方式は広帯域ベースのフィードバックであり、第２チャネル情報のフィードバック方式はサブバンドベースのフィードバックである。代わりに、第１チャネル情報のフィードバック方式および第２チャネル情報のフィードバック方式の両方がサブバンドベースのフィードバックであり、第１チャネル情報のためのフィードバック帯域幅は、第２チャネル情報のためのフィードバック帯域幅より大きい。
【００３７】
第１チャネル情報のフィードバック周期は、第２チャネル情報のフィードバック周期より長い。
【００３８】
他の例として、第１チャネル情報のフィードバック方式は広帯域ベースのフィードバックであり、第２チャネル情報のフィードバック方式および第３チャネル情報のフィードバック方式はサブバンドベースのフィードバックである。代わりに、第１チャネル情報のフィードバック方式、第２チャネル情報のフィードバック方式、および第３チャネル情報のフィードバック方式は全てサブバンドベースのフィードバックであり、第１チャネル情報のためのフィードバック帯域幅は、第２チャネル情報のためのフィードバック帯域幅および第３チャネル情報のためのフィードバック帯域幅より大きい。
【００３９】
第１チャネル情報のフィードバック周期は、第２チャネル情報のフィードバック周期および第３チャネル情報のフィードバック周期より長い。
【００４０】
他の例として、第１チャネル情報のフィードバック方式および第２チャネル情報のフィードバック方式は広帯域ベースのフィードバックであり、第３チャネル情報のフィードバック方式はサブバンドベースのフィードバックである。代わりに、第１チャネル情報のためのフィードバック帯域幅および第２チャネル情報のためのフィードバック帯域幅の両方が、第３チャネル情報のためのフィードバック帯域幅より大きい。
【００４１】
第１チャネル情報のフィードバック方式および第２チャネル情報のフィードバック方式は長期フィードバックであり、第３チャネル情報のフィードバック方式は短期フィードバックである。
【００４２】
代わりに、第１チャネル情報のフィードバック周期および第２チャネル情報のフィードバック周期の両方が、第３チャネル情報のフィードバック周期より長い。
【００４３】
他の例として、第１チャネル情報のフィードバック方式は広帯域ベースのフィードバックであり、第２チャネル情報のフィードバック方式、第３チャネル情報のフィードバック方式、および第４チャネル情報のフィードバック方式は全てサブバンドベースのフィードバックである。代わりに、第１チャネル情報のためのフィードバック帯域幅は、第２チャネル情報のためのフィードバック帯域幅、第３チャネル情報のためのフィードバック帯域幅、および第４チャネル情報のためのフィードバック帯域幅より大きい。
【００４４】
第１チャネル情報のフィードバック周期は、第２チャネル情報のフィードバック周期、第３チャネル情報のフィードバック周期、および第４チャネル情報のフィードバック周期より長い。
【００４５】
オプションで、第１チャネル情報のフィードバック方式および第２チャネル情報のフィードバック方式の両方が広帯域ベースのフィードバックであり、第３チャネル情報のフィードバック方式および第４チャネル情報のフィードバック方式の両方がサブバンドベースのフィードバックである。代わりに、第１チャネル情報のためのフィードバック帯域幅および第２チャネル情報のためのフィードバック帯域幅が、第３チャネル情報のためのフィードバック帯域幅および第４チャネル情報のためのフィードバック帯域幅より大きい。
【００４６】
第１チャネル情報のフィードバック周期および第２チャネル情報のフィードバック周期は、第３チャネル情報のフィードバック周期および第４チャネル情報のフィードバック周期より長い。
【００４７】
オプションで、第１チャネル情報のフィードバック方式、第２チャネル情報のフィードバック方式、および第４チャネル情報のフィードバック方式は全て広帯域ベースのフィードバックであり、第３チャネル情報のフィードバック方式はサブバンドベースのフィードバックである。代わりに、第１チャネル情報のためのフィードバック帯域幅、第２チャネル情報のためのフィードバック帯域幅、および第４チャネル情報のためのフィードバック帯域幅が、第３チャネル情報のためのフィードバック帯域幅より大きい。
【００４８】
第１チャネル情報のフィードバック周期、第２チャネル情報のフィードバック周期、および第４チャネル情報のフィードバック周期は、第３チャネル情報のフィードバック周期より長い。
【００４９】
オプションで、第１チャネル情報のフィードバック方式および第４チャネル情報のフィードバック方式の両方が広帯域ベースのフィードバックであり、第２チャネル情報のフィードバック方式および第３チャネル情報のフィードバック方式の両方がサブバンドベースのフィードバックである。代わりに、第１チャネル情報のためのフィードバック帯域幅および第４チャネル情報のためのフィードバック帯域幅が、第２チャネル情報のためのフィードバック帯域幅および第３チャネル情報のためのフィードバック帯域幅より大きい。
【００５０】
第１チャネル情報のフィードバック周期および第４チャネル情報のフィードバック周期は、第２チャネル情報のフィードバック周期および第３チャネル情報のフィードバック周期より長い。
【００５１】
オプションで、第１デバイスは、参照信号を測定して第５チャネル情報および第６チャネル情報を取得し、第１デバイスは、第５チャネル情報および第６チャネル情報を第２デバイスへ送信する。
【００５２】
第５チャネル情報は、第２デバイスから第１デバイスへの空間多重化されたデータの量を示すのに用いられる情報を含み、第６チャネル情報は、第２デバイスから第１デバイスへのチャネルのチャネル品質を示すのに用いられる情報を含む。
【００５３】
第２デバイスはさらに、第５チャネル情報および第６チャネル情報に基づきプリコーディング行列を生成する。
【００５４】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【００５５】
代わりに、第３チャネル情報がフィードバックされる場合、
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【００５６】
代わりに、第４チャネル情報がフィードバックされる場合、
第１チャネル情報、第４チャネル情報、および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報、第４チャネル情報、および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報および第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報、第３チャネル情報、および第６チャネル情報は、第３周期を用いて第３サブフレーム内でフィードバックされ、ここで、第１周期は第２周期以上であり、第２周期は第３周期以上である、または、
第５チャネル情報、第１チャネル情報、第２チャネル情報、および第４チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【００５７】
オプションで、第１チャネル情報、第２チャネル情報、および第３チャネル情報は、ランクが１のプリコーディング行列を以下の方式
【数２４】
2019515540.tif 000822
で構成し、ここで、
【数２５】
2019515540.tif 000823
はＭ個の第１ベクトルであり、
【数２６】
2019515540.tif 000824
は重み付け合成係数であり、ここで、
【数２７】
2019515540.tif 000825
は
【数２８】
2019515540.tif 000826
に対して重み付けを実施するのに用いられ、
【数２９】
2019515540.tif 000827
は
【数３０】
2019515540.tif 000828
に対して重み付けを実施するのに用いられ、
【数３１】
2019515540.tif 000829
は
【数３２】
2019515540.tif 000830
に対して重み付けを実施するのに用いられ、ｍは整数であり、０≦ｍ≦Ｍであり、
【数３３】
2019515540.tif 000831
は、第３チャネル情報が示す、参照信号のための２つのアンテナポートグループ間の位相差であり、
【数３４】
2019515540.tif 000832
は正規化係数である。
【００５８】
オプションで、
【数３５】
2019515540.tif 000833
は、Ｋ個のベクトルグループのうちグループ番号がｉのベクトルグループである。
【００５９】
Ｋ個のベクトルグループ内の全第１ベクトルが第１ベクトルの全体集合を構成し、Ｋは正の整数である。
【００６０】
第１チャネル情報は、ｉを示すのに用いられる情報を含む。
【００６１】
オプションで、
【数３６】
2019515540.tif 000834
であり、ここで、Ｘ個のベクトルグループ
【数３７】
2019515540.tif 000835
は、Ｋ個のベクトルグループのうちグループ番号が順に
【数３８】
2019515540.tif 000836
から
【数３９】
2019515540.tif 000837
までのベクトルグループであり、ｘは整数であり、０≦ｘ≦Ｘ−１であり、Ｘは正の整数である。
【００６２】
Ｋ個のベクトルグループ内の全第１ベクトルが第１ベクトルの全体集合を構成し、Ｋは正の整数である。
【００６３】
第１チャネル情報は、
【数４０】
2019515540.tif 000838
から
【数４１】
2019515540.tif 000839
を示すのに別々に用いられる情報を含む。
【００６４】
オプションで、第１チャネル情報、第２チャネル情報、第３チャネル情報、および第４チャネル情報は、ランクが１のプリコーディング行列を以下の方式
【数４２】
2019515540.tif 000840
で構成し、ここで、
【数４３】
2019515540.tif 000841
であり、
【数４４】
2019515540.tif 000842
であり、
【数４５】
2019515540.tif 000843
はＭ個の第１ベクトルであり、
【数４６】
2019515540.tif 000844
は、Ｎ個の第１ベクトルに対して重み付け合成を実施するために用いられる重み付け合成係数であり、ここで、
【数４７】
2019515540.tif 000845
は
【数４８】
2019515540.tif 000846
に対して重み付けを実施するのに用いられ、
【数４９】
2019515540.tif 000847
は
【数５０】
2019515540.tif 000848
に対して重み付けを実施するのに用いられ、
【数５１】
2019515540.tif 000849
は
【数５２】
2019515540.tif 000850
に対して重み付けを実施するのに用いられ、ｍは整数であり、０≦ｍ≦Ｍ−１であり、
【数５３】
2019515540.tif 000851
は、第３チャネル情報が示す、参照信号のための２つのアンテナポートグループ間の位相差であり、
【数５４】
2019515540.tif 000852
の行の数はＭであり、第４チャネル情報は
【数５５】
2019515540.tif 000853
から
【数５６】
2019515540.tif 000854
を示すのに用いられる情報であり、
【数５７】
2019515540.tif 000855
は正規化係数である。
【００６５】
オプションで、第１デバイスは、Ｎの値を示すのに用いられる情報を第２デバイスへ送信する。代わりに、第１デバイスは、Ｎの値を示すのに用いられる情報を第２デバイスから受信する。
【００６６】
オプションで、第４チャネル情報は、
【数５８】
2019515540.tif 000856
を示すのに用いられる。
【００６７】
代わりに、第４チャネル情報は、Ｍ個のビットを含む。Ｍ個のビットのうち、
【数５９】
2019515540.tif 000857
番目のビットから
【数６０】
2019515540.tif 000858
番目のビットは１であり、残りのビットは０である。
【００６８】
オプションで、第１チャネル情報、第２チャネル情報、および第３チャネル情報は、ランクが２のプリコーディング行列を以下の方式
【数６１】
2019515540.tif 000859
で構成し、ここで、
【数６２】
2019515540.tif 000860
であり、
【数６３】
2019515540.tif 000861
である。ＲおよびＳは正の整数であり、Ｒ≦Ｍであり、Ｓ≦Ｍであり、
【数６４】
2019515540.tif 000862
および
【数６５】
2019515540.tif 000863
は互いに組み合わせられてＭ個の第１ベクトルを構成し、
【数６６】
2019515540.tif 000864
および
【数６７】
2019515540.tif 000865
は重み付け合成係数であり、ここで、
【数６８】
2019515540.tif 000866
は
【数６９】
2019515540.tif 000867
に対して重み付けを実施するのに用いられ、
【数７０】
2019515540.tif 000868
は
【数７１】
2019515540.tif 000869
に対して重み付けを実施するのに用いられ、
【数７２】
2019515540.tif 000870
は
【数７３】
2019515540.tif 000871
に対して重み付けを実施するのに用いられ、
【数７４】
2019515540.tif 000872
は
【数７５】
2019515540.tif 000873
に対して重み付けを実施するのに用いられ、
【数７６】
2019515540.tif 000874
は
【数７７】
2019515540.tif 000875
に対して重み付けを実施するのに用いられ、
【数７８】
2019515540.tif 000876
は
【数７９】
2019515540.tif 000877
に対して重み付けを実施するのに用いられ、ｍは整数であり、０≦ｍ≦Ｒ−１であり、ｎは整数であり、０≦ｎ≦Ｓ−１であり、
【数８０】
2019515540.tif 000878
は、第３チャネル情報が示す、参照信号のための２つのアンテナポートグループ間の位相差であり、
【数８１】
2019515540.tif 000879
は正規化係数である。
【００６９】
オプションで、
【数８２】
2019515540.tif 000880
は
【数８３】
2019515540.tif 000881
と同じであり、
【数８４】
2019515540.tif 000882
は
【数８５】
2019515540.tif 000883
と異なる、または、
【数８６】
2019515540.tif 000884
は
【数８７】
2019515540.tif 000885
と異なり、
【数８８】
2019515540.tif 000886
は
【数８９】
2019515540.tif 000887
と同じである、または、
【数９０】
2019515540.tif 000888
は
【数９１】
2019515540.tif 000889
と異なり、
【数９２】
2019515540.tif 000890
は
【数９３】
2019515540.tif 000891
と異なる、または、
【数９４】
2019515540.tif 000892
は
【数９５】
2019515540.tif 000893
と同じであり、
【数９６】
2019515540.tif 000894
は
【数９７】
2019515540.tif 000895
と同じである。
【００７０】
オプションで、
【数９８】
2019515540.tif 000896
である。
【００７１】
Ｘ個のベクトルグループ
【数９９】
2019515540.tif 000897
は、Ｋ個のベクトルグループのうちグループ番号が順に
【数１００】
2019515540.tif 000898
から
【数１０１】
2019515540.tif 000899
までのベクトルグループであり、ｘは整数であり、０≦ｘ≦Ｘ−１であり、Ｘは正の整数である。
【００７２】
Ｋ個のベクトルグループ内の全第１ベクトルが第１ベクトルの全体集合を構成し、Ｋは正の整数である。
【００７３】
第１チャネル情報は、
【数１０２】
2019515540.tif 000900
から
【数１０３】
2019515540.tif 000901
を示すのに別々に用いられる情報を含む。
【００７４】
【数１０４】
2019515540.tif 000902
は、Ｈ個の参照信号リソースポートグループのうちＹ個の参照信号リソースポートグループ内の第１参照信号リソースポートグループに対応し、
【数１０５】
2019515540.tif 000903
は、Ｈ個の参照信号リソースポートグループのうちＹ個の参照信号リソースポートグループ内のｘ番目の参照信号リソースポートグループに対応し、
【数１０６】
2019515540.tif 000904
は、Ｈ個の参照信号リソースポートグループのうちＹ個の参照信号リソースポートグループ内のＸ番目の参照信号リソースポートグループに対応する。
【００７５】
オプションで、第２チャネル情報は、時間遅延係数である。
【００７６】
第１チャネル情報および第２チャネル情報を含むプリコーディング行列の時間ドメイン形式は以下の通り
【数１０７】
2019515540.tif 000905
であり、ここで、
【数１０８】
2019515540.tif 000906
は、Ｎ個の第１ベクトルのうちｍ番目のベクトルに対応する時間遅延係数である。
【００７７】
オプションで、
【数１０９】
2019515540.tif 000907
はＭ個の第１ベクトルであり、
【数１１０】
2019515540.tif 000908
である。
【００７８】
【数１１１】
2019515540.tif 000909
のうち各第１ベクトルは、第２ベクトルグループ内の第２ベクトルおよび第３ベクトルグループ内の第３ベクトルのクロネッカー積であり、
【数１１２】
2019515540.tif 000910
であり、ここで、
【数１１３】
2019515540.tif 000911
は第１ベクトルであり、
【数１１４】
2019515540.tif 000912
は、番号がｐである第２ベクトルグループ内の番号が
【数１１５】
2019515540.tif 000913
である第２ベクトルであり、
【数１１６】
2019515540.tif 000914
は、番号がｔである第３ベクトルグループ内の番号が
【数１１７】
2019515540.tif 000915
である第３ベクトルである。
【００７９】
第１チャネル情報は、第１サブチャネル情報および第２サブチャネル情報を含む。
【００８０】
第１サブチャネル情報はｐを示すのに用いられ、第２サブチャネル情報はｔを示すのに用いられる。
【００８１】
【数１１８】
2019515540.tif 000916
であり、ここで、
【数１１９】
2019515540.tif 000917
は、アンテナアレイ内の第１次元アンテナポートの数であり、
【数１２０】
2019515540.tif 000918
は、第１次元アンテナのコードワードセットを構成するＤＦＴベクトルをオーバーサンプリングするために用いられる係数であり、
【数１２１】
2019515540.tif 000919
は正の整数である。
【００８２】
【数１２２】
2019515540.tif 000920
であり、ここで、
【数１２３】
2019515540.tif 000921
は、アンテナアレイ内の第２次元アンテナポートの数であり、
【数１２４】
2019515540.tif 000922
は、第２次元アンテナのコードワードセットを構成するＤＦＴベクトルをオーバーサンプリングするために用いられる係数であり、
【数１２５】
2019515540.tif 000923
は正の整数である。
【００８３】
オプションで、第２ベクトルグループの数は２以上であり、第３ベクトルグループの数は１に等しい、または、
第３ベクトルグループの数は２以上であり、第２ベクトルグループの数は１に等しい、または、
第３ベクトルグループの数は１に等しく、第２ベクトルグループの数は１に等しい。
【００８４】
オプションで、第２ベクトルおよび第３ベクトルは、ＤＦＴベクトルである。
【００８５】
第２ベクトルの全体集合が含むベクトルの数と、第３ベクトルの全体集合が含むベクトルの数とは、互いに独立して設定されている。
【００８６】
オプションで、第２チャネル情報は第３サブチャネル情報を含み、第３サブチャネル情報は第１係数を示すのに用いられる。
【００８７】
第３サブチャネル情報は、量子化されない。
【００８８】
代わりに、第１量子化が第３サブチャネル情報に対して実施され、第１量子化の量子化次数は予め設定された第１量子化次数閾値以下である。
【００８９】
オプションで、第２チャネル情報は第４サブチャネル情報を含み、第４サブチャネル情報は第２係数を示すのに用いられる。
【００９０】
第４サブチャネル情報は、量子化されない。
【００９１】
代わりに、第２量子化が第４サブチャネル情報に対して実施され、第２量子化の量子化次数は、予め設定された第２量子化次数閾値以上である。
【００９２】
第２の態様によると、本願発明の実施形態は第１デバイスを提供し、同第１デバイスは、前述の方法における第１デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【００９３】
オプションである実装の解決手段において、第１デバイスの構造は、プロセッサと、送信機と、受信機とを含む。プロセッサは、第１デバイスが、前述の方法における対応する機能を実施するのをサポートするよう構成される。送信機は、第１デバイスが、メッセージまたはデータを前述の方法で第２デバイスへ送信するのをサポートするよう構成される。受信機は、メッセージまたはデータを前述の方法で第２デバイスから受信するよう構成される。第１デバイスはさらにメモリを含んでよく、メモリはプロセッサに結合するよう構成され、第１デバイスが必要とするプログラム命令およびデータを格納する。
【００９４】
第３の態様によると、本願発明の実施形態は第２デバイスを提供し、同第２デバイスは、前述の方法における第２デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【００９５】
オプションである実装の解決手段において、第２デバイスの構造は、送信機と、受信機と、プロセッサとを含む。受信機は、第２デバイスが、メッセージまたはデータを前述の方法で第１デバイスから受信するのをサポートするよう構成される。送信機は、第２デバイスが、メッセージまたはデータを前述の方法で第１デバイスへ送信するのをサポートするよう構成される。プロセッサは、第２デバイスが、前述の方法における対応する機能を実施するのをサポートするよう構成される。第２デバイスはさらにメモリを含んでよく、メモリはプロセッサに結合するよう構成され、第２デバイスが必要とするプログラム命令およびデータを格納する。
【００９６】
第４の態様によると、本願発明の実施形態は無線通信システムを提供し、同無線通信システムは、第１の態様から第３の態様のうちいずれか１つに係る第１デバイスおよび第２デバイスを含む。
【００９７】
第５の態様によると、本願発明の実施形態は、コンピュータ記憶媒体を提供する。コンピュータ記憶媒体は、第１の態様から第４の態様のうちいずれか１つに係る第１デバイスが用いるコンピュータソフトウェア命令を格納するよう構成され、前述の態様を実行するために設計されたプログラムを含む。
【００９８】
第６の態様によると、本願発明の実施形態は、コンピュータ記憶媒体を提供する。コンピュータ記憶媒体は、第１の態様から第４の態様のうちいずれか１つに係る第２デバイスが用いるコンピュータソフトウェア命令を格納するよう構成され、前述の態様を実行するために設計されたプログラムを含む。
【００９９】
第７の態様によると、本願発明の実施形態はチャネル情報送信方法を提供し、同方法は、
第２デバイスが、参照信号を第１デバイスへ送信する段階と、第２デバイスが送信した参照信号を第１デバイスが受信する段階と、第１デバイスが、参照信号を受信した後、受信した参照信号を測定して第１チャネル情報および第２チャネル情報を取得し、第１チャネル情報および第２チャネル情報を第２デバイスへ送信する段階と、第２デバイスが、受信した第１チャネル情報および受信した第２チャネル情報に基づきプリコーディング行列を生成し、生成したプリコーディング行列に基づきデータを第１デバイスへ送信する段階と
を含む。
【０１００】
第１チャネル情報は、参照信号のためのＭ個のアンテナポートのうちＮ個のアンテナポートの識別情報を含み、ここで、Ｍは２以上の整数であり、ＮはＭ以下の正の整数である。第２チャネル情報は、Ｎ個のアンテナポートに対して重み付け合成を実施するために用いられる重み付け合成係数についての情報を含む。重み付け合成係数は、第１係数および／または第２係数を含む。第１係数は振幅係数であり、第２係数は位相係数または時間遅延係数である。
【０１０１】
第１デバイスは、受信した参照信号に基づきチャネル推定を実施し、参照信号のためのＭ個のアンテナポートに対して重み付け合成を実施するために用いられる重み付け合成係数の第２チャネル情報を第２デバイスにフィードバックする。このように、第２デバイスは、プリコーディング行列を生成する際、受信した第２チャネル情報が示す重み付け合成係数に基づきＭ個のアンテナポートに対して重み付け合成を実施してよく、これにより、比較的精度が高いプリコーディング行列を生成することも出来、それにより、同じく、第２デバイスがデータを送信する際のリンク適応能力を向上させ、システム性能を向上させる。
【０１０２】
オプションで、重み付け合成係数は要素０を含み、これにより、Ｎ個のアンテナポートが選択される。
【０１０３】
オプションで、第１デバイスは、参照信号を測定して第３チャネル情報を取得し、第３チャネル情報を第２デバイスへ送信する。第３チャネル情報は、Ｍ個のアンテナポートをグループ分けして取得される２つのアンテナポートグループ間の位相差を含む。第２デバイスは、第１チャネル情報、第２チャネル情報、および第３チャネル情報に基づきプリコーディング行列を生成する。
【０１０４】
オプションで、各チャネル情報は、柔軟なフィードバック方式でフィードバックされてよく、チャネル情報フィードバックの精度を向上させ、可能な限り情報フィードバック量を減らす。
【０１０５】
例えば、第１チャネル情報のフィードバック方式は広帯域ベースのフィードバックであり、第２チャネル情報のフィードバック方式はサブバンドベースのフィードバックである。代わりに、第１チャネル情報のフィードバック方式および第２チャネル情報のフィードバック方式の両方がサブバンドベースのフィードバックであり、第１チャネル情報のためのフィードバック帯域幅は、第２チャネル情報のためのフィードバック帯域幅より大きい。
【０１０６】
第１チャネル情報のフィードバック周期は、第２チャネル情報のフィードバック周期より長い。
【０１０７】
他の例として、第１チャネル情報のフィードバック方式は広帯域ベースのフィードバックであり、第２チャネル情報のフィードバック方式および第３チャネル情報のフィードバック方式はサブバンドベースのフィードバックである。代わりに、第１チャネル情報のフィードバック方式、第２チャネル情報のフィードバック方式、および第３チャネル情報のフィードバック方式は全てサブバンドベースのフィードバックであり、第１チャネル情報のためのフィードバック帯域幅は、第２チャネル情報のためのフィードバック帯域幅および第３チャネル情報のためのフィードバック帯域幅より大きい。
【０１０８】
第１チャネル情報のフィードバック周期は、第２チャネル情報のフィードバック周期および第３チャネル情報のフィードバック周期より長い。
【０１０９】
他の例として、第１チャネル情報のフィードバック方式および第２チャネル情報のフィードバック方式は広帯域ベースのフィードバックであり、第３チャネル情報のフィードバック方式はサブバンドベースのフィードバックである。代わりに、第１チャネル情報のためのフィードバック帯域幅および第２チャネル情報のためのフィードバック帯域幅の両方が、第３チャネル情報のためのフィードバック帯域幅より大きい。
【０１１０】
第１チャネル情報のフィードバック方式および第２チャネル情報のフィードバック方式は長期フィードバックであり、第３チャネル情報のフィードバック方式は短期フィードバックである。代わりに、第１チャネル情報のフィードバック周期および第２チャネル情報のフィードバック周期の両方が、第３チャネル情報のフィードバック周期より長い。
【０１１１】
オプションで、第１デバイスは、参照信号を測定して第５チャネル情報および第６チャネル情報を取得し、第１デバイスは、第５チャネル情報および第６チャネル情報を第２デバイスへ送信する。
【０１１２】
第５チャネル情報は、第２デバイスから第１デバイスへの空間多重化されたデータの量を示すのに用いられる情報を含み、第６チャネル情報は、第２デバイスから第１デバイスへのチャネルのチャネル品質を示すのに用いられる情報を含む。
【０１１３】
第２デバイスはさらに、第５チャネル情報および第６チャネル情報に基づきプリコーディング行列を生成する。
【０１１４】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【０１１５】
代わりに、第３チャネル情報がフィードバックされる場合、
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０１１６】
オプションで、第１チャネル情報、第２チャネル情報、および第３チャネル情報は、ランクが１のプリコーディング行列を以下の方式
【数１２６】
2019515540.tif 000924
で構成し、ここで、
【数１２７】
2019515540.tif 000925
であり、
【数１２８】
2019515540.tif 000926
であり、
【数１２９】
2019515540.tif 000927
は第１チャネル情報に対応し、
【数１３０】
2019515540.tif 000928
は、Ｎ／２個のポートに対して重み付け合成を実施するために用いられる重み付け合成係数であり、ここで、
【数１３１】
2019515540.tif 000929
は、
【数１３２】
2019515540.tif 000930
番目のポートおよび（
【数１３３】
2019515540.tif 000931
＋Ｎ／２）番目のポートに対して重み付けを実施するのに用いられ、
【数１３４】
2019515540.tif 000932
は、
【数１３５】
2019515540.tif 000933
番目のポートおよび（
【数１３６】
2019515540.tif 000934
＋Ｎ／２）番目のポートに対して重み付けを実施するのに用いられ、
【数１３７】
2019515540.tif 000935
は、
【数１３８】
2019515540.tif 000936
番目のポートおよび（
【数１３９】
2019515540.tif 000937
＋Ｎ／２）番目のポートに対して重み付けを実施するのに用いられ、ｍは整数であり、０≦ｍ≦Ｍ−１であり、
【数１４０】
2019515540.tif 000938
は、第３チャネル情報が示す、参照信号のための２つのアンテナポートグループ間の位相差であり、
【数１４１】
2019515540.tif 000939
の行の数はＭであり、
【数１４２】
2019515540.tif 000940
は正規化係数である。
【０１１７】
オプションで、第１デバイスは、Ｎの値を示すのに用いられる情報を第２デバイスへ送信する。
【０１１８】
代わりに、第１デバイスは、Ｎの値を示すのに用いられる情報を第２デバイスから受信する。
【０１１９】
オプションで、第１チャネル情報は、
【数１４３】
2019515540.tif 000941
を示すのに用いられる。
【０１２０】
代わりに、第１チャネル情報は、Ｍ個のビットを含む。Ｍ個のビットのうち、
【数１４４】
2019515540.tif 000942
番目のビットから
【数１４５】
2019515540.tif 000943
番目のビットは１であり、残りのビットは０である。
【０１２１】
オプションで、第１チャネル情報、第２チャネル情報、および第３チャネル情報は、ランクが２のプリコーディング行列を以下の方式
【数１４６】
2019515540.tif 000944
で構成し、ここで、
【数１４７】
2019515540.tif 000945
であり、
【数１４８】
2019515540.tif 000946
である。  ＲおよびＳは正の整数であり、Ｒ≦Ｍであり、Ｓ≦Ｍであり、
【数１４９】
2019515540.tif 000947
および
【数１５０】
2019515540.tif 000948
は重み付け合成係数であり、ここで、
【数１５１】
2019515540.tif 000949
は、
【数１５２】
2019515540.tif 000950
番目のポートおよび（
【数１５３】
2019515540.tif 000951
＋Ｎ／２）番目のポートに対して重み付けを実施するのに用いられ、
【数１５４】
2019515540.tif 000952
は、
【数１５５】
2019515540.tif 000953
番目のポートおよび（
【数１５６】
2019515540.tif 000954
＋Ｎ／２）番目のポートに対して重み付けを実施するのに用いられ、
【数１５７】
2019515540.tif 000955
は、
【数１５８】
2019515540.tif 000956
番目のポートおよび（
【数１５９】
2019515540.tif 000957
＋Ｎ／２）番目のポートに対して重み付けを実施するのに用いられ、
【数１６０】
2019515540.tif 000958
は、
【数１６１】
2019515540.tif 000959
番目のポートおよび（
【数１６２】
2019515540.tif 000960
＋Ｎ／２）番目のポートに対して重み付けを実施するのに用いられ、
【数１６３】
2019515540.tif 000961
は、
【数１６４】
2019515540.tif 000962
番目のポートおよび（
【数１６５】
2019515540.tif 000963
＋Ｎ／２）番目のポートに対して重み付けを実施するのに用いられ、
【数１６６】
2019515540.tif 000964
は、
【数１６７】
2019515540.tif 000965
番目のポートおよび（
【数１６８】
2019515540.tif 000966
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数１６９】
2019515540.tif 000967
は、第３チャネル情報が示す、参照信号のための２つのアンテナポートグループ間の位相差であり、
【数１７０】
2019515540.tif 000968
は正規化係数である。
【０１２２】
オプションで、
【数１７１】
2019515540.tif 000969
は
【数１７２】
2019515540.tif 000970
と同じであり、
【数１７３】
2019515540.tif 000971
は
【数１７４】
2019515540.tif 000972
と異なる、または、
【数１７５】
2019515540.tif 000973
は
【数１７６】
2019515540.tif 000974
と異なり、
【数１７７】
2019515540.tif 000975
は
【数１７８】
2019515540.tif 000976
と同じである、または、
【数１７９】
2019515540.tif 000977
は
【数１８０】
2019515540.tif 000978
と異なり、
【数１８１】
2019515540.tif 000979
は
【数１８２】
2019515540.tif 000980
と異なる、または、
【数１８３】
2019515540.tif 000981
は
【数１８４】
2019515540.tif 000982
と同じであり、
【数１８５】
2019515540.tif 000983
は
【数１８６】
2019515540.tif 000984
と同じである。
【０１２３】
オプションで、第２チャネル情報は、時間遅延係数である。
【０１２４】
第１チャネル情報および第２チャネル情報を含むプリコーディング行列の時間ドメイン形式は以下の通り
【数１８７】
2019515540.tif 000985
であり、ここで、
【数１８８】
2019515540.tif 000986
は、Ｎ個の第１ベクトルのうちｍ番目のベクトルに対応する時間遅延係数である。
【０１２５】
オプションで、第２チャネル情報は第１サブチャネル情報を含み、第１サブチャネル情報は第１係数を示すのに用いられる。
【０１２６】
第１サブチャネル情報は、量子化されない。
【０１２７】
代わりに、第１量子化が第１サブチャネル情報に対して実施され、第１量子化の量子化次数は予め設定された第１量子化次数閾値以下である。
【０１２８】
オプションで、第２チャネル情報は第２サブチャネル情報を含み、第２サブチャネル情報は第２係数を示すのに用いられる。
【０１２９】
第２サブチャネル情報は、量子化されない。
【０１３０】
代わりに、第２量子化が第２サブチャネル情報に対して実施され、第２量子化の量子化次数は、予め設定された第２量子化次数閾値以上である。
【０１３１】
第８の態様によると、本願発明の実施形態は第１デバイスを提供し、同第１デバイスは、第７の態様において提供されている方法における第１デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【０１３２】
オプションである実装の解決手段において、第１デバイスの構造は、プロセッサと、送信機と、受信機とを含む。プロセッサは、第１デバイスが、第７の態様において提供されている前述の方法における対応する機能を実施するのをサポートするよう構成される。送信機は、第１デバイスが、メッセージまたはデータを前述の方法で第２デバイスへ送信するのをサポートするよう構成される。受信機は、メッセージまたはデータを前述の方法で第２デバイスから受信するよう構成される。第１デバイスはさらにメモリを含んでよく、メモリはプロセッサに結合するよう構成され、第１デバイスが必要とするプログラム命令およびデータを格納する。
【０１３３】
第９の態様によると、本願発明の実施形態は第２デバイスを提供し、同第２デバイスは、第７の態様において提供されている方法における第２デバイスの動作を実装する機能を有する。その機能はハードウェアを用いて実装されてよく、または対応するソフトウェアをハードウェアにより実行して実装されてよい。ハードウェアまたはソフトウェアは、その機能に対応する１または複数のモジュールを含む。
【０１３４】
オプションである実装の解決手段において、第２デバイスの構造は、送信機と、受信機と、プロセッサとを含む。受信機は、第２デバイスが、メッセージまたはデータを前述の方法で第１デバイスから受信するのをサポートするよう構成される。送信機は、第２デバイスが、メッセージまたはデータを前述の方法で第１デバイスへ送信するのをサポートするよう構成される。プロセッサは、第１デバイスが、前述の方法における対応する機能を実施するのをサポートするよう構成される。第２デバイスはさらにメモリを含んでよく、メモリはプロセッサに結合するよう構成され、第２デバイスが必要とするプログラム命令およびデータを格納する。
【０１３５】
第１０の態様によると、本願発明の実施形態は無線通信システムを提供し、同無線通信システムは、第７の態様から第９の態様のうちいずれか１つに係る第１デバイスおよび第２デバイスを含む。
【０１３６】
第１１の態様によると、本願発明の実施形態は、コンピュータ記憶媒体を提供する。コンピュータ記憶媒体は、第７の態様から第１０の態様のうちいずれか１つに係る第１デバイスが用いるコンピュータソフトウェア命令を格納するよう構成され、前述の態様を実行するために設計されたプログラムを含む。
【０１３７】
第１２の態様によると、本願発明の実施形態は、コンピュータ記憶媒体を提供する。コンピュータ記憶媒体は、第７の態様から第１０の態様のうちいずれか１つに係る第２デバイスが用いるコンピュータソフトウェア命令を格納するよう構成され、前述の態様を実行するために設計されたプログラムを含む。
【図面の簡単な説明】
【０１３８】
【図１】本願発明の実施形態に係る無線通信システムの模式的構造図である。
【０１３９】
【図２】本願発明の実施形態に係る、第１デバイスと第２デバイスとの間の相互作用の図である。
【０１４０】
【図３】ビーム方向の模式図である。
【０１４１】
【図４】本願発明の実施形態に係る、ビーム選択および重み付け合成プロセスの模式図である。
【図５】本願発明の実施形態に係る、ビーム選択および重み付け合成プロセスの模式図である。
【図６】本願発明の実施形態に係る、ビーム選択および重み付け合成プロセスの模式図である。
【図７】本願発明の実施形態に係る、ビーム選択および重み付け合成プロセスの模式図である。
【図８】本願発明の実施形態に係る、ビーム選択および重み付け合成プロセスの模式図である。
【０１４２】
【図９】システム周波数帯が、複数のサブバンドに分割されている模式図である。
【０１４３】
【図１０Ａ】本願発明の実施形態に係る、チャネル情報フィードバック方式の模式図である。
【図１０Ｂ】本願発明の実施形態に係る、チャネル情報フィードバック方式の模式図である。
【０１４４】
【図１１】アンテナが１つの偏波方向に形成するビームの模式図である。
【０１４５】
【図１２】プリコーディングによって二重偏波アンテナが生成するビームの模式図である。
【０１４６】
【図１３】本願発明の実施形態に係る第１デバイスの模式的構造図である。
【０１４７】
【図１４】本願発明の実施形態に係る第２デバイスの模式的構造図である。
【発明を実施するための形態】
【０１４８】
本願の目的、技術的解決法、および利点をより理解可能なものとすべく、以下で詳細な説明が提供される。詳細な説明は、ブロック図、フローチャート、および／または例を用いた装置および／または方法の様々な実装を提供する。これらブロック図、フローチャート、および／または例は、１または複数の機能および／またはオペレーションを含む。当業者であれば、ブロック図、フローチャート、および／または例における各機能および／またはオペレーションを別々に、および／または互いに組み合わせて、様々なハードウェア、ソフトウェア、およびファームウェア、またはハードウェア、ソフトウェア、およびファームウェアの任意の組み合わせを用いて実施することが出来ることを理解するであろう。
【０１４９】
本願発明の実施形態において、第２デバイスが、参照信号を第１デバイスへ送信する。第１デバイスは、受信した参照信号に基づきチャネル推定を実施し、チャネル情報を生成し、チャネル情報を第２デバイスにフィードバックする。第２デバイスは、受信したチャネル情報に基づきプリコーディング行列を決定し、決定したプリコーディング行列に基づきデータを第１デバイスへ送信する。
【０１５０】
本願発明の実施形態において、解決手段は、第１デバイスがフィードバックするチャネル情報が異なること、およびプリコーディング行列を構成する方式が異なることに基づき、解決手段１および解決手段２に分類することが出来る。
【０１５１】
解決手段１において、第２デバイスが送信する参照信号は、ビーム形成が実施されない参照信号、およびビーム形成が実施される参照信号である。ビーム形成が実施されない参照信号はＨ＝１に対応し、ビーム形成が実施される参照信号はＨ＞１に対応する。Ｈ＞１の場合、異なる参照信号リソースポートグループが異なるビーム方向に対応し、１つの参照信号リソースポートグループのアンテナポートが共通のビーム方向に対応する。例えば、Ｈ＝４つのグループがあり、各グループが８つのアンテナポートを有する。第１参照信号リソースポートグループ内の８つのアンテナポート全てに対して共通のビーム形成を実施してビーム方向１が取得され、第２参照信号リソースポートグループ内の８つのアンテナポート全てに対して共通のビーム形成を実施してビーム方向２が取得され、以下同様である。第１デバイスは、受信した参照信号に基づきチャネル推定を実施し、Ｍ個の第１ベクトルに対して重み付け合成を実施するために用いられる重み付け合成係数の第２チャネル情報を第２デバイスにフィードバックする。Ｍ個の第１ベクトルは、前述のプリコーディング行列Ｗに対応するコードワードＷ１が含むベクトルであってよい。このように、プリコーディング行列を生成する際、第２デバイスは、複数のベクトルからベクトルを１つだけを選択するのではなく、受信した第２チャネル情報が示す重み付け合成係数に基づきＭ個の第１ベクトルに対して重み付け合成を実施してよく、これにより、生成されるプリコーディング行列は精度がより高く、それにより、第２デバイスがデータを送信する際のリンク適応能力を向上させ、システム性能を向上させる。
【０１５２】
解決手段２において、第２デバイスが送信した参照信号がビーム形成が実施される参照信号である場合、第１デバイスは、受信した参照信号に基づきチャネル推定を実施し、参照信号のためのＭ個のアンテナポートに対して重み付け合成を実施するために用いられる重み付け合成係数の第２チャネル情報を第２デバイスにフィードバックする。このように、プリコーディング行列を生成する際、第２デバイスは、受信した第２チャネル情報が示す重み付け合成係数に基づきＭ個のアンテナポートに対して重み付け合成を実施してよく、これにより、同じく、比較的精度が高いプリコーディング行列を生成出来、それにより、同じく、第２デバイスがデータを送信する際のリンク適応能力を向上させ、システム性能を向上させる。
【０１５３】
以下に、添付図面を参照して本願発明の実施形態を詳細に説明する。
【０１５４】
まず、解決手段１および解決手段２の両方が適用可能である無線通信システムの構成を説明する。
【０１５５】
図１は、本願発明の実施形態に係る無線通信システムの模式的構造図である。図１に示すように、無線通信システムは、第１デバイス１０１および第２デバイス１０２を含む。
【０１５６】
第２デバイス１０２は、参照信号を第１デバイス１０１へ送信する。第１デバイス１０１は、第２デバイス１０２から受信した参照信号に基づきチャネル推定を実施し、チャネル推定結果を示すのに用いられるチャネル情報を第２デバイス１０２へ送信する。第２デバイス１０２は、受信したチャネル情報に基づき、データを第１デバイス１０１へ送信する。
【０１５７】
第１デバイス１０１と第２デバイス１０２との間の前述の相互作用のプロセスは、図２に示すものであってよい。
【０１５８】
第１デバイス１０１は、基地局等のネットワークデバイスであってよく、第２デバイス１０２は端末デバイスであってよい。代わりに、第１デバイス１０１が端末デバイスであってよく、第２デバイス１０２がネットワークデバイスであってよい。代わりに、第１デバイス１０１および第２デバイス１０２の両方が、端末デバイスである。代わりに、第１デバイス１０１および第２デバイス１０２の両方が、ネットワークデバイスである。
【０１５９】
第２デバイス１０２が参照信号を第１デバイス１０１へ送信し、第１デバイス１０１が参照信号に基づきチャネル推定を実施し、チャネル情報をフィードバックするとすれば、本願発明の実施形態において提供されている解決手段１または解決手段２が、チャネル情報を報告しデータを送信するのに用いられて、精度がより高いチャネル推定結果を取得し、リンク適応性能を向上させてよい。
【０１６０】
加えて、前述のＦＤＤ複信方式または時分割複信（Ｔｉｍｅ  Ｄｉｖｉｓｉｏｎ  Ｄｕｐｌｅｘｉｎｇ，ＴＤＤ）複信方式等の、第１デバイス１０１および第２デバイス１０２が互いに通信する場合に用いられる複信方式に関係なく、本願発明の実施形態において提供されている解決手段１または解決手段２は、精度が高いチャネル推定結果を取得し、リンク適応性能を向上させるべく用いられてよい。
【０１６１】
第１デバイス１０１と第２デバイス１０２との間の通信のための通信規格は、限定されないが、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）ＩＳ−９５、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）２０００、時分割同期符号分割多重アクセス（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，ＴＤ‐ＳＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ（登録商標））、時分割複信ロングタームエボリューション（Ｔｉｍｅ  Ｄｉｖｉｓｉｏｎ  Ｄｕｐｌｅｘｉｎｇ−Ｌｏｎｇ  Ｔｅｒｍ  Ｅｖｏｌｕｔｉｏｎ，ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘｉｎｇ−Ｌｏｎｇ  Ｔｅｒｍ  Ｅｖｏｌｕｔｉｏｎ，ＦＤＤ  ＬＴＥ）、ロングタームエボリューション‐アドバンスト（Ｌｏｎｇ  Ｔｅｒｍ  Ｅｖｏｌｕｔｉｏｎ‐Ａｄｖａｎｃｅｄ，ＬＴＥ‐ａｄｖａｎｃｅｄ）、パーソナルハンディホンシステム（Ｐｅｒｓｏｎａｌ  Ｈａｎｄｙｐｈｏｎｅ  Ｓｙｓｔｅｍ，ＰＨＳ）、８０２．１１シリーズのプロトコルで規定されているワイヤレスフィディリティ（Ｗｉｒｅｌｅｓｓ  Ｆｉｄｅｌｉｔｙ，ＷｉＦｉ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）、および様々な将来の進化した無線通信システムを含んでよい。
【０１６２】
端末デバイスは、無線端末であってよい。無線端末は、ユーザに音声および／またはデータの接続性を提供するデバイス、無線接続機能を有するハンドヘルドデバイス、または無線モデムに接続されている他の処理デバイスであってよい。無線端末は、無線アクセスネットワーク（例えば、ＲＡＮ、Ｒａｄｉｏ  Ａｃｃｅｓｓ  Ｎｅｔｗｏｒｋ）を用いて、１または複数のコアネットワークと通信してよい。無線端末は、携帯電話（「セルラ」フォンとも称される）等のモバイル端末であってよく、モバイル端末を有するコンピュータは、例えば、無線アクセスネットワークと音声および／またはデータを交換するポータブルの、ポケットサイズの、ハンドヘルド型の、コンピュータ内蔵型の、または車載型のモバイル装置であってよい。例えば、無線端末は、パーソナル通信サービス（ＰＣＳ，Ｐｅｒｓｏｎａｌ  Ｃｏｍｍｕｎｉｃａｔｉｏｎｓ  Ｓｅｒｖｉｃｅ）電話、コードレス電話、セッションイニシエーションプロトコル（ＳＩＰ）電話、無線ローカルループ（ＷＬＬ，Ｗｉｒｅｌｅｓｓ  Ｌｏｃａｌ  Ｌｏｏｐ）局、またはパーソナルデジタルアシスタント（ＰＤＡ，Ｐｅｒｓｏｎａｌ  Ｄｉｇｉｔａｌ  Ａｓｓｉｓｔａｎｔ）等のデバイスであってよい。無線端末は、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称されてもよい。
【０１６３】
ネットワークデバイスは、基地局、または基地局を制御するための無線リソース管理デバイスを含んでよく、または、基地局およびその基地局を制御するための無線リソース管理デバイスを含んでよい。基地局はマクロ基地局であってよく、または、スモールセル（ｓｍａｌｌ  ｃｅｌｌ）またはピコセル（ｐｉｃｏ  ｃｅｌｌ）等のミクロ基地局であってよい。代わりに、基地局は、ホームノードＢ（Ｈｏｍｅ  ＮｏｄｅＢ，ＨＮＢ）またはホーム進化型ノードＢ（Ｈｏｍｅ  ｅＮｏｄｅＢ，ＨｅＮＢ）等のホーム基地局であってよい。基地局は中継ノード（ｒｅｌａｙ）等を含んでもよい。
【０１６４】
例えば、ＴＤＤ  ＬＴＥ、ＦＤＤ  ＬＴＥ、またはＬＴＥ‐Ａ等のＬＴＥシステムにおいて、ネットワークデバイスは、進化型ノードＢ（ｅｖｏｌｖｅｄ  ＮｏｄｅＢ，ｅＮｏｄｅＢ）であってよく、端末デバイスはＵＥであってよい。ＴＤ−ＳＣＤＭＡシステムまたはＷＣＤＭＡ（登録商標）システムにおいて、ネットワークデバイスは、ノードＢ（ＮｏｄｅＢ）および／または無線ネットワークコントローラ（Ｒａｄｉｏ  Ｎｅｔｗｏｒｋ  Ｃｏｎｔｒｏｌｌｅｒ，ＲＮＣ）を含んでよく、端末デバイスはＵＥであってよい。ＧＳＭ（登録商標）システムにおいて、ネットワークデバイスは、ベーストランシーバ局（Ｂａｓｅ  Ｔｒａｎｓｃｅｉｖｅｒ  Ｓｔａｔｉｏｎ，ＢＴＳ）および／または基地局コントローラ（Ｂａｓｅ  Ｓｔａｔｉｏｎ  Ｃｏｎｔｒｏｌｌｅｒ，ＢＳＣ）を含んでよく、端末デバイスは、移動局（Ｍｏｂｉｌｅ  Ｓｔａｔｉｏｎ，ＭＳ）であってよい。ＷｉＦｉシステムにおいて、ネットワークデバイスは、アクセスポイント（Ａｃｃｅｓｓ  Ｐｏｉｎｔ，ＡＰ）および／またはアクセスコントローラ（Ａｃｃｅｓｓ  Ｃｏｎｔｒｏｌｌｅｒ，ＡＣ）を含んでよく、端末デバイスは局（Ｓｔａｔｉｏｎ，ＳＴＡ）であってよい。
【０１６５】
以下に、図１に示されている無線通信システムを参照して解決手段１および解決手段２を別々に説明する。
【０１６６】
解決手段１
【０１６７】
解決手段１において第１デバイス１０１が第２デバイス１０２に送信するチャネル情報が、次の表１に示されている。
表１：解決手段１におけるチャネル情報
【表１】
2019515540.tif 000987
【０１６８】
Ｉ．第１ベクトルおよびチャネル情報
【０１６９】
Ｍ個の第１ベクトルは、第１ベクトルの全体集合のうちＭ個の第１ベクトルである。Ｍの値は、第１デバイス１０１および第２デバイス１０２が互いに通信する際、第１デバイス１０１および第２デバイス１０２の両方が準拠する通信規格において予め設定されていてよく、例えば、予め定義されていてよく、または第１デバイス１０１が第１チャネル情報を第２デバイス１０２へ送信する前に、第１デバイス１０１が第２デバイス１０２に通知してよく、または第２デバイス１０２が参照信号を送信する前に、第２デバイス１０２が第１デバイス１０１に通知してよい。
【０１７０】
ここで、第１ベクトルの全体集合は
【数１８９】
2019515540.tif 000988
として示され、ここで、Ｌは正の整数であり、第１ベクトルの全体集合が含む第１ベクトルの数である。
【０１７１】
第１ベクトルの全体集合のうち、各第１ベクトルは、第２デバイス１０２が第１デバイス１０１へ送信するビームの１つの方向を表してよい。
【０１７２】
図３を参照すると、Ｌ＝１２であると仮定している。この場合、
【数１９０】
2019515540.tif 000989
であり、ベクトル
【数１９１】
2019515540.tif 000990
は、図３における１２個のビーム方向をそれぞれ表す。
【０１７３】
第１デバイス１０１は、第１チャネル情報を第２デバイス１０２へ送信して、第１デバイス１０１が参照信号の受信を待つビーム方向を第２デバイス１０２に通知し、第２チャネル情報を第２デバイス１０２へ送信して、第１デバイス１０１が受信を待っている合成されたビームは、第１チャネル情報に含まれる対応する各ビーム方向（各第１ベクトル）の振幅重み付けおよび位相重み付けの重み付け合成調整量であることを第２デバイス１０２に通知する。
【０１７４】
第１チャネル情報および第２チャネル情報を決定する際、第１デバイス１０１は、参照信号を測定してチャネル推定結果を取得してよく、最大の受信信号対ノイズ比（Ｓｉｇｎａｌ  ｔｏ  Ｎｏｉｓｅ  Ｒａｔｉｏ，ＳＮＲ）に達することが出来るには、または容量を最大化するには第２デバイス１０２がデータを送信する必要があるビーム方向と、第２デバイス１０２がデータを送信する必要がある各ビーム方向の振幅重み付けおよび位相重み付けの重み付け合成調整量とを決定してよく、それから、第１チャネル情報および第２チャネル情報を用いて第２デバイス１０２に通知してよい。
【０１７５】
Ｌ＝１２であり、
【数１９２】
2019515540.tif 000991
であるとさらに仮定する。デュアルステージコードブック構造
【数１９３】
2019515540.tif 000992
がプリコーディング行列のために用いられ、Ｍ＝４であり、第１デバイス１０１が最初の４つの第１ベクトル：
【数１９４】
2019515540.tif 000993
、
【数１９５】
2019515540.tif 000994
、
【数１９６】
2019515540.tif 000995
、および
【数１９７】
2019515540.tif 000996
を選択する場合、プリコーディング行列
【数１９８】
2019515540.tif 000997
は
【数１９９】
2019515540.tif 000998
式４として示されてよく、ここで、
【数２００】
2019515540.tif 000999
であり、
【数２０１】
2019515540.tif 001000
である。
【０１７６】
第１チャネル情報は、
【数２０２】
2019515540.tif 001001
、
【数２０３】
2019515540.tif 001002
、
【数２０４】
2019515540.tif 001003
、および
【数２０５】
2019515540.tif 001004
を識別するのに用いられる。
【０１７７】
第２チャネル情報は
【数２０６】
2019515540.tif 001005
であり、ここで、
【数２０７】
2019515540.tif 001006
であり、
【数２０８】
2019515540.tif 001007
であり、
【数２０９】
2019515540.tif 001008
は振幅係数であり、
【数２１０】
2019515540.tif 001009
は位相係数であり、
【数２１１】
2019515540.tif 001010
は
【数２１２】
2019515540.tif 001011
に対して振幅重み付けを実施するのに用いられ、
【数２１３】
2019515540.tif 001012
は
【数２１４】
2019515540.tif 001013
に対して位相重み付けを実施するのに用いられ、以下同様である。
【数２１５】
2019515540.tif 001014
は、正規化係数である。ここでの振幅係数の値および位相係数の値は、単なる例に過ぎない。ビーム選択および重み付け合成プロセス全体は、図４に示すものであってよい。ビーム
【数２１６】
2019515540.tif 001015
、
【数２１７】
2019515540.tif 001016
、
【数２１８】
2019515540.tif 001017
、および
【数２１９】
2019515540.tif 001018
が
【数２２０】
2019515540.tif 001019
を用いて選択され、
【数２２１】
2019515540.tif 001020
を用いてビームに対して位相重み付けが実施され、位相重み付け後のベクトル
【数２２２】
2019515540.tif 001021
、
【数２２３】
2019515540.tif 001022
、
【数２２４】
2019515540.tif 001023
、および
【数２２５】
2019515540.tif 001024
を取得する。ビーム
【数２２６】
2019515540.tif 001025
、
【数２２７】
2019515540.tif 001026
、
【数２２８】
2019515540.tif 001027
、および
【数２２９】
2019515540.tif 001028
が、
【数２３０】
2019515540.tif 001029
を用いて振幅重み付けを実施して取得され、それから、ベクトル
【数２３１】
2019515540.tif 001030
、
【数２３２】
2019515540.tif 001031
、
【数２３３】
2019515540.tif 001032
、および
【数２３４】
2019515540.tif 001033
が合成され、１つの合成ベクトルを取得する。ベクトルは、１つの合成ビームに対応する。図４において、位相重み付けが振幅重み付けの前に実施され、ここでの図４は模式的なものに過ぎない。実際には、振幅重み付けが位相重み付けの前に実施されてよく、または、振幅重み付けおよび位相重み付けが同時に実施されてよい。オプションで、全ベクトルの位相重み付け量が同じである場合、第１デバイス１０１は、複数のビームに関して位相係数を１つだけフィードバックしてよい。同様に、全ベクトルの振幅重み付け値が同じである場合、第１デバイス１０１は、複数のベクトルに関して、図５に示すｐ等の振幅係数を１つだけフィードバックしてよい。
【０１７８】
第１ベクトルは、前述のプリコーディング行列Ｗに対応するコードワードＷ１が含むベクトルであってよく、例えば、以下の式５に示されている形式の、離散フーリエ変換（Ｄｉｓｃｒｅｔｅ  Ｆｏｕｒｉｅｒ  Ｔｒａｎｓｆｏｒｍ，ＤＦＴ）ベクトルであってよい。
【数２３５】
2019515540.tif 001034
式５
【０１７９】
ＬおよびＩは正の整数であり、Ｌは第１ベクトルの全体集合が含む第１ベクトルの数を示し、言い換えると、第２デバイス１０２が送信することが出来る、ビーム方向が異なるビームの数を示す。Ｉは第１ベクトルの次元であり、第２デバイス１０２が参照信号を送信するのに用いるアンテナに単一偏波方式が用いられる場合、参照信号のためのアンテナポートの数であり、第２デバイス１０２が参照信号を送信するのに用いるアンテナに二重偏波方式が用いられる場合、参照信号のためのアンテナポートの数の半分である。参照信号のためのアンテナポートは、第２デバイス１０２が参照信号を送信するのに用いるアンテナポートである。
【０１８０】
例えば、Ｌ＝３２であり、Ｉ＝４である場合、
【数２３６】
2019515540.tif 001035
式６であり、ここで、
【数２３７】
2019515540.tif 001036
である。
【０１８１】
第２チャネル情報は第１係数のみを含んでよく、または第２係数のみを含んでよく、または第１係数および第２係数の両方を含んでよい。
【０１８２】
例えば、第２チャネル情報が、第１係数のみを含む場合、Ｍ個の第１ベクトルに対して重み付け合成が実施される際、位相重み付けはそれらベクトルに対して実施されなくてよく、または位相重み付けは、予め設定された共通の位相重み付け量に基づきＭ個の第１ベクトルに対して実施され、または位相重み付けは、異なる第１ベクトルに関して予め設定された異なる位相重み付け量に基づき実施される。位相重み付け量が予め設定されているので、第１デバイス１０１は、第２デバイス１０２に位相重み付け量をフィードバックする必要はない。
【０１８３】
他の例として、第２チャネル情報が第２係数のみを含む場合、Ｍ個の第１ベクトルに対して重み付け合成が実施される際、重み付けは、予め設定された共通の振幅値に基づきそれら第１ベクトルに対して実施されてよく、または重み付けは、異なる第１ベクトルに関して予め設定された異なる振幅係数に基づき第１ベクトルに対して別々に実施される。振幅値が予め設定されているので、第１デバイス１０１は、第２デバイス１０２に振幅値をフィードバックする必要はない。
【０１８４】
第２係数における位相係数および時間遅延係数は実際には、周波数ドメインおよび時間ドメインの観点から、第１ベクトルに対して位相重み付けをそれぞれ実施するのに用いられる。時間ドメインの時間遅延は、周波数ドメインの位相重み付けと同等である。よって、位相係数をフィードバックする必要がある場合、位相係数および時間遅延係数のいずれかのみがフィードバックされればよい。オプションで、位相係数のフィードバック方式はサブバンドベースのフィードバックであり、時間遅延係数のフィードバック方式は広帯域ベースのフィードバックである。
【０１８５】
第３チャネル情報は、参照信号のための２つのアンテナポートグループ間の位相差を示すのに用いられる。例えば、２つのアンテナポートグループは異なる偏波方向を有する。この場合、位相差は、異なる偏波方向を有する２つのアンテナポートグループ間の位相差を示す。例えば、全部で８つのアンテナポートがあり、４つのアンテナポートは水平偏波型であり、他の４つのアンテナポートが垂直偏波型である。この場合、第３チャネル情報はそれぞれ水平偏波型および垂直偏波型の２つのアンテナポートグループ間の位相差を示すのに用いられる。
【０１８６】
Ｍ個の第１ベクトルは、第１ベクトルの全体集合のうち一部の第１ベクトルである。オプションである実装において、第１ベクトルの全体集合は、Ｋ個のベクトルグループに分割され、Ｋは正の整数である。Ｍ個の第１ベクトルはＸ個のベクトルグループに属し、Ｘ個のベクトルグループは、Ｋ個のベクトルグループの一部または全部である。Ｋは正の整数であり、ＸはＫ以下の正の整数である。
【０１８７】
Ｋ個のベクトルグループのうち異なるベクトルグループが共通の第１ベクトルを含むか、または含まない。
【０１８８】
例えば、第１ベクトルの全体集合は、
【数２３８】
2019515540.tif 001037
である。ベクトル
【数２３９】
2019515540.tif 001038
は、３２個全部が第１ベクトルである。
【０１８９】
Ｋ個のベクトルグループのうち異なるベクトルグループが共通の第１ベクトルを含まないグループ分けの方式は以下の通りであってよい。
【数２４０】
2019515540.tif 001039
が８つのグループ（Ｋ＝８）にグループ分けされ、各グループは４つの第１ベクトルを有する。例えば、
【数２４１】
2019515540.tif 001040
、
【数２４２】
2019515540.tif 001041
、
【数２４３】
2019515540.tif 001042
、および
【数２４４】
2019515540.tif 001043
が一のベクトルグループを形成し、
【数２４５】
2019515540.tif 001044
、
【数２４６】
2019515540.tif 001045
、
【数２４７】
2019515540.tif 001046
、および
【数２４８】
2019515540.tif 001047
が一のベクトルグループを形成し、以下同様である。
【０１９０】
Ｋ個のベクトルグループのうち異なるベクトルグループが共通の第１ベクトルを含むグループ分けの方式は以下の通りであってよい。
【数２４９】
2019515540.tif 001048
が１６個のグループ（Ｋ＝１６）にグループ分けされ、各グループは４つの第１ベクトルを有する。例えば、
【数２５０】
2019515540.tif 001049
、
【数２５１】
2019515540.tif 001050
、
【数２５２】
2019515540.tif 001051
、および
【数２５３】
2019515540.tif 001052
が一のベクトルグループを形成し、
【数２５４】
2019515540.tif 001053
、
【数２５５】
2019515540.tif 001054
、
【数２５６】
2019515540.tif 001055
、および
【数２５７】
2019515540.tif 001056
が一のベクトルグループを形成し、以下同様である。
【０１９１】
以下も、Ｋ個のベクトルグループのうち異なるベクトルグループが共通の第１ベクトルを含むグループ分けの方式である。３２個の第１ベクトルは全部で１６個のグループに分割され、グループ番号ｋは０から１５であり、Ｋ＝１６である。
【数２５８】
2019515540.tif 001057
式７
ここで、
【数２５９】
2019515540.tif 001058
である。
【０１９２】
Ｍ個の第１ベクトルが、２つのベクトルグループ
【数２６０】
2019515540.tif 001059
および
【数２６１】
2019515540.tif 001060
を含む場合、
【数２６２】
2019515540.tif 001061
である。
【０１９３】
この場合、
【数２６３】
2019515540.tif 001062
式８であり、ここで、
【数２６４】
2019515540.tif 001063
、
【数２６５】
2019515540.tif 001064
、
【数２６６】
2019515540.tif 001065
、および
【数２６７】
2019515540.tif 001066
は、ベクトルグループｉ内の４つのベクトルであり、
【数２６８】
2019515540.tif 001067
、
【数２６９】
2019515540.tif 001068
、
【数２７０】
2019515540.tif 001069
、および
【数２７１】
2019515540.tif 001070
は、ベクトルグループｊ内の４つのベクトルであり、８つのベクトルでＭ個の第１ベクトルを構成し、Ｍ＝８であり、
【数２７２】
2019515540.tif 001071
は正規化係数であり、Ｗ内の全要素の絶対値の平方和の平方根に等しく、これにより、全ビームのべき乗和は１である。
【０１９４】
前述のグループ分けの方式を用いる場合、第１チャネル情報は、Ｋ個のベクトルグループのうち、Ｍ個の第１ベクトルを含むＸ個のベクトルグループの各ベクトルグループのグループ番号、例えば、前述のベクトルグループ番号ｉおよびｊを示すのに用いられる情報を含む。このようなフィードバック方式で、第１チャネル情報の情報ビットの数を減らすことが出来る。
【０１９５】
第１デバイス１０１が、ベクトルグループｉおよびベクトルグループｊを選択し、
【数２７３】
2019515540.tif 001072
が、
【数２７４】
2019515540.tif 001073
および
【数２７５】
2019515540.tif 001074
内の全第１ベクトルに対して、例えば、振幅重み付けおよび位相重み付けの両方を含む重み付けを別々に実施するのに用いられると仮定する。この場合、Ｗ２の式は、
【数２７６】
2019515540.tif 001075
式９
であってよく、ここで、
【数２７７】
2019515540.tif 001076
および
【数２７８】
2019515540.tif 001077
である。
【０１９６】
【数２７９】
2019515540.tif 001078
である。例えば、
【数２８０】
2019515540.tif 001079
であり、
【数２８１】
2019515540.tif 001080
であり、ここで、
【数２８２】
2019515540.tif 001081
は、第１ベクトルが合成される前の位相調整量であり、与えられている
【数２８３】
2019515540.tif 001082
は単なる例に過ぎず、位相調整量は４つの値に限定されず、
【数２８４】
2019515540.tif 001083
は、第１ベクトルが合成される前の振幅調整量であり、同じベクトルグループ内の第１ベクトルは、共通の振幅係数および共通の重み付け係数を有してよい。
【０１９７】
第１ベクトルをグループ分けする適用シナリオにおいて、複数のビームが、異なるビームクラスタ（ｃｌｕｓｔｅｒ）に分割されてよい。実際には第１デバイス１０１は、複数のクラスタから、受信信号強度または受信した参照信号の電力値が比較的大きいビームクラスタを選択してよい。このように、第１デバイス１０１がチャネル情報をフィードバックした後、第２デバイス１０２は、複数のビームクラスタ内のビームでデータを別々に送信してよく、第１デバイス１０１は、受信品質がより良好な複数のビームでダウンリンクデータを受信してよく、これにより、性能がより良好になる。
【０１９８】
図６を参照すると、まず、第１ベクトルの２つのグループが選択される。ベクトルグループ１は４つの第１ベクトル：
【数２８５】
2019515540.tif 001084
、
【数２８６】
2019515540.tif 001085
、
【数２８７】
2019515540.tif 001086
、および
【数２８８】
2019515540.tif 001087
を含み、それら４つのベクトルが表すビームが、比較的強いビームクラスタ：クラスタ１を構成する。ベクトルグループ２は４つの第１ベクトル：
【数２８９】
2019515540.tif 001088
、
【数２９０】
2019515540.tif 001089
、
【数２９１】
2019515540.tif 001090
、および
【数２９２】
2019515540.tif 001091
を含み、それら４つのベクトルが表すビームが、比較的強いビームクラスタ：クラスタ２を構成する。Ｗ１（１）がクラスタ１を選択するのに用いられ、Ｗ１（２）がクラスタ２を選択するのに用いられる。
【数２９３】
2019515540.tif 001092
は、第１ベクトル
【数２９４】
2019515540.tif 001093
、
【数２９５】
2019515540.tif 001094
、
【数２９６】
2019515540.tif 001095
、および
【数２９７】
2019515540.tif 001096
が表すビームに対して位相重み付けを実施するのにそれぞれ用いられる。位相重み付けの後に取得される第１ベクトルは、それぞれ
【数２９８】
2019515540.tif 001097
、
【数２９９】
2019515540.tif 001098
、
【数３００】
2019515540.tif 001099
、および
【数３０１】
2019515540.tif 001100
である。
【数３０２】
2019515540.tif 001101
は、第１ベクトル
【数３０３】
2019515540.tif 001102
、
【数３０４】
2019515540.tif 001103
、
【数３０５】
2019515540.tif 001104
、および
【数３０６】
2019515540.tif 001105
が表すビームに対して位相重み付けを実施するのにそれぞれ用いられる。位相重み付けの後に取得される第１ベクトルは、それぞれ
【数３０７】
2019515540.tif 001106
、
【数３０８】
2019515540.tif 001107
、
【数３０９】
2019515540.tif 001108
、および
【数３１０】
2019515540.tif 001109
である。図６において、ベクトルグループ１（即ち、クラスタ１）内の全ベクトルの振幅係数はｐ０であり、ベクトルグループ２（即ち、クラスタ２）内の全ベクトルの振幅係数はｐ１である。よって、第１デバイス１０１は、第２チャネル情報を送信する際、ベクトルグループ１内の全第１ベクトルに関して１つの振幅係数ｐ０だけをフィードバックしてよく、ベクトルグループ２内の全第１ベクトルに関して１つの振幅係数ｐ１だけをフィードバックしてよい。
【０１９９】
オプションで、第１デバイス１０１はさらに、Ｘの値を示すのに用いられる情報、具体的には、Ｍ個の第１ベクトルが属するベクトルグループの数を第２デバイス１０２へ送信してよい。代わりに、第１デバイス１０１は、Ｘの値を示すのに用いられる情報を第２デバイス１０２から受信する。
【０２００】
前述の例において、異なるベクトルグループが含む第１ベクトルの数は、同じである。しかしながら、図７に示すように、実際の実装において、異なるベクトルグループが含む第１ベクトルの数は、同じでなくてよい。
【０２０１】
オプションである実装において、前述のＸ個のベクトルグループのうち異なるベクトルグループが共通の第２チャネル情報に対応する。異なるベクトルグループについて、第１デバイス１０１は、１つの共通の第２チャネル情報のみを第２デバイス１０２へ送信する。このように、第２チャネル情報のビット数を減らすことが出来る。
【０２０２】
他のオプションである実装において、異なるベクトルグループが異なる第２チャネル情報に対応する。異なるベクトルグループについて、第１デバイス１０１は、第２チャネル情報を別々にフィードバックする必要がある。
【０２０３】
表１を参照すると、第２チャネル情報は、Ｍ個の第１ベクトルのうちＮ個の第１ベクトルに対して重み付け合成を実施するのに用いられる。この場合、以下のケースがある。
【０２０４】
ケース１：Ｍ＝Ｎである場合、Ｍ個の第１ベクトル全てに対して重み付け合成が実施され、第２チャネル情報は、Ｍ個の第１ベクトルのうち各第１ベクトルの重み付け係数を含む必要がある。
【０２０５】
ケース２：Ｎ＜Ｍである場合、２つの方式でＮ個の第１ベクトルがＭ個の第１ベクトルから選択されてよい。
【０２０６】
第２チャネル情報が示す重み付け合成係数は、要素０を含む。
【０２０７】
例えば、Ｍ個の第１ベクトルのうち特定の第１ベクトルに対応する振幅係数が、０である。この場合、振幅係数が０である第１ベクトルを、Ｍ個の第１ベクトルから除く。言い換えると、この振幅係数に対応する第１ベクトルは、選択されない。
【０２０８】
第４チャネル情報は、Ｍ個の第１ベクトルからＮ個の第１ベクトルを選択するように命令するために送信される。
【０２０９】
第１デバイス１０１が第４チャネル情報を送信する場合、第１デバイス１０１は、第２チャネル情報を送信する際、Ｍ個の第１ベクトルのうち各第１ベクトルの重み付け合成係数を送信する必要はなく、Ｎ個の選択された第１ベクトルのうち各第１ベクトルの重み付け合成係数のみを送信する。
【０２１０】
Ｍ個の第１ベクトルがＸ個のベクトルグループを含む場合、Ｘ個のベクトルグループの各ベクトルグループは対応する第４チャネル情報を有してよく、これによりベクトルグループから第１ベクトルを選択する。同数の第１ベクトルまたは異なる数の第１ベクトルが、異なるベクトルグループから選択されてよい。
【０２１１】
図８を参照すると、各ベクトルグループ内で列選択が実施される。具体的には、重み付け合成が、第１ベクトルが選択された後に実施される。加えて、異なる数の列が、全ベクトルグループから選択されてよい。例えば、Ｗ１（１）に関して、２つの第１ベクトルが選択される（言い換えると、２本のビームが選択される）。Ｗ１（２）に関して、３つの第１ベクトルが選択される（言い換えると、３本のビームが選択される）。それから、位相重み付けおよび振幅調整が、２本のビームおよび３本のビームに対して別々に実施される。
【０２１２】
第１ベクトルおよび各チャネル情報は上述されている。以下に、チャネル情報に基づきプリコーディング行列をどのように構成するかを説明する。
【０２１３】
ＩＩ．プリコーディング行列の構成
【０２１４】
１．第１チャネル情報と、第２チャネル情報と、第３チャネル情報とに基づきプリコーディング行列が構成され、ランクは１である。
【０２１５】
プリコーディング行列Ｗは
【数３１１】
2019515540.tif 001110
であり、ここで、
【数３１２】
2019515540.tif 001111
はＭ個の第１ベクトルであり、
【数３１３】
2019515540.tif 001112
は重み付け合成係数であり、ここで、
【数３１４】
2019515540.tif 001113
は
【数３１５】
2019515540.tif 001114
に対して重み付けを実施するのに用いられ、
【数３１６】
2019515540.tif 001115
は
【数３１７】
2019515540.tif 001116
に対して重み付けを実施するのに用いられ、
【数３１８】
2019515540.tif 001117
は
【数３１９】
2019515540.tif 001118
に対して重み付けを実施するのに用いられ、ｍは整数であり、０≦ｍ≦Ｍであり、
【数３２０】
2019515540.tif 001119
は、第３チャネル情報が示す、参照信号のための２つのアンテナポートグループ間の位相差であり、
【数３２１】
2019515540.tif 001120
は正規化係数である。
【０２１６】
Ｍ個の第１ベクトルがグループ分けされる場合、
【数３２２】
2019515540.tif 001121
は、Ｋ個のベクトルグループのうちグループ番号がｉのベクトルグループである。この場合、第１チャネル情報は、ｉを示すのに用いられる情報を含む。
【数３２３】
2019515540.tif 001122
が
【数３２４】
2019515540.tif 001123
として示される場合（ここで、Ｘ個のベクトルグループ
【数３２５】
2019515540.tif 001124
は、Ｋ個のベクトルグループにおいてグループ番号が順に
【数３２６】
2019515540.tif 001125
から
【数３２７】
2019515540.tif 001126
までのベクトルグループであり、ｘは整数であり、０≦ｘ≦Ｘ−１であり、Ｘは正の整数であり、Ｋ個のベクトルグループ内の全第１ベクトルが第１ベクトルの全体集合を構成し、Ｋは正の整数である）、第１チャネル情報は、
【数３２８】
2019515540.tif 001127
から
【数３２９】
2019515540.tif 001128
を別々に示すのに用いられる情報を含む。
【０２１７】
２．第１チャネル情報と、第２チャネル情報と、第３チャネル情報と、第４チャネル情報とに基づきプリコーディング行列が構成され、ランクは１である。
【０２１８】
プリコーディング行列Ｗは
【数３３０】
2019515540.tif 001129
であり、ここで、
【数３３１】
2019515540.tif 001130
であり、
【数３３２】
2019515540.tif 001131
であり、
【数３３３】
2019515540.tif 001132
はＭ個の第１ベクトルであり、
【数３３４】
2019515540.tif 001133
は、Ｎ個の第１ベクトルに対して重み付け合成を実施するために用いられる重み付け合成係数であり、ここで、
【数３３５】
2019515540.tif 001134
は
【数３３６】
2019515540.tif 001135
に対して重み付けを実施するのに用いられ、
【数３３７】
2019515540.tif 001136
は
【数３３８】
2019515540.tif 001137
に対して重み付けを実施するのに用いられ、
【数３３９】
2019515540.tif 001138
は
【数３４０】
2019515540.tif 001139
に対して重み付けを実施するのに用いられ、ｍは整数であり、０≦ｍ≦Ｍ−１であり、
【数３４１】
2019515540.tif 001140
は、第３チャネル情報が示す、参照信号のための２つのアンテナポートグループ間の位相差であり、
【数３４２】
2019515540.tif 001141
の行の数はＭであり、第４チャネル情報は
【数３４３】
2019515540.tif 001142
から
【数３４４】
2019515540.tif 001143
を示すのに用いられる情報であり、
【数３４５】
2019515540.tif 001144
は正規化係数である。
【０２１９】
オプションで、第１デバイス１０１は、Ｎの値を示すのに用いられる情報を第２デバイス１０２へ送信する。
【０２２０】
代わりに、第１デバイス１０１は、Ｎの値を示すのに用いられる情報を第２デバイス１０２から受信する。
【０２２１】
オプションで、第４チャネル情報は、
【数３４６】
2019515540.tif 001145
を示すのに用いられてよい。
【０２２２】
代わりに、第４チャネル情報は、Ｍ個のビットを含む。Ｍ個のビットのうち、
【数３４７】
2019515540.tif 001146
番目のビットから
【数３４８】
2019515540.tif 001147
番目のビットは１であり、残りのビットは０である。
【０２２３】
３．第１チャネル情報と、第２チャネル情報と、第３チャネル情報とに基づきプリコーディング行列が構成され、ランクは２である。
【０２２４】
プリコーディング行列Ｗは
【数３４９】
2019515540.tif 001148
であり、ここで、
【数３５０】
2019515540.tif 001149
であり、
【数３５１】
2019515540.tif 001150
である。ＲおよびＳは正の整数であり、Ｒ≦Ｍであり、Ｓ≦Ｍであり、
【数３５２】
2019515540.tif 001151
および
【数３５３】
2019515540.tif 001152
は互いに組み合わせられてＭ個の第１ベクトルを構成し、
【数３５４】
2019515540.tif 001153
および
【数３５５】
2019515540.tif 001154
は重み付け合成係数であり、ここで、
【数３５６】
2019515540.tif 001155
は
【数３５７】
2019515540.tif 001156
に対して重み付けを実施するのに用いられ、
【数３５８】
2019515540.tif 001157
は
【数３５９】
2019515540.tif 001158
に対して重み付けを実施するのに用いられ、
【数３６０】
2019515540.tif 001159
は
【数３６１】
2019515540.tif 001160
に対して重み付けを実施するのに用いられ、
【数３６２】
2019515540.tif 001161
は
【数３６３】
2019515540.tif 001162
に対して重み付けを実施するのに用いられ、
【数３６４】
2019515540.tif 001163
は
【数３６５】
2019515540.tif 001164
に対して重み付けを実施するのに用いられ、
【数３６６】
2019515540.tif 001165
は
【数３６７】
2019515540.tif 001166
に対して重み付けを実施するのに用いられ、ｍは整数であり、０≦ｍ≦Ｒ−１であり、ｎは整数であり、０≦ｎ≦Ｓ−１であり、
【数３６８】
2019515540.tif 001167
は、第３チャネル情報が示す、参照信号のための２つのアンテナポートグループ間の位相差であり、
【数３６９】
2019515540.tif 001168
は正規化係数である。
【０２２５】
【数３７０】
2019515540.tif 001169
は、
【数３７１】
2019515540.tif 001170
と同じであり、
【数３７２】
2019515540.tif 001171
は
【数３７３】
2019515540.tif 001172
と異なる、または、
【数３７４】
2019515540.tif 001173
は
【数３７５】
2019515540.tif 001174
と異なり、
【数３７６】
2019515540.tif 001175
は
【数３７７】
2019515540.tif 001176
と同じである、または、
【数３７８】
2019515540.tif 001177
は
【数３７９】
2019515540.tif 001178
と異なり、
【数３８０】
2019515540.tif 001179
は
【数３８１】
2019515540.tif 001180
と異なる、または、
【数３８２】
2019515540.tif 001181
は
【数３８３】
2019515540.tif 001182
と同じであり、
【数３８４】
2019515540.tif 001183
は
【数３８５】
2019515540.tif 001184
と同じである。
【０２２６】
４．第２チャネル情報が時間遅延係数である場合、第１チャネル情報および第２チャネル情報を含むプリコーディング行列の時間ドメイン形式は以下の通り
【数３８６】
2019515540.tif 001185
であり、ここで、
【数３８７】
2019515540.tif 001186
は、Ｎ個の第１ベクトルのうちｍ番目のベクトルに対応する時間遅延係数である。
【０２２７】
ＩＩＩ．２次元コードブック
【０２２８】
解決手段１における前述の説明は、第２デバイス１０２の伝送アンテナが線状アレイであり、プリコーディング行列のコードブックが一次元（Ｄｉｍｅｎｓｉｏｎ，Ｄ）コードブックである場合に用いられてよい。解決手段１は、第２デバイス１０２の伝送アンテナが、水平な方向および垂直な方向を有するアンテナアレイを含む場合に用いられてもよい。この場合、プリコーディング行列のコードブックは、２Ｄコードブックである。２Ｄコードブックの場合、プリコーディング行列はそれでも、
【数３８８】
2019515540.tif 001187
として示されてよい。
【０２２９】
しかしながら、１Ｄコードブックとは異なり、Ｗ１内の各第１ベクトルは、２次元のベクトルのクロネッカー積である。２次元のベクトルは、それぞれ「第２ベクトル」および「第３ベクトル」と称される。
【０２３０】
【数３８９】
2019515540.tif 001188
はＭ個の第１ベクトルであり、
【数３９０】
2019515540.tif 001189
である。
【０２３１】
【数３９１】
2019515540.tif 001190
内の各第１ベクトルは、第２ベクトルグループ内の第２ベクトルおよび第３ベクトルグループ内の第３ベクトルのクロネッカー積であり、
【数３９２】
2019515540.tif 001191
であり、ここで、
【数３９３】
2019515540.tif 001192
は第１ベクトルであり、
【数３９４】
2019515540.tif 001193
は、番号がｐである第２ベクトルグループ内の番号が
【数３９５】
2019515540.tif 001194
である第２ベクトルであり、
【数３９６】
2019515540.tif 001195
は、番号がｔである第３ベクトルグループ内の番号が
【数３９７】
2019515540.tif 001196
である第３ベクトルである。
【０２３２】
第１チャネル情報は、第１サブチャネル情報および第２サブチャネル情報を含む。
【０２３３】
第１サブチャネル情報はｐを示すのに用いられ、第２サブチャネル情報はｔを示すのに用いられる。
【０２３４】
【数３９８】
2019515540.tif 001197
であり、ここで、
【数３９９】
2019515540.tif 001198
は、アンテナアレイ内の第１次元アンテナポート（例えば、前述の水平アンテナ）の数であり、
【数４００】
2019515540.tif 001199
は、第１次元アンテナのコードワードセットを構成するＤＦＴベクトルをオーバーサンプリングするために用いられる係数であり、
【数４０１】
2019515540.tif 001200
は正の整数である。
【０２３５】
【数４０２】
2019515540.tif 001201
であり、ここで、
【数４０３】
2019515540.tif 001202
は、アンテナアレイ内の第２次元アンテナポートの数であり、
【数４０４】
2019515540.tif 001203
は、第２次元アンテナのコードワードセットを構成するＤＦＴベクトルをオーバーサンプリングするために用いられる係数であり、
【数４０５】
2019515540.tif 001204
は正の整数である。
【０２３６】
オプションで、第２ベクトルグループの数は２以上であり、第３ベクトルグループの数は１に等しい、または、
第３ベクトルグループの数は２以上であり、第２ベクトルグループの数は１に等しい、または、
第３ベクトルグループの数は１に等しく、第２ベクトルグループの数は１に等しい。
【０２３７】
オプションで、第２ベクトルおよび第３ベクトルは、ＤＦＴベクトルである。
【０２３８】
第２ベクトルの全体集合が含むベクトルの数と、第３ベクトルの全体集合が含むベクトルの数とは、互いに独立して構成されている。
【０２３９】
ＩＶ．参照信号のためのアンテナポートをグループ分けする場合
【０２４０】
解決手段１における前述の説明は、参照信号のためのアンテナポートが、グループ分けされない場合に適用可能である。他の可能な場合において、参照信号はＳ個のアンテナポート上にあり、Ｓ個のアンテナポートは、Ｈ個の参照信号リソースポートグループに属し、ここで、Ｈは１以上の整数である。参照信号は、ビーム形成が実施される参照信号である。
【０２４１】
第２デバイス１０２が参照信号を送信するのに用いるアンテナに単一偏波方式が用いられる場合、第１ベクトルの次元は、各参照信号リソースポートグループ内のアンテナポートの数である。第２デバイス１０２が参照信号を送信するのに用いるアンテナに二重偏波方式が用いられる場合、第１ベクトルの次元は、各参照信号リソースポートグループ内のアンテナポートの数の半分である。
【０２４２】
Ｈ＝１である場合、言い換えると、参照信号のためのアンテナポートがグループ分けされない場合、つまり、解決手段１のケースの場合、解決手段１は、ビーム形成が実施されない参照信号のケースにも適用可能であることが理解されよう。
【０２４３】
例えば、参照信号のためのアンテナポートの数は３２であり、Ｈ＝１であり、参照信号リソースポートグループが１つだけあり、参照信号リソースポートグループ内のポートの数は３２である。この場合、第１ベクトルの次元は、３２または１６である。
【０２４４】
他の例として、参照信号のためのアンテナポートの数は３２であり、Ｈ＝４である。この場合、３２個のアンテナポートは、４つの参照信号リソースポートグループにグループ分けされ、各参照信号リソースポートグループ内のアンテナポートの数は８である。例えば、第１参照信号リソースポートグループ内のアンテナポートはポート（ｐｏｒｔ）０からｐｏｒｔ７であり、第２参照信号リソースポートグループ内のアンテナポートはｐｏｒｔ８からｐｏｒｔ１５であり、第３参照信号リソースポートグループ内のアンテナポートはｐｏｒｔ１６からｐｏｒｔ２３であり、第４参照信号リソースポートグループ内のアンテナポートはｐｏｒｔ２４からｐｏｒｔ３１である。この場合、第１ベクトルの次元は、８（単一偏波）または４（二重偏波）である。
【０２４５】
オプションで、第１デバイス１０１はさらに、参照信号を測定して第７チャネル情報を取得し、第７チャネル情報を第２デバイスへ送信する。
【０２４６】
第７チャネル情報は、Ｈ個の参照信号リソースポートグループからＹ個の参照信号リソースポートグループを選択するのに用いられる識別情報を含む。
【０２４７】
第７チャネル情報は、他のチャネル情報と同じサブフレーム内でフィードバックされない、言い換えると、単独でフィードバックされる。加えて、第７チャネル情報のフィードバック周期は、他のチャネル情報のフィードバック周期以上である。
【０２４８】
Ｍ個の第１ベクトルは、Ｈ個の参照信号リソースポートグループから選択したＹ個の参照信号リソースポートグループに基づき測定を実施して取得されてよく、ここで、Ｙは正の整数である。
【０２４９】
オプションで、Ｍ個の第１ベクトルはＸ個のベクトルグループに対応し、各ベクトルグループは、Ｙ個の参照信号リソースポートグループのうち１つに対応し、Ｘ＝Ｙである。
【０２５０】
代わりに、Ｍ個の第１ベクトルはＸ個のベクトルグループに対応し、少なくとも２つのベクトルグループは、Ｙ個の参照信号リソースポートグループのうち１つに対応し、Ｘ＞Ｙである。
【０２５１】
第１デバイス１０１が、第２デバイス１０２に第７チャネル情報をフィードバックする場合に、
【数４０６】
2019515540.tif 001205
であると仮定する。
【０２５２】
Ｘ個のベクトルグループ
【数４０７】
2019515540.tif 001206
は、Ｋ個のベクトルグループにおいてグループ番号が順に
【数４０８】
2019515540.tif 001207
から
【数４０９】
2019515540.tif 001208
までのベクトルグループであり、ｘは整数であり、０≦ｘ≦Ｘ−１であり、Ｘは正の整数である。
【０２５３】
Ｋ個のベクトルグループ内の全第１ベクトルが第１ベクトルの全体集合を構成し、Ｋは正の整数である。
【０２５４】
第１チャネル情報は、
【数４１０】
2019515540.tif 001209
から
【数４１１】
2019515540.tif 001210
を示すのに別々に用いられる情報を含む。
【０２５５】
【数４１２】
2019515540.tif 001211
は、第１デバイス１０１が、Ｈ個の参照信号リソースポートグループのうちＹ個の参照信号リソースポートグループ内の第１参照信号リソースポートグループで送信された参照信号を測定して取得される。
【数４１３】
2019515540.tif 001212
は、第１デバイス１０１が、Ｈ個の参照信号リソースポートグループのうちＹ個の参照信号リソースポートグループ内のｘ番目の参照信号リソースポートグループで送信された参照信号を測定して取得される。
【数４１４】
2019515540.tif 001213
は、第１デバイス１０１が、Ｈ個の参照信号リソースポートグループのうちＹ個の参照信号リソースポートグループ内のＸ番目の参照信号リソースポートグループで送信された参照信号を測定して取得される。
【０２５６】
解決手段２
【０２５７】
解決手段２において第１デバイス１０１が第２デバイス１０２へ送信するチャネル情報が、次の表２に示されている。
表２：解決手段２におけるチャネル情報
【表２】
2019515540.tif 001214
【０２５８】
オプションで、第２チャネル情報が示す重み付け合成係数は、要素０を含む。
【０２５９】
解決手段２において、プリコーディング行列を構築する方式は、以下の通りである。
【０２６０】
１．ランクが１のプリコーディング行列が、第１チャネル情報、第２チャネル情報、および第３チャネル情報に基づき、以下の方式
【数４１５】
2019515540.tif 001215
で構成され、ここで、
【数４１６】
2019515540.tif 001216
であり、
【数４１７】
2019515540.tif 001217
であり、
【数４１８】
2019515540.tif 001218
は第１チャネル情報に対応し、
【数４１９】
2019515540.tif 001219
は、Ｎ／２個のポートに対して重み付け合成を実施するために用いられる重み付け合成係数であり、ここで、
【数４２０】
2019515540.tif 001220
は、
【数４２１】
2019515540.tif 001221
番目のポートおよび（
【数４２２】
2019515540.tif 001222
＋Ｎ／２）番目のポートに対して重み付けを実施するのに用いられ、
【数４２３】
2019515540.tif 001223
は、
【数４２４】
2019515540.tif 001224
番目のポートおよび（
【数４２５】
2019515540.tif 001225
＋Ｎ／２）番目のポートに対して重み付けを実施するのに用いられ、
【数４２６】
2019515540.tif 001226
は、
【数４２７】
2019515540.tif 001227
番目のポートおよび（
【数４２８】
2019515540.tif 001228
＋Ｎ／２）番目のポートに対して重み付けを実施するのに用いられ、ｍは整数であり、０≦ｍ≦Ｍ−１であり、
【数４２９】
2019515540.tif 001229
は、第３チャネル情報が示す、参照信号のための２つのアンテナポートグループ間の位相差であり、
【数４３０】
2019515540.tif 001230
の行の数はＭであり、
【数４３１】
2019515540.tif 001231
は正規化係数である。
【０２６１】
オプションで、第１デバイス１０１は、Ｎの値を示すのに用いられる情報を第２デバイス１０２へ送信し、または第１デバイス１０１は、Ｎの値を示すのに用いられる情報を第２デバイス１０２から受信する。
【０２６２】
オプションで、第１チャネル情報は、
【数４３２】
2019515540.tif 001232
を示すのに用いられる。
【０２６３】
代わりに、第１チャネル情報は、Ｍ個のビットを含む。Ｍ個のビットのうち、
【数４３３】
2019515540.tif 001233
番目のビットから
【数４３４】
2019515540.tif 001234
番目のビットは１であり、残りのビットは０である。
【０２６４】
２．ランクが２のプリコーディング行列が、第１チャネル情報、第２チャネル情報、および第３チャネル情報に基づき、以下の方式
【数４３５】
2019515540.tif 001235
で構成され、ここで、
【数４３６】
2019515540.tif 001236
であり、
【数４３７】
2019515540.tif 001237
である。ＲおよびＳは正の整数であり、Ｒ≦Ｍであり、Ｓ≦Ｍであり、
【数４３８】
2019515540.tif 001238
および
【数４３９】
2019515540.tif 001239
は重み付け合成係数であり、ここで、
【数４４０】
2019515540.tif 001240
は、
【数４４１】
2019515540.tif 001241
番目のポートおよび（
【数４４２】
2019515540.tif 001242
＋Ｎ／２）番目のポートに対して重み付けを実施するのに用いられ、
【数４４３】
2019515540.tif 001243
は、
【数４４４】
2019515540.tif 001244
番目のポートおよび（
【数４４５】
2019515540.tif 001245
＋Ｎ／２）番目のポートに対して重み付けを実施するのに用いられ、
【数４４６】
2019515540.tif 001246
は、
【数４４７】
2019515540.tif 001247
番目のポートおよび（
【数４４８】
2019515540.tif 001248
＋Ｎ／２）番目のポートに対して重み付けを実施するのに用いられ、
【数４４９】
2019515540.tif 001249
は、
【数４５０】
2019515540.tif 001250
番目のポートおよび（
【数４５１】
2019515540.tif 001251
＋Ｎ／２）番目のポートに対して重み付けを実施するのに用いられ、
【数４５２】
2019515540.tif 001252
は、
【数４５３】
2019515540.tif 001253
番目のポートおよび（
【数４５４】
2019515540.tif 001254
＋Ｎ／２）番目のポートに対して重み付けを実施するのに用いられ、
【数４５５】
2019515540.tif 001255
は、
【数４５６】
2019515540.tif 001256
番目のポートおよび（
【数４５７】
2019515540.tif 001257
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数４５８】
2019515540.tif 001258
は、第３チャネル情報が示す、参照信号のための２つのアンテナポートグループ間の位相差であり、
【数４５９】
2019515540.tif 001259
は正規化係数である。
【０２６５】
オプションで、
【数４６０】
2019515540.tif 001260
は
【数４６１】
2019515540.tif 001261
と同じであり、
【数４６２】
2019515540.tif 001262
は
【数４６３】
2019515540.tif 001263
と異なる、または、
【数４６４】
2019515540.tif 001264
は
【数４６５】
2019515540.tif 001265
と異なり、
【数４６６】
2019515540.tif 001266
は
【数４６７】
2019515540.tif 001267
と同じである、または、
【数４６８】
2019515540.tif 001268
は
【数４６９】
2019515540.tif 001269
と異なり、
【数４７０】
2019515540.tif 001270
は
【数４７１】
2019515540.tif 001271
と異なる、または、
【数４７２】
2019515540.tif 001272
は
【数４７３】
2019515540.tif 001273
と同じであり、
【数４７４】
2019515540.tif 001274
は
【数４７５】
2019515540.tif 001275
と同じである。
【０２６６】
３．第２チャネル情報は時間遅延係数であり、第１チャネル情報および第２チャネル情報を含むプリコーディング行列の時間ドメイン形式は以下の通り
【数４７６】
2019515540.tif 001276
であり、ここで、
【数４７７】
2019515540.tif 001277
は、Ｎ個の第１ベクトルのうちｍ番目のベクトルに対応する時間遅延係数である。
【０２６７】
ここで、例えば、参照信号は、ビーム形成が実施されるチャネル状態情報‐参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ‐ＲＳ）である。ここで、参照信号のための各アンテナポートに対してプリコーディング処理が実施された後、ビーム方向が形成されており、プリコーディングは、デジタルビーム形成（ｄｉｇｉｔａｌ  ｂｅａｍｆｏｒｍｉｎｇ）またはアナログビーム形成であってよい。
【０２６８】
図１１に示すように、４つのビーム方向ｂ０、ｂ１、ｂ２、およびｂ３が、アンテナポート：ｐｏｒｔ０、ｐｏｒｔ１、ｐｏｒｔ２、およびｐｏｒｔ３にそれぞれ対応する。
【０２６９】
図１１は、アンテナが１つの偏波方向に形成するビームのみを示す。二重偏波アンテナを考慮した場合、２つの偏波方向における２つのアンテナグループは、同じビーム方向をそれぞれ生成する。図１２に示すように、左側の４つのアンテナを含む１つのグループは、プリコーディングおよび重み付けによってビーム１、ビーム２、ビーム３、およびビーム４を生成し、これに対応して、右側の偏波方向における４つのアンテナの他のグループは、プリコーディングおよび重み付けによってビーム１、ビーム２、ビーム３、およびビーム４を生成する。第２デバイス１０２は、全部で８つのアンテナポートでＣＳＩ‐ＲＳを送信する。
【０２７０】
第２デバイス１０２から第１デバイス１０１への４つの伝播経路：直接経路：ｒａｙ１、および反射経路：ｒａｙ０、ｒａｙ２、およびｒａｙ３があると仮定する。第２デバイス１０２はスキャニングのための４本のビームを発信し、それらはそれぞれ、ｂｅａｍ０、ｂｅａｍ１、ｂｅａｍ２、およびｂｅａｍ３である。ｂｅａｍ０、ｂｅａｍ２、およびｂｅａｍ３は伝播経路とより良好に一致するので、第１デバイス１０１はｂ０、ｂ２、およびｂ３のエネルギーを受け取ってよい。方向ｂ１のビームは伝播経路を有さないので、第１デバイス１０１はそのビームのエネルギーを検出出来ない。
【０２７１】
第１デバイス１０１は、一定の閾値を超えるエネルギーが検出されるビームｂ０、ｂ２、およびｂ３に対応するｐｏｒｔ０、ｐｏｒｔ２、およびｐｏｒｔ３を決定し、他の偏波方向のｐｏｒｔ４、ｐｏｒｔ６、およびｐｏｒｔ７を決定する。第１デバイス１０１はアンテナポート選択情報（即ち、第１チャネル情報）を報告し、各アンテナポートの振幅および位相重み付け情報（即ち、第２チャネル情報）を報告する。
【０２７２】
【数４７８】
2019515540.tif 001278
であり、ここで、
【数４７９】
2019515540.tif 001279
であり、
【数４８０】
2019515540.tif 001280
は単位ベクトルであり、
【数４８１】
2019515540.tif 001281
であり、
【数４８２】
2019515540.tif 001282
であり、
【数４８３】
2019515540.tif 001283
は、ｍ番目の要素が１であり他の全要素が０である列ベクトルであり、
【数４８４】
2019515540.tif 001284
の列ベクトルの次元は、
【数４８５】
2019515540.tif 001285
に対応する参照信号のためのポートの数の半分に等しい。
【０２７３】
チャネル情報フィードバック方式
【０２７４】
解決手段１であるかまたは解決手段２であるかに関係なく、第１デバイス１０１は、チャネル情報をフィードバックする場合、異なるチャネル情報に異なるフィードバック方式を用いてよい。
【０２７５】
以下の説明において、第１チャネル情報のフィードバック方式、第２チャネル情報のフィードバック方式、および第３チャネル情報のフィードバック方式は、解決手段１および解決手段２の両方に適用可能であるが、チャネル情報の内容は、解決手段１と解決手段２とで異なる。第４チャネル情報のフィードバック方式および第７チャネル情報のフィードバック方式は、解決手段１のみに適用可能である。
【０２７６】
以下に、様々なフィードバック方式を具体的に説明する。
【０２７７】
フィードバック方式は、広帯域ベースのフィードバックまたはサブバンドベースのフィードバック、フィードバック周期、およびアナログフィードバックまたは量子化後のフィードバックを含む。以下で、これらフィードバック方式を１つずつ説明する。
【０２７８】
Ｉ．広帯域ベースのフィードバックまたはサブバンドベースのフィードバック
【０２７９】
広帯域ベースのフィードバックは、システム帯域幅全体に関して、チャネル情報が、１つのフィードバック周期内で一度だけフィードバックされることを意味する。
【０２８０】
サブバンドベースのフィードバックは、システム帯域幅において予め設定された複数のサブバンドに関して、チャネル情報が、１つのフィードバック周期において各サブバンドに対してフィードバックされることを意味する。
【０２８１】
サブバンドベースのフィードバックを用いる場合、チャネル情報フィードバックの精度はより高いが、情報オーバヘッドも比較的大きい。広帯域ベースのフィードバックを用いる場合、チャネル情報フィードバックの精度は低く、したがって、情報オーバヘッドが比較的小さい。サブバンドベースのフィードバックは、チャネル特性復元にとって重要性が高い何らかのチャネル情報に関して、または、異なるサブバンドの値の差が比較的大きいチャネル情報に関して用いられてよい。広帯域ベースのフィードバックは、チャネル特性復元にとって重要性が低いチャネル情報に関して、または、異なるサブバンドの値の差が小さいチャネル情報に関して用いられてよい。
【０２８２】
図９を参照すると、システム周波数帯全体が、１０個のサブバンド（ｓｕｂｂａｎｄ）：サブバンド１からサブバンド１０に事前に分割されていると仮定している。サブバンドベースのフィードバックは、第１デバイス１０１が、１０個のサブバンドのうち各サブバンドに関して対応するチャネル情報を生成することを意味する。広帯域ベースのフィードバックは、第１デバイス１０１が、システム周波数帯全体に関して１つのチャネル情報を生成することを意味する。
【０２８３】
ＩＩ．フィードバック周期
【０２８４】
チャネル特性復元にとって重要性が高い何らかのチャネル情報、または、経時的に比較的速く変化するチャネル情報は、比較的短いフィードバック周期を用いてフィードバックされてよい。チャネル特性復元にとって重要性が低いチャネル情報、または、経時的に比較的遅く変化するチャネル情報は、比較的長いフィードバック周期を用いてフィードバックされてよい。
【０２８５】
ＩＩＩ．アナログフィードバックまたは量子化後のフィードバック
【０２８６】
チャネル特性復元にとって重要性が高い何らかのチャネル情報は、高精度量子化方式で、例えば、比較的大きい量子化次数を用いて、量子化された後にフィードバックされてよい。チャネル特性復元にとって重要性が低いチャネル情報は、低精度量子化方式で量子化された後にフィードバックされてよい。
【０２８７】
異なるチャネル情報に異なるフィードバック方式を用いる目的は、チャネル情報のフィードバック精度を確保して高精度のプリコーディング行列を生成することが出来、可能な限り情報フィードバック量を減らすことが出来る。
【０２８８】
実際には、実装される製品が異なるのに応じて、異なるフィードバック方式が用いられてよい。
【０２８９】
例えば、広帯域ベースのフィードバックまたはサブバンドベースのフィードバックに関して、表３の任意のフィードバック方式が用いられてよい。
表３：広帯域ベースのフィードバックまたはサブバンドベースのフィードバックのフィードバック方式
【表３】
2019515540.tif 001286
（表３の続き）
【表４】
2019515540.tif 001287
（表３の続き）
【表５】
2019515540.tif 001288
【０２９０】
フィードバック周期に関して、以下の任意の方式が用いられてよい。
【０２９１】
方式１
【０２９２】
第１チャネル情報のフィードバック周期は、第２チャネル情報のフィードバック周期より長く、第３チャネル情報および第４チャネル情報はフィードバックされない。
【０２９３】
方式２
【０２９４】
第１チャネル情報のフィードバック周期は、第２チャネル情報のフィードバック周期および第３チャネル情報のフィードバック周期より長く、第４チャネル情報はフィードバックされない。
【０２９５】
方式３
【０２９６】
第１チャネル情報のフィードバック方式および第２チャネル情報のフィードバック方式は長期フィードバックであり、第３チャネル情報のフィードバック方式は短期フィードバックである。
【０２９７】
方式４
【０２９８】
第１チャネル情報のフィードバック周期および第２チャネル情報のフィードバック周期の両方が、第３チャネル情報のフィードバック周期より長い。
【０２９９】
方式５
【０３００】
第１チャネル情報のフィードバック周期は第２チャネル情報のフィードバック周期、第３チャネル情報のフィードバック周期、および第４チャネル情報のフィードバック周期より長い。
【０３０１】
方式６
【０３０２】
第１チャネル情報のフィードバック周期および第２チャネル情報のフィードバック周期は、第３チャネル情報のフィードバック周期および第４チャネル情報のフィードバック周期より長い。
【０３０３】
方式７
【０３０４】
第１チャネル情報のフィードバック周期、第２チャネル情報のフィードバック周期、および第４チャネル情報のフィードバック周期は、第３チャネル情報のフィードバック周期より長い。
【０３０５】
方式８
【０３０６】
第１チャネル情報のフィードバック周期および第４チャネル情報のフィードバック周期は、第２チャネル情報のフィードバック周期および第３チャネル情報のフィードバック周期より長い。
【０３０７】
前述のチャネル情報をフィードバックすることに加えて、第１デバイス１０１は、第２デバイス１０２が送信した参照信号を測定して第５チャネル情報および／または第６チャネル情報を取得し、それら情報を第２デバイス１０２へ送信してよい。
【０３０８】
第５チャネル情報は、例えば、ＬＴＥシステムにおけるＲＩなど、第２デバイス１０２から第１デバイス１０１への空間多重化されたデータの量を示すのに用いられる情報を含む。第６チャネル情報は、例えば、ＬＴＥシステムにおけるＣＱＩなど、第２デバイス１０２から第１デバイス１０１へのチャネルのチャネル品質を示すのに用いられる情報を含む。第５チャネル情報のフィードバック方式および第６チャネル情報のフィードバック方式は、解決手段１および解決手段２の両方に適用可能である。
【０３０９】
第３チャネル情報および第４チャネル情報がフィードバックされない場合、以下のチャネル情報フィードバック方式が用いられてよい。
【０３１０】
第１チャネル情報および第５チャネル情報は、第１周期を用いて第１サブフレーム内でフィードバックされ、第２チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である。
【０３１１】
第４チャネル情報がフィードバックされない場合、以下のチャネル情報フィードバック方式が用いられてよい。
【０３１２】
第１チャネル情報および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第１チャネル情報、第２チャネル情報、および第５チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第１チャネル情報および第５チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０３１３】
第３チャネル情報および第４チャネル情報の両方がフィードバックされる場合、以下のチャネル情報フィードバック方式が用いられてよい。
【０３１４】
第１チャネル情報、第４チャネル情報、および第５チャネル情報は、第１周期を用いて第１サブフレーム内でフィードバックされ、第２チャネル情報および第３チャネル情報は、第２周期を用いて第２サブフレーム内でフィードバックされ、第６チャネル情報は、第３周期を用いて第３サブフレーム内でフィードバックされ、ここで、第１周期は第２周期以上であり、第２周期は第３周期以上である、または、
第１チャネル情報、第４チャネル情報、および第５チャネル情報は、第１周期を用いて第１サブフレーム内でフィードバックされ、第２チャネル情報、第３チャネル情報、および第６チャネル情報は、第２周期を用いて第２サブフレーム内でフィードバックされ、ここで、第１周期は第２周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報および第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報、第３チャネル情報、および第６チャネル情報は、第３周期を用いて第３サブフレーム内でフィードバックされ、ここで、第１周期は第２周期以上であり、第２周期は第３周期以上である、または、
第５チャネル情報、第１チャネル情報、第２チャネル情報、および第４チャネル情報は、第１周期を用いて第１サブフレーム内でフィードバックされ、第３チャネル情報および第６チャネル情報は、第２周期を用いて第２サブフレーム内でフィードバックされ、ここで、第１周期は第２周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報および第６チャネル情報は、第３周期を用いて第３サブフレーム内でフィードバックされ、ここで、第１周期は第２周期以上であり、第２周期は第３周期以上である、または、
第５チャネル情報、第１チャネル情報、および第４チャネル情報は、第１周期を用いて第１サブフレーム内でフィードバックされ、第２チャネル情報は、第２周期を用いて第２サブフレーム内でフィードバックされ、第３チャネル情報は、第３周期を用いて第３サブフレーム内でフィードバックされ、第６チャネル情報は、第４周期を用いて第４サブフレーム内でフィードバックされ、ここで、第１周期は第２周期以上であり、第２周期は第３周期以上であり、第３周期は第４周期以上である、または、
第５チャネル情報は、第１周期を用いて第１サブフレーム内でフィードバックされ、第１チャネル情報および第４チャネル情報は、第２周期を用いて第２サブフレーム内でフィードバックされ、第２チャネル情報は、第３周期を用いて第３サブフレーム内でフィードバックされ、第３チャネル情報は、第４周期を用いて第４サブフレーム内でフィードバックされ、第６チャネル情報は、第５周期を用いて第５サブフレーム内でフィードバックされ、ここで、第１周期は第２周期以上であり、第２周期は第３周期以上であり、第３周期は第４周期以上であり、第４周期は第５周期以上である。
【０３１５】
図１０Ａおよび図１０Ｂは、可能なチャネル情報フィードバック方式を示す。
【０３１６】
アナログフィードバックまたは量子化フィードバックに関して、柔軟なフィードバック方式が、第２チャネル情報に関して用いられてよい。
【０３１７】
例えば、第２チャネル情報は第３サブチャネル情報を含み、第３サブチャネル情報は第１係数を示すのに用いられる。第３サブチャネル情報は、量子化されない。代わりに、第１量子化が第３サブチャネル情報に対して実施され、第１量子化の量子化次数は予め設定された第１量子化次数閾値以下である。
【０３１８】
オプションで、第２チャネル情報は第４サブチャネル情報を含み、第４サブチャネル情報は第２係数を示すのに用いられる。第４サブチャネル情報は、量子化されない。代わりに、第２量子化が第４サブチャネル情報に対して実施され、第２量子化の量子化次数は予め設定された第２量子化次数閾値以下である。
【０３１９】
図１３は、本願発明の実施形態に係る第１デバイスの模式的構造図である。図１３に示すように、第１デバイスは、受信モジュール１３０１と、処理モジュール１３０２と、送信モジュール１３０３とを含む。
【０３２０】
オプションである実装において、
受信モジュール１３０１は、第２デバイスが送信した参照信号を受信するよう構成され、ここで、参照信号はＳ個のアンテナポートで送信され、Ｓ個のアンテナポートは、Ｈ個の参照信号リソースポートグループに属し、ＳおよびＨは１以上の整数であり、
処理モジュール１３０２は参照信号を測定して第１チャネル情報および第２チャネル情報を取得するよう構成され、
送信モジュール１３０３は、第１チャネル情報および第２チャネル情報を第２デバイスへ送信するよう構成される。
【０３２１】
第１チャネル情報はＭ個の第１ベクトルの識別情報を含み、ここで、Ｍは２以上の整数である。
【０３２２】
第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数である。
【０３２３】
重み付け合成係数は、第１係数および／または第２係数を含む。
【０３２４】
第１係数は振幅係数であり、第２係数は位相係数または時間遅延係数である。
【０３２５】
第１チャネル情報および第２チャネル情報は、プリコーディング行列を構成するのに用いられる。
【０３２６】
第１ベクトルの次元は、各参照信号リソースポートグループ内のアンテナポートの数であり、または第１ベクトルの次元は、各参照信号リソースポートグループ内のアンテナポートの数の半分である。
【０３２７】
このオプションである実装において、第１デバイスの他のオプションである実装については、解決手段１における第１デバイス１０１を参照されたい。受信モジュール１３０１は、第１デバイス１０１の受信オペレーションを実施するよう構成され、処理モジュール１３０２は、第１デバイス１０１の処理オペレーションを実施するよう構成され、送信モジュール１３０３は、第１デバイス１０１の送信オペレーションを実施するよう構成される。
【０３２８】
他のオプションである実装において、受信モジュール１３０１は、第２デバイスが送信した参照信号を受信するよう構成され、
処理モジュール１３０２は参照信号を測定して第１チャネル情報および第２チャネル情報を取得するよう構成され、
送信モジュール１３０３は、第１チャネル情報および第２チャネル情報を第２デバイスへ送信するよう構成される。
【０３２９】
第１チャネル情報は、参照信号のためのＭ個のアンテナポートのうちＮ個のアンテナポートの識別情報を含み、ここで、Ｍは２以上の整数であり、ＮはＭ以下の正の整数である。
【０３３０】
第２チャネル情報は、Ｎ個のアンテナポートに対して重み付け合成を実施するために用いられる重み付け合成係数についての情報を含む。
【０３３１】
重み付け合成係数は、第１係数および／または第２係数を含む。
【０３３２】
第１係数は振幅係数であり、第２係数は位相係数または時間遅延係数である。
【０３３３】
第１チャネル情報および第２チャネル情報は、プリコーディング行列を構成するのに用いられる。
【０３３４】
このオプションである実装において、第１デバイスの他のオプションである実装については、解決手段２における第１デバイス１０１を参照されたい。受信モジュール１３０１は、第１デバイス１０１の受信オペレーションを実施するよう構成され、処理モジュール１３０２は、第１デバイス１０１の処理オペレーションを実施するよう構成され、送信モジュール１３０３は、第１デバイス１０１の送信オペレーションを実施するよう構成される。
【０３３５】
オプションで、受信モジュール１３０１は受信機により実装してよく、処理モジュール１３０２はプロセッサにより実装してよく、送信モジュール１３０３は送信機により実装してよい。
【０３３６】
図１４は、本願発明の実施形態に係る第２デバイスの模式的構造図である。図１４に示すように、第２デバイスは、受信モジュール１４０１と、処理モジュール１４０２と、送信モジュール１４０３とを含む。
【０３３７】
オプションである実装において、
送信モジュール１４０３は、参照信号を第１デバイスへ送信するよう構成され、ここで、参照信号はＳ個のアンテナポートで送信され、Ｓ個のアンテナポートは、Ｈ個の参照信号リソースポートグループに属し、ＳおよびＨは１以上の整数であり、
受信モジュール１４０１は、第１デバイスから第１チャネル情報および第２チャネル情報を受信するよう構成され、ここで、第１チャネル情報および第２チャネル情報は、第１デバイスが、受信した参照信号を測定して取得し、ここで、第１チャネル情報はＭ個の第１ベクトルの識別情報を含み、ここで、Ｍは２以上の整数であり、
第２チャネル情報は、Ｍ個の第１ベクトルのうちＮ個の第１ベクトルに対して重み付け合成を実施するために用いられる重み付け合成係数についての情報を含み、ここで、ＮはＭ以下の正の整数であり、
重み付け合成係数は第１係数および／または第２係数を含み、
第１係数は振幅係数であり、第２係数は位相係数または時間遅延係数であり、
第１ベクトルの次元は、各参照信号リソースポートグループ内のアンテナポートの数であり、または第１ベクトルの次元は、各参照信号リソースポートグループ内のアンテナポートの数の半分であり、
処理モジュール１４０２は、第１チャネル情報および第２チャネル情報に基づきプリコーディング行列を生成するよう構成される。
【０３３８】
送信モジュール１４０３はさらに、処理モジュールが生成したプリコーディング行列に基づきデータを第１デバイスへ送信するよう構成される。
【０３３９】
このオプションである実装において、第２デバイスの他のオプションである実装については、解決手段１における第２デバイス１０２を参照されたい。受信モジュール１４０１は、第２デバイス１０２の受信オペレーションを実施するよう構成され、処理モジュール１４０２は、第２デバイス１０２の処理オペレーションを実施するよう構成され、送信モジュール１４０３は、第２デバイス１０２の送信オペレーションを実施するよう構成される。
【０３４０】
他のオプションである実装において、
送信モジュール１４０３は、参照信号を第１デバイスへ送信するよう構成され、
受信モジュール１４０１は、第１デバイスから第１チャネル情報および第２チャネル情報を受信するよう構成され、ここで、第１チャネル情報および第２チャネル情報は、第１デバイスが、受信した参照信号を測定して取得し、ここで、第１チャネル情報は、参照信号のためのＭ個のアンテナポートのうちＮ個のアンテナポートの識別情報を含み、ここで、Ｍは２以上の整数であり、ＮはＭ以下の正の整数であり、
第２チャネル情報は、Ｎ個のアンテナポートに対して重み付け合成を実施するために用いられる重み付け合成係数についての情報を含み、
重み付け合成係数は第１係数および／または第２係数を含み、
第１係数は振幅係数であり、第２係数は位相係数または時間遅延係数であり、
処理モジュール１４０２は、第１チャネル情報および第２チャネル情報に基づきプリコーディング行列を生成するよう構成される。
【０３４１】
送信モジュール１４０３はさらに、処理モジュール１４０２が生成したプリコーディング行列に基づきデータを第１デバイスへ送信するよう構成される。
【０３４２】
このオプションである実装において、第２デバイスの他のオプションである実装については、解決手段２における第２デバイス１０２を参照されたい。受信モジュール１４０１は、第２デバイス１０２の受信オペレーションを実施するよう構成され、処理モジュール１４０２は、第２デバイス１０２の処理オペレーションを実施するよう構成され、送信モジュール１４０３は、第２デバイス１０２の送信オペレーションを実施するよう構成される。
【０３４３】
当業者であれば、本願発明の実施形態が、方法、システム、またはコンピュータプログラム製品として提供されてよいことを理解しよう。よって、本願発明は、ハードウェアのみの実施形態、ソフトウェアのみの実施形態、またはソフトウェアとハードウェアとの組み合わせを用いた実施形態の形式を用いてよい。さらに、本願発明は、コンピュータ利用可能プログラムコードを含む１または複数のコンピュータ利用可能記憶媒体（限定されないが、ディスクメモリ、ＣＤ‐ＲＯＭ、光メモリ等を含む）上で実装されるコンピュータプログラム製品の形式を用いてよい。
【０３４４】
本願発明は、本願発明の実施形態に係る方法、デバイス（システム）、およびコンピュータプログラム製品のフローチャートおよび／またはブロック図に関連して説明されている。コンピュータプログラム命令が、フローチャートおよび／またはブロック図における各プロセスおよび／または各ブロック、ならびに、フローチャートおよび／またはブロック図におけるプロセスおよび／またはブロックの組み合わせを実装するのに用いられてよいことを理解されたい。これらコンピュータプログラム命令は、マシンを生成するべく、汎用コンピュータ、専用コンピュータ、組み込みプロセッサ、または任意の他のプログラム可能なデータ処理デバイスのプロセッサに提供されてよく、これにより、コンピュータ、または任意の他のプログラム可能なデータ処理デバイスのプロセッサにより実行される命令は、フローチャートの１または複数のプロセス、および／またはブロック図の１または複数のブロックにおける特定の機能を実装するための装置を生成する。
【０３４５】
これらコンピュータプログラム命令は代わりに、コンピュータまたは任意の他のプログラム可能なデータ処理デバイスに、特定の方式で処理を行うように命令出来るコンピュータ可読メモリに格納されてよく、これにより、コンピュータ可読メモリに格納された命令が命令装置を含む人工物を生成する。命令装置は、フローチャートの１または複数のプロセスおよび／またはブロック図の１または複数のブロックにおける特定の機能を実装する。
【０３４６】
これらコンピュータプログラム命令は代わりに、コンピュータまたは他のプログラム可能データ処理デバイスにロードされてよく、これにより、一連のオペレーションおよび段階がコンピュータまたは他のプログラム可能デバイスに対して実施され、それにより、コンピュータによって実装される処理を生成する。よって、コンピュータまたは他のプログラム可能なデバイスにおいて実行される命令は、フローチャートにおける１または複数のプロセスおよび／またはブロック図における１または複数のブロックにおける特定の機能を実装するための段階を提供する。
【０３４７】
本願発明の実施形態を説明してきたが、当業者であれば、基本的な発明概念を認識すれば、これら実施形態に変更および修正を加えることが出来る。よって、以下の特許請求の範囲は、実施形態並びに本願発明の範囲が含む全ての変更および修正を包含するものと解釈されるよう意図されている。
【０３４８】
明らかに、当業者であれば、本願発明の実施形態の範囲から逸脱することなく、本願発明の実施形態に様々な修正および変形を加えることが出来る。本願発明は、これら修正および変形が以下の特許請求の範囲およびそれらの均等技術によって定義される保護の範囲が含む限り、それら修正および変形を包含するよう意図されている。
［項目１］
第２デバイスが送信した参照信号を受信するよう構成された受信モジュールであって、上記参照信号はＳ個のアンテナポートで送信され、上記Ｓ個のアンテナポートは、Ｈ個の参照信号リソースポートグループに属し、ＳおよびＨは１以上の整数である、受信モジュールと、
上記参照信号を測定して第１チャネル情報および第２チャネル情報を取得するよう構成された処理モジュールと、
上記第１チャネル情報および上記第２チャネル情報を上記第２デバイスへ送信するよう構成された送信モジュールと
を備え、
上記第１チャネル情報はＭ個の第１ベクトルの識別情報を含み、Ｍは２以上の整数であり、
上記第２チャネル情報は、上記Ｍ個の第１ベクトルのうちＮ個の第１ベクトルに対して重み付け合成を実施するために用いられる重み付け合成係数についての情報を含み、ＮはＭ以下の正の整数であり、
上記重み付け合成係数は第１係数および／または第２係数を含み、
上記第１係数は振幅係数であり、上記第２係数は位相係数または時間遅延係数であり、
上記第１チャネル情報および上記第２チャネル情報は、プリコーディング行列を構成するのに用いられ、
上記第１ベクトルの次元は、各参照信号リソースポートグループ内のアンテナポートの数であり、または上記第１ベクトルの次元は、各参照信号リソースポートグループ内のアンテナポートの数の半分である、
第１デバイス。
［項目２］
上記処理モジュールはさらに、上記参照信号を測定して第３チャネル情報を取得するよう構成され、
上記送信モジュールはさらに、上記第３チャネル情報を上記第２デバイスへ送信するよう構成され、
上記第３チャネル情報は、上記参照信号のための２つのアンテナポートグループ間の位相差を示すのに用いられ、
上記第３チャネル情報は、同じく、上記プリコーディング行列を構成するのに用いられる、
項目１に記載の第１デバイス。
［項目３］
上記第１チャネル情報、上記第２チャネル情報、および上記第３チャネル情報は、ランクが２の上記プリコーディング行列を以下の方式
【数４８６】
2019515540.tif 001289
で構成し、
【数４８７】
2019515540.tif 001290
であり、
【数４８８】
2019515540.tif 001291
であり、
ＲおよびＳは正の整数であり、Ｒ≦Ｍであり、Ｓ≦Ｍであり、
【数４８９】
2019515540.tif 001292
および
【数４９０】
2019515540.tif 001293
は互いに組み合わせられて上記Ｍ個の第１ベクトルを構成し、
【数４９１】
2019515540.tif 001294
および
【数４９２】
2019515540.tif 001295
は重み付け合成係数であり、
【数４９３】
2019515540.tif 001296
は
【数４９４】
2019515540.tif 001297
に対して重み付けを実施するのに用いられ、
【数４９５】
2019515540.tif 001298
は
【数４９６】
2019515540.tif 001299
に対して重み付けを実施するのに用いられ、
【数４９７】
2019515540.tif 001300
は
【数４９８】
2019515540.tif 001301
に対して重み付けを実施するのに用いられ、
【数４９９】
2019515540.tif 001302
は
【数５００】
2019515540.tif 001303
に対して重み付けを実施するのに用いられ、
【数５０１】
2019515540.tif 001304
は
【数５０２】
2019515540.tif 001305
に対して重み付けを実施するのに用いられ、
【数５０３】
2019515540.tif 001306
は
【数５０４】
2019515540.tif 001307
に対して重み付けを実施するのに用いられ、ｍは整数であり、０≦ｍ≦Ｒ−１であり、ｎは整数であり、０≦ｎ≦Ｓ−１であり、
【数５０５】
2019515540.tif 001308
は上記第３チャネル情報が示す、上記参照信号のための上記２つのアンテナポートグループ間の上記位相差であり、
【数５０６】
2019515540.tif 001309
は正規化係数である、
項目２に記載の第１デバイス。
［項目４］
【数５０７】
2019515540.tif 001310
は
【数５０８】
2019515540.tif 001311
と同じであり、
【数５０９】
2019515540.tif 001312
は
【数５１０】
2019515540.tif 001313
と異なる、または、
【数５１１】
2019515540.tif 001314
は
【数５１２】
2019515540.tif 001315
と異なり、
【数５１３】
2019515540.tif 001316
は
【数５１４】
2019515540.tif 001317
と異なる、
項目３に記載の第１デバイス。
［項目５］
上記処理モジュールはさらに、上記参照信号を測定して第４チャネル情報を取得するよう構成され、
上記送信モジュールはさらに、上記第４チャネル情報を上記第２デバイスへ送信するよう構成され、
上記第４チャネル情報は、上記Ｍ個の第１ベクトルから上記Ｎ個の第１ベクトルを選択するのに用いられる選択情報を含み、
上記第４チャネル情報は、同じく、上記プリコーディング行列を構成するのに用いられ、
上記第２チャネル情報は、上記第４チャネル情報が示す上記Ｎ個の第１ベクトルに対して重み付け合成を実施するために用いられる上記重み付け合成係数についての上記情報のみを含む、
項目１または２に記載の第１デバイス。
［項目６］
上記処理モジュールはさらに、上記参照信号を測定して第７チャネル情報を取得するよう構成され、
上記送信モジュールはさらに、上記第７チャネル情報を上記第２デバイスへ送信するよう構成され、
上記第７チャネル情報は、上記Ｈ個の参照信号リソースポートグループからＹ個の参照信号リソースポートグループを選択するのに用いられる識別情報を含む、
項目１から５のいずれか一項に記載の第１デバイス。
［項目７］
上記第１チャネル情報は、Ｋ個のベクトルグループのうち、上記Ｍ個の第１ベクトルで構成されるＸ個のベクトルグループの各ベクトルグループのグループ番号を含み、上記Ｋ個のベクトルグループ内の全第１ベクトルが上記第１ベクトルの全体集合を構成し、Ｋは正の整数であり、ＸはＫ以下の正の整数である、項目１から６のいずれか一項に記載の第１デバイス。
［項目８］
上記第１チャネル情報のフィードバック方式は帯域幅ベースのフィードバックであり、上記第２チャネル情報のフィードバック方式はサブバンドベースのフィードバックである、項目１から７のいずれか一項に記載の第１デバイス。
［項目９］
参照信号を第１デバイスへ送信するよう構成された送信モジュールであって、上記参照信号はＳ個のアンテナポートで送信され、上記Ｓ個のアンテナポートは、Ｈ個の参照信号リソースポートグループに属し、ＳおよびＨは１以上の整数である、送信モジュールと、
上記第１デバイスから第１チャネル情報および第２チャネル情報を受信するよう構成される受信モジュールであって、上記第１チャネル情報および上記第２チャネル情報は、上記第１デバイスが、受信した上記参照信号を測定して取得し、上記第１チャネル情報はＭ個の第１ベクトルの識別情報を含み、Ｍは２以上の整数であり、上記第２チャネル情報は、上記Ｍ個の第１ベクトルのうちＮ個の第１ベクトルに対して重み付け合成を実施するために用いられる重み付け合成係数についての情報を含み、ＮはＭ以下の正の整数であり、
上記重み付け合成係数は第１係数および／または第２係数を含み、上記第１係数は振幅係数であり、上記第２係数は位相係数または時間遅延係数であり、上記第１ベクトルの次元は、各参照信号リソースポートグループ内のアンテナポートの数であり、または上記第１ベクトルの次元は、各参照信号リソースポートグループ内のアンテナポートの数の半分である、受信モジュールと、
上記第１チャネル情報および上記第２チャネル情報に基づき上記プリコーディング行列を生成するよう構成された処理モジュールと
を備え、
上記送信モジュールはさらに、上記処理モジュールが生成した上記プリコーディング行列に基づきデータを上記第１デバイスへ送信するよう構成される、
第２デバイス。
［項目１０］
上記受信モジュールはさらに、上記第１デバイスから第３チャネル情報を受信するよう構成され、上記第３チャネル情報は、上記第１デバイスが、上記参照信号を測定して取得し、
上記第３チャネル情報は、上記参照信号のための２つのアンテナポートグループ間の位相差を示すのに用いられ、
上記処理モジュールは具体的には、上記第１チャネル情報、上記第２チャネル情報、および上記第３チャネル情報に基づき上記プリコーディング行列を生成するよう構成される、
項目９に記載の第２デバイス。
［項目１１］
上記第１チャネル情報、上記第２チャネル情報、および上記第３チャネル情報は、ランクが２の上記プリコーディング行列を以下の方式
【数５１５】
2019515540.tif 001318
で構成し、
【数５１６】
2019515540.tif 001319
であり、
【数５１７】
2019515540.tif 001320
であり、
ＲおよびＳは正の整数であり、Ｒ≦Ｍであり、Ｓ≦Ｍであり、
【数５１８】
2019515540.tif 001321
および
【数５１９】
2019515540.tif 001322
は互いに組み合わせられて上記Ｍ個の第１ベクトルを構成し、
【数５２０】
2019515540.tif 001323
および
【数５２１】
2019515540.tif 001324
は重み付け合成係数であり、
【数５２２】
2019515540.tif 001325
は
【数５２３】
2019515540.tif 001326
に対して重み付けを実施するのに用いられ、
【数５２４】
2019515540.tif 001327
は
【数５２５】
2019515540.tif 001328
に対して重み付けを実施するのに用いられ、
【数５２６】
2019515540.tif 001329
は
【数５２７】
2019515540.tif 001330
に対して重み付けを実施するのに用いられ、
【数５２８】
2019515540.tif 001331
は
【数５２９】
2019515540.tif 001332
に対して重み付けを実施するのに用いられ、
【数５３０】
2019515540.tif 001333
は
【数５３１】
2019515540.tif 001334
に対して重み付けを実施するのに用いられ、
【数５３２】
2019515540.tif 001335
は
【数５３３】
2019515540.tif 001336
に対して重み付けを実施するのに用いられ、ｍは整数であり、０≦ｍ≦Ｒ−１であり、ｎは整数であり、０≦ｎ≦Ｓ−１であり、
【数５３４】
2019515540.tif 001337
は、上記第３チャネル情報が示す、上記参照信号のための上記２つのアンテナポートグループ間の上記位相差であり、
【数５３５】
2019515540.tif 001338
は正規化係数である、
項目１０に記載の第２デバイス。
［項目１２］
【数５３６】
2019515540.tif 001339
は
【数５３７】
2019515540.tif 001340
と同じであり、
【数５３８】
2019515540.tif 001341
は
【数５３９】
2019515540.tif 001342
と異なる、または、
【数５４０】
2019515540.tif 001343
は
【数５４１】
2019515540.tif 001344
と異なり、
【数５４２】
2019515540.tif 001345
は
【数５４３】
2019515540.tif 001346
と異なる、
項目１１に記載の第２デバイス。
［項目１３］
上記受信モジュールはさらに、上記第１デバイスから第４チャネル情報を受信するよう構成され、上記第４チャネル情報は、上記第１デバイスが、上記参照信号を測定して取得し、
上記第４チャネル情報は、上記Ｍ個の第１ベクトルから上記Ｎ個の第１ベクトルを選択するのに用いられる選択情報を含み、
上記処理モジュールは具体的には、上記第１チャネル情報、上記第２チャネル情報、および上記第４チャネル情報に基づき上記プリコーディング行列を生成するよう構成され、
上記第２チャネル情報は、上記第４チャネル情報が示す上記Ｎ個の第１ベクトルに対して重み付け合成を実施するために用いられる上記重み付け合成係数についての上記情報のみを含む、
項目９または１０に記載の第２デバイス。
［項目１４］
上記受信モジュールはさらに、上記第１デバイスから第７チャネル情報を受信するよう構成され、上記第７チャネル情報は、上記第１デバイスが、上記参照信号を測定して取得し、
上記第７チャネル情報は、上記Ｈ個の参照信号リソースポートグループからＹ個の参照信号リソースポートグループを選択するのに用いられる識別情報を含み、
上記処理モジュールはさらに、上記第１チャネル情報、上記第２チャネル情報、および上記第７チャネル情報に基づき上記プリコーディング行列を生成するよう構成される、
項目９から１３のいずれか一項に記載の第２デバイス。
［項目１５］
上記第１チャネル情報は、Ｋ個のベクトルグループのうち、上記Ｍ個の第１ベクトルで構成されるＸ個のベクトルグループの各ベクトルグループのグループ番号を含み、上記Ｋ個のベクトルグループ内の全第１ベクトルが上記第１ベクトルの全体集合を構成し、Ｋは正の整数であり、ＸはＫ以下の正の整数である、項目９から１４のいずれか一項に記載の第２デバイス。
［項目１６］
上記第１チャネル情報のフィードバック方式は帯域幅ベースのフィードバックであり、上記第２チャネル情報のフィードバック方式はサブバンドベースのフィードバックである、項目９から１５のいずれか一項に記載の第２デバイス。
［項目１７］
第２デバイスが送信した参照信号を受信するよう構成された受信モジュールと、
上記参照信号を測定して第１チャネル情報および第２チャネル情報を取得するよう構成される処理モジュールと、
上記第１チャネル情報および上記第２チャネル情報を上記第２デバイスへ送信するよう構成される送信モジュールと
を備え、
上記第１チャネル情報は、上記参照信号のためのＭ個のアンテナポートのうちＮ個のアンテナポートの識別情報を含み、Ｍは２以上の整数であり、ＮはＭ以下の正の整数であり、
上記第２チャネル情報は、上記Ｎ個のアンテナポートに対して重み付け合成を実施するために用いられる重み付け合成係数についての情報を含み、
上記重み付け合成係数は第１係数および／または第２係数を含み、
上記第１係数は振幅係数であり、上記第２係数は位相係数または時間遅延係数であり、
上記第１チャネル情報および上記第２チャネル情報は、プリコーディング行列を構成するのに用いられる、
第１デバイス。
［項目１８］
上記処理モジュールはさらに、上記参照信号を測定して第３チャネル情報を取得するよう構成され、
上記送信モジュールはさらに、上記第３チャネル情報を上記第２デバイスへ送信するよう構成され、
上記第３チャネル情報は、上記Ｍ個のアンテナポートをグループ分けして取得される２つのアンテナポートグループ間の位相差を含み、
上記第３チャネル情報は、同じく、上記プリコーディング行列を構成するのに用いられる、
項目１７に記載の第１デバイス。
［項目１９］
上記第１チャネル情報、上記第２チャネル情報、および上記第３チャネル情報は、ランクが１の上記プリコーディング行列を以下の方式
【数５４４】
2019515540.tif 001347
で構成し、
【数５４５】
2019515540.tif 001348
であり、
【数５４６】
2019515540.tif 001349
であり、
【数５４７】
2019515540.tif 001350
は上記第１チャネル情報に対応し、
【数５４８】
2019515540.tif 001351
は、Ｎ／２個のポートに対して重み付け合成を実施するために用いられる重み付け合成係数であり、
【数５４９】
2019515540.tif 001352
は、
【数５５０】
2019515540.tif 001353
番目のポートおよび（
【数５５１】
2019515540.tif 001354
＋Ｎ／２）番目のポートに対して重み付けを実施するのに用いられ、
【数５５２】
2019515540.tif 001355
は、
【数５５３】
2019515540.tif 001356
番目のポートおよび（
【数５５４】
2019515540.tif 001357
＋Ｎ／２）番目のポートに対して重み付けを実施するのに用いられ、
【数５５５】
2019515540.tif 001358
は、
【数５５６】
2019515540.tif 001359
番目のポートおよび（
【数５５７】
2019515540.tif 001360
＋Ｎ／２）番目のポートに対して重み付けを実施するのに用いられ、ｍは整数であり、０≦ｍ≦Ｍ−１であり、
【数５５８】
2019515540.tif 001361
は、上記第３チャネル情報が示す、上記参照信号のための上記２つのアンテナポートグループ間の上記位相差であり、
【数５５９】
2019515540.tif 001362
の行の数はＭであり、
【数５６０】
2019515540.tif 001363
は正規化係数である、
項目１８に記載の第１デバイス。
［項目２０］
上記第１チャネル情報、上記第２チャネル情報、および上記第３チャネル情報は、ランクが２の上記プリコーディング行列を以下の方式
【数５６１】
2019515540.tif 001364
で構成し、
【数５６２】
2019515540.tif 001365
であり、
【数５６３】
2019515540.tif 001366
であり、
ＲおよびＳは正の整数であり、Ｒ≦Ｍであり、Ｓ≦Ｍであり、
【数５６４】
2019515540.tif 001367
および
【数５６５】
2019515540.tif 001368
は重み付け合成係数であり、
【数５６６】
2019515540.tif 001369
は、
【数５６７】
2019515540.tif 001370
番目のポートおよび（
【数５６８】
2019515540.tif 001371
＋Ｎ／２）番目のポートに対して重み付けを実施するのに用いられ、
【数５６９】
2019515540.tif 001372
は、
【数５７０】
2019515540.tif 001373
番目のポートおよび（
【数５７１】
2019515540.tif 001374
＋Ｎ／２）番目のポートに対して重み付けを実施するのに用いられ、
【数５７２】
2019515540.tif 001375
は、
【数５７３】
2019515540.tif 001376
番目のポートおよび（
【数５７４】
2019515540.tif 001377
＋Ｎ／２）番目のポートに対して重み付けを実施するのに用いられ、
【数５７５】
2019515540.tif 001378
は、
【数５７６】
2019515540.tif 001379
番目のポートおよび（
【数５７７】
2019515540.tif 001380
＋Ｎ／２）番目のポートに対して重み付けを実施するのに用いられ、
【数５７８】
2019515540.tif 001381
は、
【数５７９】
2019515540.tif 001382
番目のポートおよび（
【数５８０】
2019515540.tif 001383
＋Ｎ／２）番目のポートに対して重み付けを実施するのに用いられ、
【数５８１】
2019515540.tif 001384
は、
【数５８２】
2019515540.tif 001385
番目のポートおよび（
【数５８３】
2019515540.tif 001386
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数５８４】
2019515540.tif 001387
は、上記第３チャネル情報が示す、上記参照信号のための上記２つのアンテナポートグループ間の上記位相差であり、
【数５８５】
2019515540.tif 001388
は正規化係数である、
項目１８に記載の第１デバイス。
［項目２１］
上記第２チャネル情報は時間遅延係数であり、
上記第１チャネル情報および上記第２チャネル情報で構成される上記プリコーディング行列の時間ドメイン形式は以下の通り
【数５８６】
2019515540.tif 001389
であり、
【数５８７】
2019515540.tif 001390
は、上記Ｎ個の第１ベクトルのうちｍ番目のベクトルに対応する時間遅延係数である、
項目１７から２０のいずれか一項に記載の第１デバイス。
［項目２２］
上記第１チャネル情報のフィードバック方式は帯域幅ベースのフィードバックであり、上記第２チャネル情報のフィードバック方式はサブバンドベースのフィードバックである、項目１７から２１のいずれか一項に記載の第１デバイス。
［項目２３］
参照信号を第１デバイスへ送信するよう構成された送信モジュールと、
上記第１デバイスから第１チャネル情報および第２チャネル情報を受信するよう構成される受信モジュールであって、上記第１チャネル情報および上記第２チャネル情報は、上記第１デバイスが、受信した上記参照信号を測定して取得し、上記第１チャネル情報は、上記参照信号のためのＭ個のアンテナポートのうちＮ個のアンテナポートの識別情報を含み、Ｍは２以上の整数であり、ＮはＭ以下の正の整数であり、
上記第２チャネル情報は、上記Ｎ個のアンテナポートに対して重み付け合成を実施するために用いられる重み付け合成係数についての情報を含み、上記重み付け合成係数は第１係数および／または第２係数を含み、上記第１係数は振幅係数であり、上記第２係数は位相係数または時間遅延係数である、受信モジュールと、
上記第１チャネル情報および上記第２チャネル情報に基づきプリコーディング行列を生成するよう構成された処理モジュールと
を備え、
上記送信モジュールはさらに、上記処理モジュールが生成した上記プリコーディング行列に基づきデータを上記第１デバイスへ送信するよう構成される、
第２デバイス。
［項目２４］
上記受信モジュールはさらに、上記第１デバイスから第３チャネル情報を受信するよう構成され、上記第３チャネル情報は、上記第１デバイスが、上記参照信号を測定して取得し、
上記第３チャネル情報は、上記Ｍ個のアンテナポートをグループ分けして取得される２つのアンテナポートグループ間の位相差を含み、
上記処理モジュールは具体的には、上記第１チャネル情報、上記第２チャネル情報、および上記第３チャネル情報に基づき上記プリコーディング行列を生成するよう構成される、
項目２３に記載の第２デバイス。
［項目２５］
上記処理モジュールは具体的には、ランクが１の上記プリコーディング行列を以下の方式
【数５８８】
2019515540.tif 001391
で生成するよう構成され、
【数５８９】
2019515540.tif 001392
であり、
【数５９０】
2019515540.tif 001393
であり、
【数５９１】
2019515540.tif 001394
は上記第１チャネル情報に対応し、
【数５９２】
2019515540.tif 001395
は、上記Ｎ／２個のポートに対して重み付け合成を実施するために用いられる重み付け合成係数であり、
【数５９３】
2019515540.tif 001396
は、
【数５９４】
2019515540.tif 001397
番目のポートおよび（
【数５９５】
2019515540.tif 001398
＋Ｎ／２）番目のポートに対して重み付けを実施するのに用いられ、
【数５９６】
2019515540.tif 001399
は、
【数５９７】
2019515540.tif 001400
番目のポートおよび（
【数５９８】
2019515540.tif 001401
＋Ｎ／２）番目のポートに対して重み付けを実施するのに用いられ、
【数５９９】
2019515540.tif 001402
は、
【数６００】
2019515540.tif 001403
番目のポートおよび（
【数６０１】
2019515540.tif 001404
＋Ｎ／２）番目のポートに対して重み付けを実施するのに用いられ、ｍは整数であり、０≦ｍ≦Ｍ−１であり、
【数６０２】
2019515540.tif 001405
は、上記第３チャネル情報が示す、上記参照信号のための上記２つのアンテナポートグループ間の上記位相差であり、
【数６０３】
2019515540.tif 001406
の行の数はＭであり、
【数６０４】
2019515540.tif 001407
は正規化係数である、
項目２４に記載の第２デバイス。
［項目２６］
上記処理モジュールは具体的には、ランクが２の上記プリコーディング行列を以下の方式
【数６０５】
2019515540.tif 001408
で生成するよう構成され、
【数６０６】
2019515540.tif 001409
であり、
【数６０７】
2019515540.tif 001410
であり、
ＲおよびＳは正の整数であり、Ｒ≦Ｍであり、Ｓ≦Ｍであり、
【数６０８】
2019515540.tif 001411
および
【数６０９】
2019515540.tif 001412
は重み付け合成係数であり、
【数６１０】
2019515540.tif 001413
は、
【数６１１】
2019515540.tif 001414
番目のポートおよび（
【数６１２】
2019515540.tif 001415
＋Ｎ／２）番目のポートに対して重み付けを実施するのに用いられ、
【数６１３】
2019515540.tif 001416
は、
【数６１４】
2019515540.tif 001417
番目のポートおよび（
【数６１５】
2019515540.tif 001418
＋Ｎ／２）番目のポートに対して重み付けを実施するのに用いられ、
【数６１６】
2019515540.tif 001419
は、
【数６１７】
2019515540.tif 001420
番目のポートおよび（
【数６１８】
2019515540.tif 001421
＋Ｎ／２）番目のポートに対して重み付けを実施するのに用いられ、
【数６１９】
2019515540.tif 001422
は、
【数６２０】
2019515540.tif 001423
番目のポートおよび（
【数６２１】
2019515540.tif 001424
＋Ｎ／２）番目のポートに対して重み付けを実施するのに用いられ、
【数６２２】
2019515540.tif 001425
は、
【数６２３】
2019515540.tif 001426
番目のポートおよび（
【数６２４】
2019515540.tif 001427
＋Ｎ／２）番目のポートに対して重み付けを実施するのに用いられ、
【数６２５】
2019515540.tif 001428
は、
【数６２６】
2019515540.tif 001429
番目のポートおよび（
【数６２７】
2019515540.tif 001430
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数６２８】
2019515540.tif 001431
は、上記第３チャネル情報が示す、上記参照信号のための上記２つのアンテナポートグループ間の上記位相差であり、
【数６２９】
2019515540.tif 001432
は正規化係数である、
項目２４に記載の第２デバイス。
［項目２７］
上記第２チャネル情報は時間遅延係数であり、
上記処理モジュールは具体的には、時間ドメイン形式の上記プリコーディング行列を以下の方式
【数６３０】
2019515540.tif 001433
で生成するよう構成され、
【数６３１】
2019515540.tif 001434
は、上記Ｎ個の第１ベクトルのうちｍ番目のベクトルに対応する上記時間遅延係数である、
項目２３から２６のいずれか一項に記載の第２デバイス。
［項目２８］
上記第１チャネル情報のフィードバック方式は帯域幅ベースのフィードバックであり、上記第２チャネル情報のフィードバック方式はサブバンドベースのフィードバックである、項目２３から２７のいずれか一項に記載の第２デバイス。
［項目２９］
第２デバイスが送信した参照信号を第１デバイスが受信する段階であって、上記参照信号はＳ個のアンテナポートで送信され、上記Ｓ個のアンテナポートは、Ｈ個の参照信号リソースポートグループに属し、ＳおよびＨは１以上の整数である、段階と、
上記第１デバイスが、受信した上記参照信号を測定して第１チャネル情報および第２チャネル情報を取得する段階と、
上記第１デバイスが、上記第１チャネル情報および上記第２チャネル情報を上記第２デバイスへ送信する段階と
を備え、
上記第１チャネル情報はＭ個の第１ベクトルの識別情報を含み、Ｍは２以上の整数であり、
上記第２チャネル情報は、上記Ｍ個の第１ベクトルのうちＮ個の第１ベクトルに対して重み付け合成を実施するために用いられる重み付け合成係数についての情報を含み、ＮはＭ以下の正の整数であり、
上記重み付け合成係数は第１係数および／または第２係数を含み、
上記第１係数は振幅係数であり、上記第２係数は位相係数または時間遅延係数であり、
上記第１チャネル情報および上記第２チャネル情報は、プリコーディング行列を構成するのに用いられ、
上記第１ベクトルの次元は、各参照信号リソースポートグループ内のアンテナポートの数であり、または上記第１ベクトルの次元は、各参照信号リソースポートグループ内のアンテナポートの数の半分である、
チャネル情報送信方法。
［項目３０］
上記第１デバイスが、上記参照信号を測定して第３チャネル情報を取得する段階と、
上記第１デバイスが、上記第３チャネル情報を上記第２デバイスへ送信する段階と
をさらに備え、
上記第３チャネル情報は、上記参照信号のための２つのアンテナポートグループ間の位相差を示すのに用いられ、
上記第３チャネル情報は、同じく、上記プリコーディング行列を構成するのに用いられる、
項目２９に記載の方法。
［項目３１］
上記第１チャネル情報、上記第２チャネル情報、および上記第３チャネル情報は、ランクが２の上記プリコーディング行列を以下の方式
【数６３２】
2019515540.tif 001435
で構成し、
【数６３３】
2019515540.tif 001436
であり、
【数６３４】
2019515540.tif 001437
であり、
ＲおよびＳは正の整数であり、Ｒ≦Ｍであり、Ｓ≦Ｍであり、
【数６３５】
2019515540.tif 001438
および
【数６３６】
2019515540.tif 001439
は互いに組み合わせられて上記Ｍ個の第１ベクトルを構成し、
【数６３７】
2019515540.tif 001440
および
【数６３８】
2019515540.tif 001441
は重み付け合成係数であり、
【数６３９】
2019515540.tif 001442
は
【数６４０】
2019515540.tif 001443
に対して重み付けを実施するのに用いられ、
【数６４１】
2019515540.tif 001444
は
【数６４２】
2019515540.tif 001445
に対して重み付けを実施するのに用いられ、
【数６４３】
2019515540.tif 001446
は
【数６４４】
2019515540.tif 001447
に対して重み付けを実施するのに用いられ、
【数６４５】
2019515540.tif 001448
は
【数６４６】
2019515540.tif 001449
に対して重み付けを実施するのに用いられ、
【数６４７】
2019515540.tif 001450
は
【数６４８】
2019515540.tif 001451
に対して重み付けを実施するのに用いられ、
【数６４９】
2019515540.tif 001452
は
【数６５０】
2019515540.tif 001453
に対して重み付けを実施するのに用いられ、ｍは整数であり、０≦ｍ≦Ｒ−１であり、ｎは整数であり、０≦ｎ≦Ｓ−１であり、
【数６５１】
2019515540.tif 001454
は、上記第３チャネル情報が示す、上記参照信号のための上記２つのアンテナポートグループ間の上記位相差であり、
【数６５２】
2019515540.tif 001455
は正規化係数である、
項目３０に記載の方法。
［項目３２］
【数６５３】
2019515540.tif 001456
は
【数６５４】
2019515540.tif 001457
と同じであり、
【数６５５】
2019515540.tif 001458
は
【数６５６】
2019515540.tif 001459
と異なる、または、
【数６５７】
2019515540.tif 001460
は
【数６５８】
2019515540.tif 001461
と異なり、
【数６５９】
2019515540.tif 001462
は
【数６６０】
2019515540.tif 001463
と異なる、
項目３１に記載の方法。
［項目３３］
上記第１デバイスが、上記参照信号を測定して第４チャネル情報を取得する段階と、
上記第１デバイスが、上記第４チャネル情報を上記第２デバイスへ送信する段階と
をさらに備え、
上記第４チャネル情報は、上記Ｍ個の第１ベクトルから上記Ｎ個の第１ベクトルを選択するのに用いられる選択情報を含み、
上記第４チャネル情報は、同じく、上記プリコーディング行列を構成するのに用いられ、
上記第２チャネル情報は、上記第４チャネル情報が示す上記Ｎ個の第１ベクトルに対して重み付け合成を実施するために用いられる上記重み付け合成係数についての上記情報のみを含む、
項目２９または３０に記載の方法。
［項目３４］
上記第１デバイスが、上記参照信号を測定して第７チャネル情報を取得する段階と、
上記第１デバイスが、上記第７チャネル情報を上記第２デバイスへ送信する段階と
をさらに備え、
上記第７チャネル情報は、上記Ｈ個の参照信号リソースポートグループからＹ個の参照信号リソースポートグループを選択するのに用いられる識別情報を含む、
項目２９から３３のいずれか一項に記載の方法。
［項目３５］
上記第１チャネル情報は、Ｋ個のベクトルグループのうち、上記Ｍ個の第１ベクトルで構成されるＸ個のベクトルグループの各ベクトルグループのグループ番号を含み、上記Ｋ個のベクトルグループ内の全第１ベクトルが上記第１ベクトルの全体集合を構成し、Ｋは正の整数であり、ＸはＫ以下の正の整数である、項目２９から３４のいずれか一項に記載の方法。
［項目３６］
上記第１チャネル情報のフィードバック方式は帯域幅ベースのフィードバックであり、上記第２チャネル情報のフィードバック方式はサブバンドベースのフィードバックである、項目２９から３５のいずれか一項に記載の方法。
［項目３７］
第２デバイスが、参照信号を第１デバイスへ送信する段階であって、上記参照信号はＳ個のアンテナポートで送信され、上記Ｓ個のアンテナポートは、Ｈ個の参照信号リソースポートグループに属し、ＳおよびＨは１以上の整数である、段階と、
上記第２デバイスが、上記第１デバイスから第１チャネル情報および第２チャネル情報を受信する段階であって、上記第１チャネル情報および上記第２チャネル情報は上記第１デバイスが、受信した上記参照信号を測定して取得し、上記第１チャネル情報はＭ個の第１ベクトルの識別情報を含み、Ｍは２以上の整数であり、上記第２チャネル情報は、上記Ｍ個の第１ベクトルのうちＮ個の第１ベクトルに対して重み付け合成を実施するために用いられる重み付け合成係数についての情報を含み、ＮはＭ以下の正の整数であり、上記重み付け合成係数は第１係数および／または第２係数を含み、上記第１係数は振幅係数であり、上記第２係数は位相係数または時間遅延係数であり、上記第１ベクトルの次元は、各参照信号リソースポートグループ内のアンテナポートの数であり、または上記第１ベクトルの次元は、各参照信号リソースポートグループ内のアンテナポートの数の半分である、段階と、
上記第２デバイスが、上記第１チャネル情報および上記第２チャネル情報に基づき上記プリコーディング行列を生成する段階と、
上記第２デバイスが、生成した上記プリコーディング行列に基づきデータを上記第１デバイスへ送信する段階と
を備える、データ送信方法。
［項目３８］
上記第２デバイスが、上記第１デバイスから第３チャネル情報を受信する段階であって、上記第３チャネル情報は、上記第１デバイスが、上記参照信号を測定して取得する、段階
をさらに備え、
上記第３チャネル情報は、上記参照信号のための２つのアンテナポートグループ間の位相差を示すのに用いられ、
上記第２デバイスが、上記第１チャネル情報および上記第２チャネル情報に基づき上記プリコーディング行列を生成する上記段階は、上記第２デバイスが、上記第１チャネル情報、上記第２チャネル情報、および上記第３チャネル情報に基づき上記プリコーディング行列を生成する段階を有する、
項目３７に記載の方法。
［項目３９］
上記第１チャネル情報、上記第２チャネル情報、および上記第３チャネル情報は、ランクが２の上記プリコーディング行列を以下の方式
【数６６１】
2019515540.tif 001464
で構成し、
【数６６２】
2019515540.tif 001465
であり、
【数６６３】
2019515540.tif 001466
であり、
ＲおよびＳは正の整数であり、Ｒ≦Ｍであり、Ｓ≦Ｍであり、
【数６６４】
2019515540.tif 001467
および
【数６６５】
2019515540.tif 001468
は互いに組み合わせられて上記Ｍ個の第１ベクトルを構成し、
【数６６６】
2019515540.tif 001469
および
【数６６７】
2019515540.tif 001470
は重み付け合成係数であり、
【数６６８】
2019515540.tif 001471
は
【数６６９】
2019515540.tif 001472
に対して重み付けを実施するのに用いられ、
【数６７０】
2019515540.tif 001473
は
【数６７１】
2019515540.tif 001474
に対して重み付けを実施するのに用いられ、
【数６７２】
2019515540.tif 001475
は
【数６７３】
2019515540.tif 001476
に対して重み付けを実施するのに用いられ、
【数６７４】
2019515540.tif 001477
は
【数６７５】
2019515540.tif 001478
に対して重み付けを実施するのに用いられ、
【数６７６】
2019515540.tif 001479
は
【数６７７】
2019515540.tif 001480
に対して重み付けを実施するのに用いられ、
【数６７８】
2019515540.tif 001481
は
【数６７９】
2019515540.tif 001482
に対して重み付けを実施するのに用いられ、ｍは整数であり、０≦ｍ≦Ｒ−１であり、ｎは整数であり、０≦ｎ≦Ｓ−１であり、
【数６８０】
2019515540.tif 001483
は、上記第３チャネル情報が示す、上記参照信号のための上記２つのアンテナポートグループ間の上記位相差であり、
【数６８１】
2019515540.tif 001484
は正規化係数である、
項目３８に記載の方法。
［項目４０］
【数６８２】
2019515540.tif 001485
は
【数６８３】
2019515540.tif 001486
と同じであり、
【数６８４】
2019515540.tif 001487
は
【数６８５】
2019515540.tif 001488
と異なる、または、
【数６８６】
2019515540.tif 001489
は
【数６８７】
2019515540.tif 001490
と異なり、
【数６８８】
2019515540.tif 001491
は
【数６８９】
2019515540.tif 001492
と異なる、
項目３９に記載の方法。
［項目４１］
上記第２デバイスが、上記第１デバイスから第４チャネル情報を受信する段階であって、上記第４チャネル情報は、上記第１デバイスが上記参照信号を測定して取得する、段階
をさらに備え、
上記第４チャネル情報は、上記Ｍ個の第１ベクトルから上記Ｎ個の第１ベクトルを選択するのに用いられる選択情報を含み、
上記第２デバイスが、上記第１チャネル情報および上記第２チャネル情報に基づき上記プリコーディング行列を生成する上記段階は、上記第２デバイスが、上記第１チャネル情報、上記第２チャネル情報、および上記第４チャネル情報に基づき上記プリコーディング行列を生成する段階を有し、
上記第２チャネル情報は、上記第４チャネル情報が示す上記Ｎ個の第１ベクトルに対して重み付け合成を実施するために用いられる上記重み付け合成係数についての上記情報のみを含む、
項目３７または３８に記載の方法。
［項目４２］
上記第２デバイスが、上記第１デバイスから第７チャネル情報を受信する段階であって、上記第７チャネル情報は、上記第１デバイスが、上記参照信号を測定して取得する、段階
をさらに備え、
上記第７チャネル情報は、上記Ｈ個の参照信号リソースポートグループからＹ個の参照信号リソースポートグループを選択するのに用いられる識別情報を含み、
上記第２デバイスが、上記第１チャネル情報および上記第２チャネル情報に基づき上記プリコーディング行列を生成する上記段階は、上記第２デバイスが、上記第１チャネル情報、上記第２チャネル情報、および上記第７チャネル情報に基づき上記プリコーディング行列を生成する段階を有する、
項目３７から４１のいずれか一項に記載の方法。
［項目４３］
上記第１チャネル情報は、Ｋ個のベクトルグループのうち、上記Ｍ個の第１ベクトルで構成されるＸ個のベクトルグループの各ベクトルグループのグループ番号を含み、上記Ｋ個のベクトルグループ内の全第１ベクトルが上記第１ベクトルの全体集合を構成し、Ｋは正の整数であり、ＸはＫ以下の正の整数である、項目３７から４２のいずれか一項に記載の方法。
［項目４４］
上記第１チャネル情報のフィードバック方式は帯域幅ベースのフィードバックであり、上記第２チャネル情報のフィードバック方式はサブバンドベースのフィードバックである、項目３７から４３のいずれか一項に記載の方法。
［項目４５］
第２デバイスが送信した参照信号を第１デバイスが受信する段階と、
上記第１デバイスが、受信した上記参照信号を測定して第１チャネル情報および第２チャネル情報を取得する段階と、
上記第１デバイスが、上記第１チャネル情報および上記第２チャネル情報を上記第２デバイスへ送信する段階と
を備え、
上記第１チャネル情報は、上記参照信号のためのＭ個のアンテナポートのうちＮ個のアンテナポートの識別情報を含み、Ｍは２以上の整数であり、ＮはＭ以下の正の整数であり、
上記第２チャネル情報は、上記Ｎ個のアンテナポートに対して重み付け合成を実施するために用いられる重み付け合成係数についての情報を含み、
上記重み付け合成係数は第１係数および／または第２係数を含み、
上記第１係数は振幅係数であり、上記第２係数は位相係数または時間遅延係数であり、
上記第１チャネル情報および上記第２チャネル情報は、プリコーディング行列を構成するのに用いられる、
チャネル情報送信方法。
［項目４６］
上記第１デバイスが、上記参照信号を測定して第３チャネル情報を取得する段階と、
上記第１デバイスが、上記第３チャネル情報を上記第２デバイスへ送信する段階と
をさらに備え、
上記第３チャネル情報は、上記Ｍ個のアンテナポートをグループ分けして取得される２つのアンテナポートグループ間の位相差を含み、
上記第３チャネル情報は、同じく、上記プリコーディング行列を構成するのに用いられる、
項目４５に記載の方法。
［項目４７］
上記第１チャネル情報、上記第２チャネル情報、および上記第３チャネル情報は、ランクが１の上記プリコーディング行列を以下の方式、
【数６９０】
2019515540.tif 001493
で構成し、
【数６９１】
2019515540.tif 001494
であり、
【数６９２】
2019515540.tif 001495
であり、
【数６９３】
2019515540.tif 001496
は上記第１チャネル情報に対応し、
【数６９４】
2019515540.tif 001497
は、上記Ｎ／２個のポートに対して重み付け合成を実施するために用いられる重み付け合成係数であり、
【数６９５】
2019515540.tif 001498
は、
【数６９６】
2019515540.tif 001499
番目のポートおよび（
【数６９７】
2019515540.tif 001500
＋Ｎ／２）番目のポートに対して重み付けを実施するのに用いられ、
【数６９８】
2019515540.tif 001501
は、
【数６９９】
2019515540.tif 001502
番目のポートおよび（
【数７００】
2019515540.tif 001503
＋Ｎ／２）番目のポートに対して重み付けを実施するのに用いられ、
【数７０１】
2019515540.tif 001504
は、
【数７０２】
2019515540.tif 001505
番目のポートおよび（
【数７０３】
2019515540.tif 001506
＋Ｎ／２）番目のポートに対して重み付けを実施するのに用いられ、ｍは整数であり、０≦ｍ≦Ｍ−１であり、
【数７０４】
2019515540.tif 001507
は、上記第３チャネル情報が示す、上記参照信号のための上記２つのアンテナポートグループ間の上記位相差であり、
【数７０５】
2019515540.tif 001508
の行の数はＭであり、
【数７０６】
2019515540.tif 001509
は正規化係数である、項目４６に記載の方法。
［項目４８］
上記第１チャネル情報、上記第２チャネル情報、および上記第３チャネル情報は、ランクが２の上記プリコーディング行列を以下の方式
【数７０７】
2019515540.tif 001510
で構成し、
【数７０８】
2019515540.tif 001511
であり、
【数７０９】
2019515540.tif 001512
であり、
ＲおよびＳは正の整数であり、Ｒ≦Ｍであり、Ｓ≦Ｍであり、
【数７１０】
2019515540.tif 001513
および
【数７１１】
2019515540.tif 001514
は重み付け合成係数であり、
【数７１２】
2019515540.tif 001515
は、
【数７１３】
2019515540.tif 001516
番目のポートおよび（
【数７１４】
2019515540.tif 001517
＋Ｎ／２）番目のポートに対して重み付けを実施するのに用いられ、
【数７１５】
2019515540.tif 001518
は、
【数７１６】
2019515540.tif 001519
番目のポートおよび（
【数７１７】
2019515540.tif 001520
＋Ｎ／２）番目のポートに対して重み付けを実施するのに用いられ、
【数７１８】
2019515540.tif 001521
は、
【数７１９】
2019515540.tif 001522
番目のポートおよび（
【数７２０】
2019515540.tif 001523
＋Ｎ／２）番目のポートに対して重み付けを実施するのに用いられ、
【数７２１】
2019515540.tif 001524
は、
【数７２２】
2019515540.tif 001525
番目のポートおよび（
【数７２３】
2019515540.tif 001526
＋Ｎ／２）番目のポートに対して重み付けを実施するのに用いられ、
【数７２４】
2019515540.tif 001527
は、
【数７２５】
2019515540.tif 001528
番目のポートおよび（
【数７２６】
2019515540.tif 001529
＋Ｎ／２）番目のポートに対して重み付けを実施するのに用いられ、
【数７２７】
2019515540.tif 001530
は、
【数７２８】
2019515540.tif 001531
番目のポートおよび（
【数７２９】
2019515540.tif 001532
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数７３０】
2019515540.tif 001533
は、上記第３チャネル情報が示す、上記参照信号のための上記２つのアンテナポートグループ間の上記位相差であり、
【数７３１】
2019515540.tif 001534
は正規化係数である、
項目４６に記載の方法。
［項目４９］
上記第２チャネル情報は時間遅延係数であり、
上記第１チャネル情報および上記第２チャネル情報で構成される上記プリコーディング行列の時間ドメイン形式は以下の通り
【数７３２】
2019515540.tif 001535
であり、
【数７３３】
2019515540.tif 001536
は、上記Ｎ個の第１ベクトルのうちｍ番目のベクトルに対応する上記時間遅延係数である、
項目４５から４８のいずれか一項に記載の方法。
［項目５０］
上記第１チャネル情報のフィードバック方式は帯域幅ベースのフィードバックであり、上記第２チャネル情報のフィードバック方式はサブバンドベースのフィードバックである、項目４５から４９のいずれか一項に記載の方法。
［項目５１］
第２デバイスが、参照信号を第１デバイスへ送信する段階と、
上記第２デバイスが、上記第１デバイスから第１チャネル情報および第２チャネル情報を受信する段階であって、上記第１チャネル情報および上記第２チャネル情報は、上記第１デバイスが、受信した上記参照信号を測定して取得する、段階であって、上記第１チャネル情報は、上記参照信号のためのＭ個のアンテナポートのうちＮ個のアンテナポートの識別情報を含み、Ｍは２以上の整数であり、ＮはＭ以下の正の整数であり、上記第２チャネル情報は、上記Ｎ個のアンテナポートに対して重み付け合成を実施するために用いられる重み付け合成係数についての情報を含み、上記重み付け合成係数は第１係数および／または第２係数を含み、上記第１係数は振幅係数であり、上記第２係数は位相係数または時間遅延係数である、段階と、
上記第２デバイスが、上記第１チャネル情報および上記第２チャネル情報に基づきプリコーディング行列を生成する段階と、
上記第２デバイスが、生成した上記プリコーディング行列に基づきデータを上記第１デバイスへ送信する段階と
を備える、データ送信方法。
［項目５２］
上記第２デバイスが、上記第１デバイスから第３チャネル情報を受信する段階であって、上記第３チャネル情報は、上記第１デバイスが、上記参照信号を測定して取得する、段階
をさらに備え、
上記第３チャネル情報は、上記Ｍ個のアンテナポートをグループ分けして取得される２つのアンテナポートグループ間の位相差を含み、
上記第２デバイスが、上記第１チャネル情報および上記第２チャネル情報に基づき上記プリコーディング行列を生成する上記段階は、上記第２デバイスが、上記第１チャネル情報、上記第２チャネル情報、および上記第３チャネル情報に基づき上記プリコーディング行列を生成する段階を有する、
項目５１に記載の方法。
［項目５３］
上記第２デバイスは、上記第１チャネル情報、上記第２チャネル情報、および上記第３チャネル情報に基づき、ランクが１の上記プリコーディング行列を以下の方式
【数７３４】
2019515540.tif 001537
で生成し、
【数７３５】
2019515540.tif 001538
であり、
【数７３６】
2019515540.tif 001539
であり、
【数７３７】
2019515540.tif 001540
は上記第１チャネル情報に対応し、
【数７３８】
2019515540.tif 001541
は、上記Ｎ／２個のポートに対して重み付け合成を実施するのに用いられる重み付け合成係数であり、
【数７３９】
2019515540.tif 001542
は、
【数７４０】
2019515540.tif 001543
番目のポートおよび（
【数７４１】
2019515540.tif 001544
＋Ｎ／２）番目のポートに対して重み付けを実施するのに用いられ、
【数７４２】
2019515540.tif 001545
は、
【数７４３】
2019515540.tif 001546
番目のポートおよび（
【数７４４】
2019515540.tif 001547
＋Ｎ／２）番目のポートに対して重み付けを実施するために用いられ、
【数７４５】
2019515540.tif 001548
は、
【数７４６】
2019515540.tif 001549
番目のポートおよび（
【数７４７】
2019515540.tif 001550
＋Ｎ／２）番目のポートに対して重み付けを実施するのに用いられ、ｍは整数であり、０≦ｍ≦Ｍ−１であり、
【数７４８】
2019515540.tif 001551
は、上記第３チャネル情報が示す、上記参照信号のための上記２つのアンテナポートグループ間の上記位相差であり、
【数７４９】
2019515540.tif 001552
の行の数はＭであり、
【数７５０】
2019515540.tif 001553
は正規化係数である、項目５２に記載の方法。
［項目５４］
上記第２デバイスは、上記第１チャネル情報、上記第２チャネル情報、および上記第３チャネル情報に基づき、ランクが２の上記プリコーディング行列を以下の方式
【数７５１】
2019515540.tif 001554
で生成し、
【数７５２】
2019515540.tif 001555
であり、
【数７５３】
2019515540.tif 001556
であり、
ＲおよびＳは正の整数であり、Ｒ≦Ｍであり、Ｓ≦Ｍであり、
【数７５４】
2019515540.tif 001557
および
【数７５５】
2019515540.tif 001558
は重み付け合成係数であり、
【数７５６】
2019515540.tif 001559
は、
【数７５７】
2019515540.tif 001560
番目のポートおよび（
【数７５８】
2019515540.tif 001561
＋Ｎ／２）番目のポートに対して重み付けを実施するのに用いられ、
【数７５９】
2019515540.tif 001562
は、
【数７６０】
2019515540.tif 001563
番目のポートおよび（
【数７６１】
2019515540.tif 001564
＋Ｎ／２）番目のポートに対して重み付けを実施するのに用いられ、
【数７６２】
2019515540.tif 001565
は、
【数７６３】
2019515540.tif 001566
番目のポートおよび（
【数７６４】
2019515540.tif 001567
＋Ｎ／２）番目のポートに対して重み付けを実施するのに用いられ、
【数７６５】
2019515540.tif 001568
は、
【数７６６】
2019515540.tif 001569
番目のポートおよび（
【数７６７】
2019515540.tif 001570
＋Ｎ／２）番目のポートに対して重み付けを実施するのに用いられ、
【数７６８】
2019515540.tif 001571
は、
【数７６９】
2019515540.tif 001572
番目のポートおよび（
【数７７０】
2019515540.tif 001573
＋Ｎ／２）番目のポートに対して重み付けを実施するのに用いられ、
【数７７１】
2019515540.tif 001574
は、
【数７７２】
2019515540.tif 001575
番目のポートおよび（
【数７７３】
2019515540.tif 001576
＋Ｎ／２）番目のポートに対して重み付けを実施するのに用いられ、ｍは整数であり、０≦ｍ≦Ｒ−１であり、ｎは整数であり、０≦ｎ≦Ｓ−１であり、
【数７７４】
2019515540.tif 001577
は、上記第３チャネル情報が示す、上記参照信号のための上記２つのアンテナポートグループ間の上記位相差であり、
【数７７５】
2019515540.tif 001578
は正規化係数である、
項目５２に記載の方法。
［項目５５］
上記第２チャネル情報は時間遅延係数であり、
上記第２デバイスは、上記第１チャネル情報、上記第２チャネル情報、および上記第３チャネル情報に基づき、時間ドメイン形式の上記プリコーディング行列を以下の方式
【数７７６】
2019515540.tif 001579
で生成し、
【数７７７】
2019515540.tif 001580
は、上記Ｎ個の第１ベクトルのうちｍ番目のベクトルに対応する上記時間遅延係数である、
項目５１から５４のいずれか一項に記載の方法。
［項目５６］
上記第１チャネル情報のフィードバック方式は帯域幅ベースのフィードバックであり、上記第２チャネル情報のフィードバック方式はサブバンドベースのフィードバックである、項目５１から５５のいずれか一項に記載の方法。
【国際調査報告】
2019515540.tif 001581
2019515540.tif 001582
2019515540.tif 001583
2019515540.tif 001584